(57)【要約】【課題】ＬＥＤ実装基板を備えた入賞球集合通路部品について遊技機機種変更に伴う設計変更負担を低減できる遊技機を提供する。【解決手段】集合通路盤６０の被配設部１４０は、本体部品６０Ａの裏面側で一般入賞口用通路部品７０の背面側箇所に設けられ、ＬＥＤ基板１５０は、被配設部１４０に取り付け可能で当該被配設部１４０と共通形状であり、被配設部１４０への配設状態で一般入賞口用通路部品７０以外の箇所にＬＥＤを実装しているので、ＬＥＤ基板１５０は、被配設部１４０と共通な形状とすることができ、ＬＥＤ基板１５０が歪な形状となることや複数枚必要になることもない。仮に、機種変更で集合通路盤６０の一般入賞口用通路部品７０の形状が変更された場合でも、被配設部１４０およびＬＥＤ基板１５０の形状をそのままを維持でき、ＬＥＤ基板１５０でのＬＥＤの実装位置の設計変更で対応でき、設計変更の負担を低減できる。【選択図】図２０
2020054894.tif 000002
【特許請求の範囲】
【請求項１】
遊技球が打ち込まれる遊技領域が前面側に形成された遊技盤と、
前記遊技盤の裏面に配設された、前記遊技盤からの遊技球を排出する球排出部材と、
を備えた遊技機において、
前記遊技盤は、
前記遊技領域の所定箇所に設けられた、遊技球が入球可能な入賞部品と、
前記入賞部品に入賞した遊技球が通過可能なように前記入賞部品の配設箇所に前後方向に貫通形成された貫通孔とを備え、
前記球排出部材は、
前記遊技盤の裏面に取付可能な本体部品と、
前記本体部品の前面側に設けられた、前記遊技盤からの遊技球を案内する通路部と、
前記本体部品の裏面に配設された、発光する発光部品を複数実装した発光部実装基板と、
前記本体部品の裏面側で且つ少なくとも一部が前記通路部と重なる位置に設けられた、前記発光部実装基板が設けられる被配設部と、
を備え、
前記発光部実装基板は、複数の前記発光部品のうち少なくとも過半数の前記発光部品が前記通路部の通路横幅よりも広い間隔で実装されている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機としては、例えば、遊技球が打ち込まれる遊技領域を前面側に有する遊技盤と、この遊技盤の背後に設けられて識別情報を変動表示する液晶表示装置とを備え、遊技盤を介して背後の液晶表示装置の変動表示が視認可能なものがある。この遊技盤は、その遊技領域の下部側の所定箇所に、一般入賞口、始動入賞口および大入賞口が配設されている。また、遊技盤の裏面下部には、前記の一般入賞口、始動入賞口および大入賞口に入球した遊技球を複数個の球通路部を経由して排出する球排出部材が設けられている。（例えば、特許文献１参照）。
【先行技術文献】
【特許文献】
【０００３】
【特許文献１】特開２００６−９５１６２号公報（第３−５頁，第２−６図）
【発明の概要】
【発明が解決しようとする課題】
【０００４】
しかしながら、このような構成を有する従来例の場合には、次のような問題がある。
【０００５】
すなわち、従来のパチンコ機では、例えば、前述した球排出部材の遊技盤と対向する側（前面側）で複数個の球通路部以外の領域部分に、その領域に収まる形状の発光部実装基板を配設し、遊技盤の背後の球排出部材の前記領域部分に発光装飾を施すことが考えられる。
【０００６】
球排出部材について、発光部実装基板を取り付けるための取付部（例えば、取付ボス）の配置位置を、球通路部を避ける位置を考慮して設計製作する必要がある。
【０００７】
このように、球排出部材および発光部実装基板の設計に負担がかかるという問題がある。
【０００８】
本発明は、このような事情に鑑みてなされたものであって、発光部実装基板を備えた球排出部材について設計負担を低減できる遊技機を提供することを目的とする。
【課題を解決するための手段】
【０００９】
この発明は、このような目的を達成するために、次のような構成をとる。
【００１０】
すなわち、請求項１に記載の発明は、
遊技球が打ち込まれる遊技領域が前面側に形成された遊技盤と、
前記遊技盤の裏面に配設された、前記遊技盤からの遊技球を排出する球排出部材と、
を備えた遊技機において、
前記遊技盤は、
前記遊技領域の所定箇所に設けられた、遊技球が入球可能な入賞部品と、
前記入賞部品に入賞した遊技球が通過可能なように前記入賞部品の配設箇所に前後方向に貫通形成された貫通孔とを備え、
前記球排出部材は、
前記遊技盤の裏面に取付可能な本体部品と、
前記本体部品の前面側に設けられた、前記遊技盤からの遊技球を案内する通路部と、
前記本体部品の裏面に配設された、発光する発光部品を複数実装した発光部実装基板と、
前記本体部品の裏面側で且つ少なくとも一部が前記通路部と重なる位置に設けられた、前記発光部実装基板が設けられる被配設部と、
を備え、
前記発光部実装基板は、複数の前記発光部品のうち少なくとも過半数の前記発光部品が前記通路部の通路横幅よりも広い間隔で実装されている
ことを特徴とするものである。
【発明の効果】
【００１１】
この発明に係る遊技機によれば、発光部実装基板を備えた球排出部材について設計負担を低減できる遊技機を提供することができる。
【図面の簡単な説明】
【００１２】
【図１】本発明の実施例１のパチンコ機の概略正面図である。
【図２】透明遊技盤の正面図である。
【図３】パチンコ機の裏面図である。
【図４】パチンコ機の電気的構成を示すブロック図である。
【図５】第３図柄表示装置の表示内容を示す説明図である。
【図６】実施例１の透明遊技盤を前方右上から見た概略斜視図である。
【図７】図６の透明遊技盤の後方斜視図である。
【図８】実施例１の透明遊技盤とその背後に位置する集合通路盤および下側の取付台とを前方右上から見た概略分解斜視図である。
【図９】図８の透明遊技盤を後方左上から見た概略分解斜視図である。
【図１０】透明遊技盤の背面に集合通路盤のみが取り付けられた状態の後方斜視図である。
【図１１】図１０の集合通路盤を本体部品のみとした状態の後方斜視図である。
【図１２】可変入賞装置および始動入賞装置を前面側に対応図示した集合通路盤の前方斜視図である。
【図１３】図１２の集合通路盤の後方斜視図である。
【図１４】集合通路盤を後方左上から見た斜視図である。
【図１５】集合通路盤を後方右上から見た斜視図である。
【図１６】集合通路盤を前方左上から見た斜視図である。
【図１７】集合通路盤を前方右上から見た斜視図である。
【図１８】集合通路盤を前方右上から見た斜視図である。
【図１９】集合通路盤を前方左上から見た斜視図である。
【図２０】集合通路盤を後方左上から見た斜視図である。
【図２１】集合通路盤を後方右上から見た斜視図である。
【図２２】（ａ）〜（ｆ）は、その順に、集合通路盤の平面図、左側面図、正面図、右側面図、背面図および底面図である。
【図２３】（ａ）〜（ｆ）は、その順に、一般入賞口用通路部品の平面図、左側面図、正面図、右側面図、背面図および底面図である。
【図２４】（ａ），（ｂ）は、その順に、始動口用通路部品の前方分解斜視図および後方分解斜視図である。
【図２５】（ａ）〜（ｆ）は、その順に、左カバー部品の平面図、左側面図、正面図、右側面図、背面図および底面図である。
【図２６】（ａ）〜（ｆ）は、その順に、右カバー部品の平面図、左側面図、正面図、右側面図、背面図および底面図である。
【図２７】（ａ），（ｂ）は、その順に、中継基板部品の前方分解斜視図および後方分解斜視図である。
【図２８】（ａ）〜（ｆ）は、その順に、中継基板ベースの平面図、左側面図、正面図、右側面図、背面図および底面図である。
【図２９】（ａ）〜（ｆ）は、その順に、中継基板カバーの平面図、右側面図、背面図、左側面図、正面図および底面図である。
【図３０】（ａ）〜（ｃ）は、中継基板部品のかしめを解除する手順を示す背面図である。
【図３１】（ａ）〜（ｃ）は、中継基板部品のかしめを解除する手順を示す斜視図である。
【図３２】異機種の一般入賞口用通路部品が取り付け可能なことを示す集合通路盤の正面図である。
【図３３】集合通路盤の背面に配設されたＬＥＤ基板でのＬＥＤ配置箇所と一般入賞口用通路部品との対応関係を示す図である。
【図３４】前面側の許容空間に装飾部品を備えた透明遊技盤の正面図である。
【発明を実施するための形態】
【００１３】
以下、パチンコ遊技機（以下、単に「パチンコ機」という）の各種の実施の形態を、図面に基づいて詳細に説明する。
【実施例１】
【００１４】
実施例１のパチンコ機を、図面に基づいて詳細に説明する。図１はパチンコ機１０の正面図であり、図２は、パチンコ機１０の透明遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００１５】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００１６】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１７】
内枠１２は、大別すると、その外形を形成する主要部材としての樹脂ベース（図示省略）と、この樹脂ベース（図示省略）に取り付けられる透明樹脂製の透明遊技盤３０（図２参照）とを備えている。また、内枠１２は、図１に示すように、樹脂ベース（図示省略）の前面側で片開き自在な前面枠セット１４を備えている。
【００１８】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００１９】
前面枠セット１４は、正面視左側で上下方向の開閉軸Ｊ１を軸心にして当該内枠１２に対して開閉自在に取り付けられている。言い換えれば、前面枠セット１４は、樹脂ベース（図示省略）に対して開閉自在となっている。
【００２０】
透明遊技盤３０（図２参照）は、その遊技領域３０ａを樹脂ベース（図示省略）の開口部に位置させるようにして当該樹脂ベースの裏面側に着脱自在に取り付けられる。
【００２１】
ここで、もう少し詳細に前面枠セット１４について説明する。
【００２２】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００２３】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、図示省略のベース板体の前面側各箇所にそれぞれ取り付けられて前面枠セット１４が構成されている。
【００２４】
下皿ユニット１３は、図１に示すように、前面枠セット１４の最下部箇所に位置するように、ネジ等の締結具によりベース板体（図示省略）の正面視で最下部箇所に固定されている。この下皿ユニット１３は、その前面側に、下皿１５と球抜きレバー１７と遊技球発射ハンドル１８とを備えている。
【００２５】
球受皿としての下皿１５は、下皿ユニット１３のほぼ中央部に設けられており、排出口１６より排出された遊技球が下皿１５内に貯留可能である。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００２６】
遊技球発射ハンドル１８は、下皿１５よりも右方で手前側に突出して配設されている。遊技者による遊技球発射ハンドル１８の操作に応じて、遊技球発射装置３８によって遊技球が透明遊技盤３０（図２参照）の方へ打ち込まれる。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００２７】
上皿ユニット２１は、図１に示すように、前面枠セット１４の下部箇所（前述の下皿１５の上方位置）に位置するように、ネジ等の締結具によりベース板体（図示省略）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００２８】
ガラス枠部２３は、図１に示すように、上皿ユニット２１の上側に形成された窓部１０１と、この窓部１０１の周囲に設けられた各種の電飾部とを備えている。
【００２９】
つまり、前面枠セット１４には、図１に示すように、上皿ユニット２１の上側に位置するガラス枠部２３の中央箇所に、透明遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００３０】
さらに、ガラス枠部２３は、図１に示すように、窓部１０１の周囲に各種の電飾部（第１電飾部３００、第２電飾部３０２および第３電飾部３０４）を備えている。つまり、前面枠セット１４は、図１に示すように、その前面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００３１】
本パチンコ機１０では、第１電飾部３００、第２電飾部３０２および第３電飾部３０４は、大当たりランプとして機能し、大当たり時に点灯や点滅を行うことにより、大当たり中であることを報知する。その他、本パチンコ機１０の第１電飾部３００および第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や透明遊技盤３０表面等の一部を視認できるよう透明樹脂からなる小窓１０７が設けられている。この小窓１０７の所定箇所を平面状としているので、透明遊技盤３０の右下隅部に貼り付けられた証紙などを、小窓１０７の当該平面状箇所から機械で好適に読み取ることができる。
【００３２】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３３】
透明遊技盤３０は、図２に示すように、正面視で四角形状の合板でその左側の両角部が取れたような形状としており、その周縁部（後述するレール５１，５２の外側部分）が内枠１２の樹脂ベース（図示省略）の裏側に当接した状態で取着されており、この透明遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態である。
【００３４】
次に、図２を用いて透明遊技盤３０の構成を説明する。透明遊技盤３０は、一般入賞口３１、可変入賞装置３２、始動入賞装置３３（例えば作動チャッカ）、第３の始動口３４（例えばスルーゲート）および可変表示装置ユニット３５を備えている。これらの一般入賞口３１、可変入賞装置３２、始動入賞装置３３、第３の始動口３４および可変表示装置ユニット３５は、透明遊技盤３０における、ルータ加工によって形成された各貫通穴にそれぞれに配設され、透明遊技盤３０前面側から木ネジ等により取り付けられている。一般入賞口３１、可変入賞装置３２、始動入賞装置３３に遊技球が入球し、当該入球が後述する検出スイッチ（後述の図２０に示す入賞口スイッチ２２１、後述の図１３に示すカウントスイッチ２２３、後述の図１３に示す作動口スイッチ２２４）で検出され、この検出スイッチの出力に基づいて、上皿１９（または下皿１５）へ所定数の賞品球が払い出される。
【００３５】
また、始動入賞装置３３は、図２に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには第１の始動口３３ａ用の後述の図１３に示す作動口スイッチ２２４（通過検出スイッチ）が設けられ、この第１の始動口３３ａへの入球をその第１の始動口３３ａ用の作動口スイッチ２２４により検出される。また、下部側の第２の始動口３３ｂには第２の始動口３３ｂ用の後述の図１３に示す作動口スイッチ２２４（通過検出スイッチ）が設けられ、この第２の始動口３３ｂへの入球をその第２の始動口３３ｂ用の作動口スイッチ２２４（図１３参照）により検出される。すなわち、上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００３６】
その他に、図２に示すように、透明遊技盤３０にはアウト口３６が設けられており、各種入賞装置等に入球しなかった遊技球はこのアウト口３６を通って図示しない球排出路の方へと案内される。透明遊技盤３０には、遊技球の落下方向を適宜分散、調整等するために多数の釘が植設されているとともに、風車３７等の各種部材（役物）が配設されている。
【００３７】
可変表示装置ユニット３５は、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００３８】
第１図柄表示装置４０は、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃと、第２の始動口３３ｂへの入球に基づいて変動発光等する複数個（本実施例では２個）の２色発光タイプのＬＥＤ（発光ダイオード）４０ｄ，４０ｅと、このＬＥＤ４０ｄ，４０ｅでの変動表示の保留数を示す保留ランプ４０ｆとを備えている。
【００３９】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００４０】
上記と同様に、第２の始動口３３ｂへの入球に基づいて変動発光等するＬＥＤ４０ｄ，４０ｅは、例えば、赤色と青色に発光可能なものである。第１図柄表示装置４０は、各ＬＥＤ４０ｄ，４０ｅの発光色を交互に変更させることで、第１図柄（本実施例では各ＬＥＤ４０ｄ，４０ｅの発光色態様）の変動表示状態を発生させ、例えば、両方のＬＥＤ４０ｄ，４０ｅが赤色発光状態で停止すると確変大当り（特定当り）を示し、両方のＬＥＤ４０ｄ，４０ｅが青色発光状態で停止すると通常大当り（非特定当り）を示し、両方のＬＥＤ４０ｄ，４０ｅが互いに異なる色の発光状態で停止すると外れを示す。
【００４１】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００４２】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第２の始動口３４を通過した回数は最大４回まで保留され、その保留回数が保留ランプ４１ｃにて点灯表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００４３】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２としてＬＣＤを採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が本発明における装飾識別情報（図柄）変動表示手段に相当し、上述した表示制御装置４５が本発明における表示制御手段に相当する。
【００４４】
図２に示すように、可変入賞装置３２は、通常は遊技球が入賞できない又は入賞し難い閉状態になっており、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。つまり、本実施例のパチンコ機１０は、遊技球の投入数（遊技球発射装置３８による遊技球の遊技領域３０ａへの発射数）の方が、遊技球の賞球払出数（一般入賞口３１、可変入賞装置３２、始動入賞装置３３、第３の始動口３４などへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００４５】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００４６】
上記と同様に、第２の始動口３３ｂに対し遊技球が入賞すると第１図柄表示装置４０の２個のＬＥＤ４０ｄ，４０ｅが変動表示され、その変動停止後のＬＥＤ４０ｄ，４０ｅの表示が予め設定した発光態様の組合せとなった場合に特定遊技状態が発生する。例えば、両方のＬＥＤ４０ｄ，４０ｅが赤色発光状態で停止するという発光態様の場合には、確変大当り（特定当り）の特定遊技状態に当選したことを示し、両方のＬＥＤ４０ｄ，４０ｅが青色発光状態で停止するという発光態様の場合には、通常大当り（非特定当り）の特定遊技状態に当選したことを示し、両方のＬＥＤ４０ｄ，４０ｅが互いに異なる色の発光状態で停止するという発光態様の場合には外れ（特定遊技状態に落選したこと）を示す。
【００４７】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留ランプ４０ｃにて表示される。また、遊技球が第２の始動口３３ｂを通過した回数も最大４回まで保留され、その保留回数が保留ランプ４０ｆにて表示される。なお、保留ランプ４０ｃ，４０ｆは、第３図柄表示装置４２の表示画面の一部で保留表示等される構成等であっても良い。
【００４８】
また、透明遊技盤３０には、図２に示すように、遊技球発射装置３８（図３参照）から発射された遊技球を透明遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に透明遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、透明遊技盤３０との当接面を有した溝状、すなわち手前側を開放した溝状に形成されている。
【００４９】
内レール５１の先端部分（図２の左上部）には戻り球防止部材５３が取着されている。これにより、一旦、内レール５１及び外レール５２間の球案内通路４９から透明遊技盤３０の上部へと案内された遊技球が再度球案内通路４９内に戻ってしまうといった事態が防止されるようになっている。また、透明遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム５４（図２に二点鎖線で示す部材）が位置している。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図２に破線で示すように、外レール５２の先端部から内レール５１の右側先端部までは、内枠１２に形成された壁部６０（図２に破線で示す）が位置することにより、遊技領域３０ａが仕切られている。
【００５０】
なお、透明遊技盤３０の右下隅部は、証紙（例えば製造番号が記載されている）等のシール（図２のＳ１）やプレートを貼着するためのスペースとなっている。透明遊技盤３０の右下隅部に、証紙等のシール（図２のＳ１）を貼着することで、透明遊技盤３０と証紙との一義性を持たせることができる。
【００５１】
次に、透明遊技盤３０の遊技領域３０ａについて説明する。遊技領域３０ａは、図２に示すように、内レール５１と外レール５２との内周部（内外レール）により略縦長円形状に区画形成されており、特に本実施の形態では、透明遊技盤３０の盤面上に区画される当該遊技領域３０ａが大きく構成されている。
【００５２】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は透明遊技盤３０の下端位置によって特定される。また、遊技領域３０ａの上側限界位置は外レール５２によって特定される。
【００５３】
なお、詳しい図面の開示は省略するが、遊技球発射装置３８には、前面枠セット１４の図示省略の球出口（上皿１９の最下流部より通じる球出口）から遊技球が１つずつ供給される。
【００５４】
次に、パチンコ機１０の背面の構成について説明する。図３に示すように、パチンコ機１０は、その背面（実際には内枠１２及び透明遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（図示省略）に分けて搭載して２つの制御基板ユニットを構成し、それら制御基板ユニットを個別に内枠１２又は透明遊技盤３０の裏面に装着するようにしている。この場合、後述する図４に示した主制御装置２６１とサブ制御装置２６２とを、透明遊技盤３０に取り付けられる別々の取付台（図示省略）に搭載してそれぞれユニット化すると共に、後述する図４に示した払出制御装置３１１、発射制御装置３１２及び電源装置３１３を別の取付台（図示省略）に搭載してユニット化している。ここでは便宜上、前者のユニットを「第１制御基板ユニット２０１」と称し、後者のユニットを「第２制御基板ユニット２０２」と称することとする。
【００５５】
なお、本実施例では、透明遊技盤３０の下側領域部分には、図２に破線で示すように、後述する集合通路盤６０が設けられ、遊技領域３０ａのうちでセンターフレーム４７の周囲箇所には透明遊技盤３０の背後にセルシート（装飾シート）が設けられているため、透明遊技盤３０の背後の上述の第１制御基板ユニット２０１や第２制御基板ユニット２０２などが透明遊技盤３０の正面視で透けて見えるようなことがない。また、第３図柄表示装置４２として、遊技領域３０ａのうちで図２で破線で示す集合通路盤６０以外の領域をカバーする、より大型な液晶表示装置を採用するようにしてもよい。
【００５６】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５７】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は透明遊技盤３０の裏面に対して開閉できる構成としている。これは、各ユニット２０１〜２０３やその他構成が前後に重ねて配置されても、隠れた構成等を容易に確認することを可能とするための工夫でもある。
【００５８】
また、透明遊技盤３０の裏面には、各種入賞口などの遊技球の通過を検出するための入賞感知機構などが設けられている。具体的には、透明遊技盤３０表側の一般入賞口３１に対応する位置には入賞口スイッチ２２１が設けられ、可変入賞装置３２にはカウントスイッチ２２３が設けられている。カウントスイッチ２２３は入賞球をカウントするスイッチである。また、第１の始動口３３ａ，第２の始動口３３ｂに対応する位置には第１の始動口３３ａ用の作動口スイッチ２２４と第２の始動口３３ｂ用の作動口スイッチ２２４とがそれぞれ設けられ、第１の始動口３３ａ，第２の始動口３３ｂへの遊技球の入球を当該作動口スイッチ２２４で検出される。第３の始動口３４に対応する位置にはゲートスイッチが設けられ、第３の始動口３４への遊技球の通過を当該ゲートスイッチで検出される。
【００５９】
一般入賞口３１の入賞口スイッチ２２１及び第３の始動口３４のゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、可変入賞装置３２のカウントスイッチ２２３は後述する大入賞口中継端子基板９１に接続され、さらにこの大入賞口中継端子基板９１がやはり主制御基板２６１ａに接続されている。これに対し、第１の始動口３３ａおよび第２の始動口３３ｂの各作動口スイッチ２２４は中継基板を介さずに直接に主制御基板２６１ａに接続されている。
【００６０】
その他図示は省略するが、可変入賞装置３２には、大入賞口３２ａを開放するための大入賞口ソレノイドが設けられ、下部側の第２の始動口３３ｂには、電動役物を開放するための作動口ソレノイドが設けられている。
【００６１】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００６２】
第１制御基板ユニット２０１は、例えば略矩形状の取付台（図示省略）を上下２つ有し、透明遊技盤３０の裏面側から見た状態での下側の取付台２３０（図７〜図９参照）に主制御装置２６１が搭載され、上側の取付台にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは、封印ユニット（図示省略）によって開封不能に連結され、これにより基板ボックス（図示省略）が封印されている。
【００６３】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００６４】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６５】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００６６】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００６７】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できる。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００６８】
次に、裏パックユニット２０３の構成を説明する。裏パックユニット２０３は、図３に示すように、樹脂成形された裏パック３５１と遊技球の払出機構部３５２とを一体化したものである。
【００６９】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて上皿１９に供給される。
【００７０】
また、タンクレール３５６には、当該タンクレール３５６に振動を付加するためのバイブレータ３６０が設けられている。例えば、バイブレータ３６０が例えば２本のネジでタンクレール３５６に締結されて取り付けられる。さらに、バイブレータ３６０は、タンクレール３５６に面接触するのではなく、当該２本のネジの部分で接触しており、バイブレータ３６０による振動がより効果的にタンクレール３５６に伝わる。従って、仮にタンクレール３５６付近で球詰まりが生じた際、バイブレータ３６０が駆動されることで球詰まりが解消される。
【００７１】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされる。
【００７２】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制される。
【００７３】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力される。
【００７４】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００７５】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００７６】
ＲＡＭ５０３は、パチンコ機１０の電源のオフ後においても電源装置３１３からバックアップ電圧が供給されてデータが保持（バックアップ）できる構成としており、ＲＡＭ５０３には、各種のデータ等を一時的に記憶するためのメモリやエリアを備えている。
【００７７】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００７８】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００７９】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成としており、ＲＡＭ５１３には、各種のデータ等を一時的に記憶するためのメモリやエリアを備えている。
【００８０】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８１】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８２】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００８３】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【００８４】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００８５】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００８６】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００８７】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００８８】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８９】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００９０】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００９１】
なお、電源部５４１は、電源部５４１で監視している交流２４ボルトが２４ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００９３】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【００９４】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示される。
【００９５】
続いて、本実施例のパチンコ機１０のさらなる特徴部分について図６〜図１１を用いて説明する。
【００９６】
図６は、実施例１の透明遊技盤３０を前方右上から見た概略斜視図である。図７は、図６の透明遊技盤３０の後方斜視図である。図８は、実施例１の透明遊技盤３０とその背後に位置する集合通路盤６０および主制御装置２６１の取付台２３０とを前方右上から見た概略分解斜視図である。図９は、図８の透明遊技盤３０を後方左上から見た概略分解斜視図である。図１０は、透明遊技盤３０の背面に集合通路盤６０のみが取り付けられた状態の後方斜視図である。図１１は、図１０の集合通路盤６０を本体部品６０Ａのみとした状態の後方斜視図である。
【００９７】
本実施例のパチンコ機１０は、図２を用いて前述したように透明遊技盤３０を備えている。この透明遊技盤３０は、図２に示すように、その前面側に、遊技球が打ち込まれる遊技領域３０ａを備えた透明樹脂製の部材である。
【００９８】
この透明遊技盤３０遊技領域３０ａの下部側箇所には、図２，図６に示すように、始動入賞装置３３と、この始動入賞装置３３の直下に設けられた可変入賞装置３２と、始動入賞装置３３の略両側で離間した箇所に配設された４個の一般入賞口３１と、が設けられている。
【００９９】
なお、図６，図８では、透明遊技盤３０の遊技領域３０ａの下部領域に、一般入賞口３１、可変入賞装置３２、始動入賞装置３３のみを配置した状態を図示し、その他の構成品（センターフレーム４７やレール５１，５２や釘など）の図示を省略している。
【０１００】
また、図６，図８での一般入賞口３１、可変入賞装置３２、始動入賞装置３３は、図２での一般入賞口３１、可変入賞装置３２、始動入賞装置３３と異なる形状のものとしているが、図２での一般入賞口３１、可変入賞装置３２、始動入賞装置３３と同じものとしてもよい。
【０１０１】
また、透明遊技盤３０の裏面には、図６〜図８に示すように、透明遊技盤３０からの遊技球を集めて排出する通路を形成する集合通路盤６０を備えている。具体的には、集合通路盤６０は、図８に示すように、一般入賞口３１、可変入賞装置３２、始動入賞装置３３に入賞した遊技球を集めて当該パチンコ機１０の下部の島設備に設けられた遊技球回収装置（図示省略）に向けて排出する通路を形成するものである。
【０１０２】
透明遊技盤３０は、図６に示すように、一般入賞口３１、可変入賞装置３２、始動入賞装置３３の各配設箇所に貫通孔（後述する一般入賞口用貫通孔５６、始動入賞装置用貫通孔５７および可変入賞装置用貫通孔５８）がそれぞれ当該透明遊技盤３０の前後方向に貫通して形成されているため、これらの一般入賞口３１、可変入賞装置３２、始動入賞装置３３に入賞した遊技球が対応する貫通孔（後述する一般入賞口用貫通孔５６、始動入賞装置用貫通孔５７および可変入賞装置用貫通孔５８）を通過して当該透明遊技盤３０の背後に案内される。
【０１０３】
具体的には、図６に示すように、透明遊技盤３０の一般入賞口３１の配置箇所には、一般入賞口用貫通孔５６が形成されている。また、図６に示すように、透明遊技盤３０の始動入賞装置３３の配置箇所には、始動入賞装置用貫通孔５７が形成されている。また、透明遊技盤３０の可変入賞装置３２の配置箇所には、図９に示すように、可変入賞装置用貫通孔５８が形成されている。
【０１０４】
ここで、集合通路盤６０の前面側構造等について、図１２〜図２４の図面も用いてもう少し詳細に説明する。
【０１０５】
図１２は、可変入賞装置３２および始動入賞装置３３を前面側に対応図示した集合通路盤６０の前方斜視図である。図１３は、図１２の集合通路盤６０の後方斜視図である。図１４は、集合通路盤６０を後方左上から見た斜視図である。図１５は、集合通路盤６０を後方右上から見た斜視図である。図１６は、集合通路盤６０を前方左上から見た斜視図である。図１７は、集合通路盤６０を前方右上から見た斜視図である。図１８は、集合通路盤６０を前方右上から見た斜視図である。図１９は、集合通路盤６０を前方左上から見た斜視図である。図２０は、集合通路盤６０を後方左上から見た斜視図である。図２１は、集合通路盤６０を後方右上から見た斜視図である。図２２（ａ）〜（ｆ）は、その順に、集合通路盤６０の平面図、左側面図、正面図、右側面図、背面図および底面図である。図２３（ａ）〜（ｆ）は、その順に、一般入賞口用通路部品７０の平面図、左側面図、正面図、右側面図、背面図および底面図である。図２４（ａ），（ｂ）は、その順に、始動口用通路部品の前方分解斜視図および後方分解斜視図である。
【０１０６】
集合通路盤６０は、図１７，図１８に示すように、透明遊技盤３０の裏面に取付可能な本体部品６０Ａと、透明遊技盤３０の一般入賞口３１に入賞した遊技球を案内する、本体部品６０Ａに取り付け可能な一般入賞口用通路部品７０と、を備えている。本体部品６０Ａおよび一般入賞口用通路部品７０は、樹脂成型部品としている。
【０１０７】
本体部品６０Ａは、図１８，図１９に示すように、その前面側箇所で下向きに設けられた、透明遊技盤３０からの遊技球を外部へ排出する排出口６１を備えている。
【０１０８】
具体的には、図１６，図１７に示す左側の排出口６１は、透明遊技盤３０の下部左側の２個の一般入賞口３１に入賞した入賞球を下方に排出するためのものである。また、図１６，図１７に示す中央の排出口６１は、透明遊技盤３０の始動入賞装置３３の第２の始動口３３ｂに入賞した入賞球と、可変入賞装置３２に入賞した入賞球とを下方に排出するためのものである。また、図１６，図１７に示す右側の排出口６１は、透明遊技盤３０の下部右側の２個の一般入賞口３１に入賞した入賞球を下方に排出するためのものである。また、始動入賞装置３３の第１の始動口３３ａに入賞した入賞球は、図１７に一点鎖線で示す経路で案内されて、右側の排出口６１から下方に排出される。
【０１０９】
さらに、本体部品６０Ａは、図１８，図１９に示すように、一般入賞口用通路部品７０で案内される遊技球を排出口６１から排出する姿勢状態で当該一般入賞口用通路部品７０が着脱可能に取り付けられる被取付部６３を備えている。
【０１１０】
一般入賞口用通路部品７０は、図２０、図２１および図２３に示すように、本体部品６０Ａの被取付部６３に着脱可能に取り付けるための取付部７１を備えている。
【０１１１】
具体的には、この取付部７１は、図２０，図２３に示すように、一般入賞口用通路部品７０の裏面上部の二箇所に形成された各筒状突起部７２と、これらの筒状突起部７２の各上方箇所に形成された二個の係止爪７３と、一般入賞口用通路部品７０を流下する遊技球の通過を検出する入賞口スイッチ２２１（通過検出センサ：近接センサ）を保持する保持部７４と、を備えている。
【０１１２】
本体部品６０Ａの被取付部６３は、図１８、図１９および図２２（ｃ）に示すように、一般入賞口用通路部品７０の筒状突起部７２が嵌入される嵌合孔部６４と、一般入賞口用通路部品７０の係止爪７３が挿入される被係止孔６５と、一般入賞口用通路部品７０の保持部７４が挿入される挿入口６６とを備えている。
【０１１３】
図１８，図１９に示すように、本体部品６０Ａの被取付部６３には、一般入賞口用通路部品７０の取付部７１が取り付けられる。つまり、本体部品６０Ａの嵌合孔部６４に一般入賞口用通路部品７０の筒状突起部７２が嵌入され、且つ、本体部品６０Ａの被係止孔６５に一般入賞口用通路部品７０の係止爪７３が挿入されて係止されるとともに、本体部品６０Ａの挿入口６６に一般入賞口用通路部品７０の保持部７４が挿入されることで、図１６，図１７に示すように、本体部品６０Ａに一般入賞口用通路部品７０が取り付けられた状態となる。
【０１１４】
さらに、本体部品６０Ａは、図１８，図１９に示すように、被取付部６３を有するとともに、この被取付部６３に取付可能で異なる通路形状の一般入賞口用通路部品７０の装着を許容する許容空間６２ａを形成する許容空間形成壁部６２を備えている。
【０１１５】
また、この許容空間形成壁部６２は、図１６，図１７に示すように、本体部品６０Ａの透明遊技盤３０と対向する側を見た状態でその本体部品６０Ａの周縁箇所のうちで左側上部と左側辺部と右側上部と右側辺部とに、透明遊技盤３０の裏面に当接するように延出した周縁壁部としている。なお、許容空間形成壁部６２を透明遊技盤３０の裏面に近接するようにしてもよい。
【０１１６】
さらに、この本体部品６０Ａは、図２０に示すように、透明遊技盤３０に磁石を近づけたことを検出する磁気検出センサ６７と、この磁気検出センサ６７を支持する磁気検出センサホルダー６８とを備えている。
【０１１７】
この磁気検出センサ６７は、例えば、不正行為者が透明遊技盤３０のガラス板１３７（図１参照）面に磁石を近づけることで、透明遊技盤３０を流下する遊技球を、不正に第１の始動口３３ａ等に入賞させようとする不正行為を検出するためのものである。この磁気検出センサで磁気検出（不正に磁石を近づけたことを検出）は、主制御基板２６１ａあるいはホール側のホストコンピュータ等に出力され、エラー報知（パチンコ機での報知やホール側での報知）や遊技の停止（一部遊技停止）などが行われる。
【０１１８】
この磁気検出センサホルダー６８は、図１８，図１９に示すように、本体部品６０Ａの透明遊技盤３０と対向する側を見た状態でその周縁箇所のうちの一部箇所（本実施例では、左側上部と中央上部の間の箇所と、右側上部と中央上部の間の箇所）に、透明遊技盤３０の裏面に当接するとともに許容空間形成壁部６２に連なるようにして設けられている。なお、磁気検出センサホルダー６８を透明遊技盤３０の裏面に近接するようにしてもよい。
【０１１９】
具体的には、本体部品６０Ａは、図１８，図１９に示すように、磁気検出センサホルダー６８が着脱可能に取り付けられる取付孔６９を備えている。
【０１２０】
磁気検出センサホルダー６８は、図１８，図１９に示すように、本体部品６０Ａの取付孔６９に着脱可能に取り付けるための一対の取付爪６８ａを備えている。
【０１２１】
さらに、本体部品６０Ａは、図１８，図１９に示すように、取付孔６９を有するとともに、取付孔６９に取付可能で異なる形状の磁気検出センサホルダー６８の装着を許容する磁気検出センサホルダー用許容空間８５ａを形成するホルダー用許容空間形成部８５を備えている。
【０１２２】
さらに、本体部品６０Ａは、図１８，図１９に示すように、その前面側の中央上部側箇所に、第１の始動口用通路部品８６が取り付けられている。この第１の始動口用通路部品８６は、透明遊技盤３０の第１の始動口３３ａに入賞した遊技球を案内するものである。さらに、この第１の始動口用通路部品８６は、図２０，図２１に示すように、作動口スイッチ２２４を備えており、第１の始動口用通路部品８６を流下する遊技球が作動口スイッチ２２４で通過検出される。
【０１２３】
具体的には、第１の始動口用通路部品８６は、図２４に示すように、その横幅中央位置から左側にずれた箇所で縦割りされた左側通路部材８６ａおよび右側通路部材８６ｂで構成されている。図１６，図１７に示すように、第１の始動口用通路部品８６での左側通路部材８６ａと右側通路部材８６ｂとの境界面ＢＬは、遊技球が当接する通路の中央箇所から左側にずれた位置となっており、遊技球がこの境界面ＢＬ箇所に当接することが低減されており、境界面ＢＬのガタつきで遊技球がスムーズに流れないなどの問題を低減することができる。
【０１２４】
また、第１の始動口用通路部品８６は、図１６，図１７に示すように、その入口部８６ｃが、本体部品６０Ａの透明遊技盤３０と対向する側を見た状態でその周縁箇所のうちの一部箇所である中央上部に、透明遊技盤３０の裏面に当接するようにして設けられている。なお、第１の始動口用通路部品８６の入口部８６ｃを透明遊技盤３０の裏面に近接するようにしてもよい。
【０１２５】
なお、第２の始動口３３ｂに入賞した遊技球は、図１６に示すように、第１の始動口用通路部品８６の下部のコノ字状の切り欠き部８６ｄを通って可変入賞装置３２の上部に案内され、可変入賞装置３２の図示省略の通路を通って、中央の排出口６１から下方に排出される。また、第２の始動口３３ｂに入賞した遊技球は、可変入賞装置３２の図示省略の通路に設けられた作動口スイッチ２２４で通過検出される。
【０１２６】
ここで、集合通路盤６０の裏面側構造等について、図２５〜図３２の図面も用いてもう少し詳細に説明する。
【０１２７】
図２５（ａ）〜（ｆ）は、その順に、左カバー部品１６１の平面図、左側面図、正面図、右側面図、背面図および底面図である。図２６（ａ）〜（ｆ）は、その順に、右カバー部品１６２の平面図、左側面図、正面図、右側面図、背面図および底面図である。図２７（ａ），（ｂ）は、その順に、中継基板部品９０の前方分解斜視図および後方分解斜視図である。図２８（ａ）〜（ｆ）は、その順に、中継基板ベース９３の平面図、左側面図、正面図、右側面図、背面図および底面図である。図２９（ａ）〜（ｆ）は、その順に、中継基板カバー９５の平面図、右側面図、背面図、左側面図、正面図および底面図である。図３０（ａ）〜（ｃ）は、中継基板部品９０のかしめを解除する手順を示す背面図である。図３１（ａ）〜（ｃ）は、中継基板部品９０のかしめを解除する手順を示す斜視図である。図３２は、異機種の一般入賞口用通路部品７０が取り付け可能なことを示す集合通路盤６０の正面図である。図３３は、集合通路盤６０の背面に配設されたＬＥＤ基板１５０でのＬＥＤ１５１の配置箇所と一般入賞口用通路部品７０との対応関係を示す図である。
【０１２８】
まず、集合通路盤６０の裏面側中央箇所に設けられた中継基板部品９０について説明する。
【０１２９】
前述したように本実施例１のパチンコ機１０は、図４に示すように、遊技を統括的に制御する主制御装置２６１を備えている。
【０１３０】
また、集合通路盤６０の裏面側中央箇所には、図１４，図１５に示すように、主制御装置２６１の主制御基板２６１ａ（図４参照）と可変入賞装置３２のカウントスイッチ２２３との電気的接続を中継する大入賞口中継端子基板９１を有する中継基板部品９０を備えている。
【０１３１】
ここで、中継基板部品９０の構成について説明する。中継基板部品９０は、図２７に示すように、大入賞口中継端子基板９１と中継基板ベース９３と中継基板カバー９５とを備えている。
【０１３２】
具体的には、中継基板ベース９３は、図２７（ｂ）に示すように、大入賞口中継端子基板９１が入れられる開口部を正面視した状態で奥側に窪んだ空間であって大入賞口中継端子基板９１を収容するための窪み空間部９３ａを有している。
【０１３３】
中継基板カバー９５は、図２７（ｂ）に示すように、大入賞口中継端子基板９１が窪み空間部９３ａに収容された状態（図３１（ａ）参照）の中継基板ベース９３における開口部の開口右辺側の端部が嵌入される嵌入部９５ａを有するとともに、図３１（ａ）に示すように、嵌入部９５ａに中継基板ベース９３の端部が挿入された状態で開口部の開口右辺側を覆うものである。
【０１３４】
さらに、中継基板ベース９３は、図２８（ｅ）に示すように、中継基板ベース９３の窪み空間部９３ａに収容された状態の大入賞口中継端子基板９１における中継基板カバー９５の存する箇所とは反対側の箇所を少なくとも開口部から出せないように規制する止め板部９３ｂを備えている。つまり、大入賞口中継端子基板９１が中継基板ベース９３の窪み空間部９３ａに収容された状態では、図３０に破線で示すように、大入賞口中継端子基板９１の左辺箇所が止め板部９３ｂによって外れ出ないように規制している。
【０１３５】
さらに、中継基板ベース９３は、図２７，図２８に示すように、中継基板カバー９５の嵌入部９５ａに中継基板ベース９３の端部が嵌入された状態で当該中継基板カバー９５を取り外し不可に係止するための係止部９３ｃを備えている、また、中継基板カバー９５は、図２７，図２９に示すように、中継基板ベース９３の係止部９３ｃに係止される被係止部９５ｃが形成されている。
【０１３６】
また、中継基板カバー９５は、図２９〜図３１に破線で示すように、中継基板ベース９３の開口部の開口右辺側の覆いを除去するべく破壊されるかしめ解除用被破壊部９５ｂを備えている。
【０１３７】
中継基板カバー９５の嵌入部９５ａは、図２９（ｂ），図３１（ｂ），（ｃ）に示すように、中継基板ベース９３の挿入端部（図２７（ｂ）参照）に当接する抜け規制壁部９５ｄを備えている。
【０１３８】
また、図２を用いて前述したように、透明遊技盤３０の遊技領域３０ａには、遊技球が入賞可能な第１の始動口３３ａが配設されている。そして、図１４，図１５，図２４に示すように、第１の始動口３３ａへの遊技球の入賞検出が作動口スイッチ２２４によって行われる。また、中継基板ベース９３は、図２７，図２８に示すように、その開口部を正面視した状態で窪み空間部９３ａの所定箇所に、作動口スイッチ２２４が挿入される第１貫通孔９３ｅを備えている。また、大入賞口中継端子基板９１は、図２７，図３１に示すように、中継基板ベース９３の窪み空間部９３ａに収容された状態で第１貫通孔９３ｅに対応する箇所（第１貫通孔９３ｅと連通する箇所）に、第１貫通孔９３ｅに挿入される作動口スイッチ２２４が挿入される第２貫通孔９１ｅを備えている。
【０１３９】
図１４，図１５に示すように、中継基板部品９０での中継基板カバー９５の取り外し方向側箇所（中継基板カバー９５の右端箇所）には、後述する右カバー部品１６２が当接するように配設されている。なお、中継基板カバー９５の右端箇所に右カバー部品１６２が近接するように配設してもよい。
【０１４０】
ここで、中継基板部品９０の集合通路盤６０への固定構造について説明する。
【０１４１】
図１０を用いて前述したように、透明遊技盤３０の裏面には、当該透明遊技盤３０からの遊技球を集めて排出する集合通路盤６０が配設されている。また、図１６，図１７に示すように、集合通路盤６０の前面側の配設位置（中央上部箇所）には、第１の始動口３３ａに入賞した遊技球を案内する第１の始動口用通路部品８６が配設されている。
【０１４２】
また、第１の始動口用通路部品８６は、図２０，図２１に示すように、始動口用通路支持部品８７によって集合通路盤６０の本体部品６０Ａに支持されている。具体的には、始動口用通路支持部品８７は、第１の始動口用通路部品８６を支持した状態で集合通路盤６０の本体部品６０Ａでの配設位置（中央上部位置）に配設され、この中央上部位置に対向する箇所にネジ穴８７ａが形成されたものである。
【０１４３】
図１８，図２０に示すように、集合通路盤６０の本体部品６０Ａの中央上部位置には、ネジ（図示省略）が挿入される貫通孔８４が形成されている。
【０１４４】
中継基板ベース９３は、図１８，図２０に示すように、集合通路盤６０の裏面で中央上部位置に対応する箇所に取り付けられ、その開口部を正面視した状態で窪み空間部９３ａで貫通孔８４の対応する箇所に、ネジ挿入孔９３ｄが形成されている。
【０１４５】
図１８，図２０に示すように、中継基板ベース９３のネジ挿入孔９３ｄと集合通路盤６０の本体部品６０Ａの貫通孔８４とに挿入されたネジ（図示省略）を始動口用通路支持部品８７のネジ穴８７ａに螺入することで、始動口用通路支持部品８７が集合通路盤６０の中央上部位置に固定されるとともに中継基板ベース９３が集合通路盤６０の裏面で中央上部位置に対応する箇所に固定される。
【０１４６】
次に、図２０に示すように、集合通路盤６０の裏面側の左右箇所に設けられたＬＥＤ基板１５０と、それを覆う左カバー部品１６１および右カバー部品１６２について説明する。
【０１４７】
集合通路盤６０は、図２０，図２１に示すように、本体部品６０Ａの裏面に配設された、発光する図３３に示すＬＥＤ１５１（発光ダイオード）を実装したＬＥＤ基板１５０と、本体部品６０Ａの裏面側で且つ当該本体部品６０Ａの一般入賞口用通路部品７０の存する箇所の背面側箇所を一部に含む箇所に設けられた、ＬＥＤ基板１５０が設けられる被配設部１４０（図１１，図２２（ｅ）参照）と、を備えている。なお、このＬＥＤ１５１は複数種類の有色光が発光可能なものとしてもよいし、単色光発光タイプのものを採用してもよい。
【０１４８】
ＬＥＤ基板１５０は、図２０，図２１に示すように、本体部品６０Ａの被配設部１４０に配設可能で当該被配設部１４０と共通形状であるとともに、図３３に示すように、被配設部１４０への配設状態で一般入賞口用通路部品７０が対応する箇所以外の箇所にＬＥＤ１５１を実装している。
【０１４９】
また、被配設部１４０およびＬＥＤ基板１５０は、他機種のパチンコ機と共通化とした形状である。つまり、集合通路盤６０の本体部品６０Ａの被配設部１４０およびＬＥＤ基板１５０の形状（特に輪郭）は、他機種のパチンコ機でのそれと共通化されている。
【０１５０】
また、被配設部１４０およびＬＥＤ基板１５０は、当該パチンコ機１０を前面視した状態で、許容空間形成壁部６２により形成される許容空間６２ａの領域と、一般入賞口３１が配置され得る遊技領域３０ａとが重なる領域を覆う大きさでもある（後述する図３３参照）。
【０１５１】
また、図２０，図２１に示すように、被配設部１４０に取り付けられた状態のＬＥＤ基板１５０を覆うようにして被配設部１４０に取付可能な左カバー部品１６１および右カバー部品１６２を備えている。
【０１５２】
左カバー部品１６１および右カバー部品１６２は、図２０，図２５，図２６に示すように、ＬＥＤ基板１５０の基板面と対向する側とは反対側である外側面を平坦面としている。
【０１５３】
本体部品６０Ａは、図２０に示すように、被配設部１４０を見た状態で、当該被配設部１４０と隣接する隣接領域１４１の所定箇所に、一般入賞口３１に入賞した遊技球の通過検出する入賞口スイッチ２２１を備えている。
【０１５４】
本体部品６０Ａは、図２０，図２１に示すように、本体部品６０Ａの被配設部１４０を見た状態で、本体部品６０Ａでの当該被配設部１４０および隣接領域１４１からなる全体領域の周囲箇所に突出した外周壁部１４３が形成されている。
【０１５５】
左カバー部品１６１および右カバー部品１６２は、図１４，図１５，図２０に示すように、本体部品６０Ａの被配設部１４０および隣接領域１４１からなる全体領域の外周壁部１４３内に嵌入されて本体部品６０Ａに取り付けられている。つまり、左カバー部品１６１および右カバー部品１６２は、図１４，図１５，図２０に示すように、本体部品６０Ａの被配設部１４０および隣接領域１４１からなる全体領域を覆っている。
【０１５６】
また、左カバー部品１６１および右カバー部品１６２は、図１３〜図１５、図１９および図２０に示すように、中継基板部品９０の端部と対向する箇所に配線用切り欠き部１６３を備えている。入賞口スイッチ２２１に接続された図示省略の配線は、左カバー部品１６１および右カバー部品１６２の配線用切り欠き部１６３を通してそれぞれ主制御基板２６１ａに接続されている。
【０１５７】
なお、上述した透明遊技盤３０が本発明における遊技盤に相当し、上述した集合通路盤６０が本発明における集合板に相当し、上述した一般入賞口３１、可変入賞装置３２、始動入賞装置３３が本発明における入賞部品に相当し、上述した一般入賞口用貫通孔５６、始動入賞装置用貫通孔５７、可変入賞装置用貫通孔５８が本発明における貫通孔に相当し、上述した一般入賞口用通路部品７０が本発明における通路部品に相当し、上述した許容空間形成壁部６２が本発明における許容空間形成部、周縁壁部に相当し、上述した磁気検出センサ６７が本発明における磁気検出手段に相当し、上述した磁気検出センサホルダー６８が本発明における支持部品に相当し、上述した取付孔６９が本発明における支持部品用被取付部に相当し、上述した取付爪６８ａが本発明における取付部に相当し、上述したホルダー用許容空間形成部８５が本発明における支持部品用許容空間形成部に相当する。
【０１５８】
また、上述した主制御装置２６１が本発明における制御装置に相当し、上述したカウントスイッチ２２３が本発明における電気部品に相当し、上述した大入賞口中継端子基板９１が本発明における基板、中継基板に相当し、上述した中継基板部品９０が本発明における基板部品、中継部品に相当し、上述した中継基板ベース９３が本発明における容器本体に相当し、上述した中継基板カバー９５が本発明における覆い部材に相当し、上述した止め板部９３ｂが本発明における規制部に相当し、上述した係止部９３ｃ、被係止部９５ｃが本発明における係止手段に相当し、上述したかしめ解除用被破壊部９５ｂが本発明における覆い解除用被破壊部に相当し、上述した右カバー部品１６２が本発明における他部品に相当し、上述した抜け規制壁部９５ｄが本発明における抜け規制部に相当し、上述した作動口スイッチ２２４が本発明における入賞検出手段に相当し、上述した第１貫通孔９３ｅが本発明における第１貫通部に相当し、上述した第２貫通孔９１ｅが本発明における第２貫通部に相当し、上述した第１の始動口用通路部品８６が本発明における通路部品に相当し、上述した始動口用通路支持部品８７が本発明における支持部材に相当する。
【０１５９】
また、上述した一般入賞口用通路部品７０が本発明における通路部に相当し、上述したＬＥＤ１５１が本発明における発光部に相当し、上述したＬＥＤ基板１５０が本発明における発光部実装基板に相当し、上述した左カバー部品１６１、右カバー部品１６２が本発明におけるカバー部材に相当し、上述した入賞口スイッチ２２１が本発明における遊技球通過検出センサに相当する。
【０１６０】
ここで、中継基板部品９０の集合通路盤６０への取付手順について説明する。
【０１６１】
図１８に示すように、第１の始動口用通路部品８６を挟持した状態の始動口用通路支持部品８７を、集合通路盤６０の本体部品６０Ａの中央上部位置に合わせた状態とするとともに、図２０に示すように、中継基板ベース９３のみを本体部品６０Ａの裏面側の中央上部位置に合わせた状態とし、中継基板ベース９３のネジ挿入孔９３ｄと本体部品６０Ａの貫通孔８４とに、当該中継基板ベース９３の開口部側からネジ（図示省略）を挿入して始動口用通路支持部品８７のネジ穴８７ａに螺入することで、本体部品６０Ａの前側に第１の始動口用通路部品８６を固定するとともに、本体部品６０Ａの後側に中継基板ベース９３が固定される。
【０１６２】
続いて、図２７（ｂ）に示すように、大入賞口中継端子基板９１の左端側を、中継基板ベース９３の開口部の左端側の止め板部９３ｂの裏側に入れてから、当該大入賞口中継端子基板９１の右端側を中継基板ベース９３の窪み空間部９３ａに挿入する。
【０１６３】
続いて、前記のように大入賞口中継端子基板９１が中継基板ベース９３の窪み空間部９３ａに収納された状態において、中継基板カバー９５を中継基板ベース９３の右端側に挿入することで、図３１（ａ）に示すように、中継基板ベース９３の係止部９３ｃが中継基板カバー９５の被係止部９５ｃに係止される。
【０１６４】
この係止状態では、中継基板ベース９３の右端部が中継基板カバー９５の抜け規制壁部９５ｄに当接しているため、中継基板カバー９５をそれ以上挿入方向に進行させることはできないし、中継基板カバー９５ではなく中継基板ベース９３を挿入方向にさらに進行させることもできない。また、中継基板ベース９３の係止部９３ｃが中継基板カバー９５の被係止部９５ｃに係止しているため、中継基板カバー９５を抜き方向に抜き出すこともできないし、中継基板カバー９５ではなく中継基板ベース９３を抜き方向に抜き出すこともできない。よって、大入賞口中継端子基板９１が中継基板ベース９３にかしめられた状態となっている。
【０１６５】
次に、大入賞口中継端子基板９１のかしめを解除する手順について説明する。
【０１６６】
図３０（ｂ），図３１（ｂ）に二点鎖線で示すように、中継基板カバー９５のかしめ解除用被破壊部９５ｂを切断工具を用いて切断する。
【０１６７】
中継基板カバー９５のかしめ解除用被破壊部９５ｂが切断されると、図３０（ｃ），図３１（ｃ）に示すように、中継基板カバー９５の正面側部分であって大入賞口中継端子基板９１を覆っていた部分９６（切断片）が除去される。
【０１６８】
中継基板ベース９３の窪み空間部９３ａから大入賞口中継端子基板９１の右端側を取り出すようにして、当該大入賞口中継端子基板９１を中継基板ベース９３に対して斜め姿勢とし、その斜め姿勢で右側方向にこの大入賞口中継端子基板９１を引き出すことで、中継基板ベース９３の左端側の止め板部９３ｂによる規制を受けずに大入賞口中継端子基板９１を中継基板ベース９３から取り出すことができる。
【０１６９】
ここで、集合通路盤６０の本体部品６０Ａの正面側の許容空間６２ａに、異機種の一般入賞口用通路部品７０が取付可能である点について、図３２を用いて以下に説明する。
【０１７０】
図３２に示すように、集合通路盤６０の本体部品６０Ａの正面側の許容空間６２ａには、実線で示す本機種の一般入賞口用通路部品７０が取り付けられている。
【０１７１】
具体的には、図１８，図１９に示すように、一般入賞口用通路部品７０の取付部７１を本体部品６０Ａの被取付部６３に取り付けることで、一般入賞口用通路部品７０が本体部品６０Ａに取り付けられている。
【０１７２】
例えば、図３２に実線で示す一般入賞口用通路部品７０を取り外して、異機種の一般入賞口用通路部品７０Ａを取り付けることができる。異機種の一般入賞口用通路部品７０Ａは、当該異機種の遊技盤での一般入賞口の配設位置に対応するべく、図３２に示すように、破線で示す通路部を備えた形状のものであるとする。つまり、この異機種の一般入賞口用通路部品７０Ａは、集合通路盤６０の被取付部６３に対応する箇所に前記と同様に取付部７１を備えており、その通路形状のみが異なるものである。
【０１７３】
このように、異機種の一般入賞口用通路部品７０Ａも集合通路盤６０の本体部品６０Ａに取り付け可能であるし、取り外しも容易である。
【０１７４】
上述したように、本実施例１のパチンコ機１０によれば、遊技球が打ち込まれる遊技領域３０ａが前面側に形成された透明遊技盤３０と、この透明遊技盤３０の裏面に配設された、透明遊技盤３０からの遊技球を集めて排出する集合通路盤６０と、を備え、透明遊技盤３０は、遊技領域３０ａの所定箇所に設けられた、遊技球が入球可能な一般入賞口３１と、この一般入賞口３１に入賞した遊技球が通過可能なように一般入賞口３１の配設箇所に前後方向に貫通形成された一般入賞口用貫通孔５６とを備え、集合通路盤６０は、透明遊技盤３０の裏面箇所に取付可能な本体部品６０Ａと、本体部品６０Ａの前面側に設けられた、透明遊技盤３０からの遊技球を案内する一般入賞口用通路部品７０と、集合通路盤６０の裏面に配設された、発光するＬＥＤ１５１を実装したＬＥＤ基板１５０と、本体部品６０Ａの裏面側で且つ当該本体部品６０Ａの一般入賞口用通路部品７０の存する箇所の背面側箇所を一部に含む箇所に設けられた、ＬＥＤ基板１５０が設けられる被配設部１４０と、を備え、ＬＥＤ基板１５０は、本体部品６０Ａの被配設部１４０に配設可能で当該被配設部１４０と共通形状であるとともに、被配設部１４０への配設状態で一般入賞口用通路部品７０が対応する箇所以外の箇所にＬＥＤ１５１を実装している。
【０１７５】
したがって、被配設部１４０は、集合通路盤６０の本体部品６０Ａの裏面側で、当該本体部品６０Ａの一般入賞口用通路部品７０の存する箇所の背面側箇所を一部に含む箇所に設けられており、ＬＥＤ基板１５０は、本体部品６０Ａの被配設部１４０に取り付け可能で当該被配設部１４０と共通形状であるとともに、被配設部１４０への配設状態で一般入賞口用通路部品７０が対応する箇所（ＬＥＤ基板１５０において一般入賞口用通路部品７０が平行投影される箇所）以外の箇所にＬＥＤ１５１を実装しているので、ＬＥＤ基板１５０は、本体部品６０Ａの裏面側の被配設部１４０と共通な形状とすることができ、集合通路盤６０での一般入賞口用通路部品７０を避ける位置に配置できる形状とする必要がないことから、ＬＥＤ基板１５０が歪な形状となることがないし、細分化により小型の発光部実装基板が複数枚必要になることもない。また、集合通路盤６０は、その被配設部１４０を、一般入賞口用通路部品７０を有する前面側ではなく、裏面側に設けているので、ＬＥＤ基板１５０を取り付けるための取付ボスの配置位置について、一般入賞口用通路部品７０を避ける位置を考慮する必要がない。
【０１７６】
仮に、遊技機の機種変更があり、集合通路盤６０の前面側の一般入賞口用通路部品７０の形状が変更された場合でも、集合通路盤６０の裏面側の被配設部１４０およびＬＥＤ基板１５０の形状をそのままを維持でき、ＬＥＤ基板１５０でのＬＥＤ１５１の実装位置を一般入賞口用通路部品７０を回避する位置に変更する設計変更で対応でき、機種変更に伴う集合通路盤６０およびＬＥＤ基板１５０の設計変更の負担を低減できる。
【０１７７】
その結果、ＬＥＤ基板１５０（ＬＥＤ実装基板）を備えた集合通路盤６０（入賞球集合通路部品）について遊技機機種変更に伴う設計変更負担を低減できる遊技機を提供することができる。
【０１７８】
また、被配設部１４０およびＬＥＤ基板１５０は、他機種の遊技機と共通化とした形状であるので、集合通路盤６０の本体部品６０Ａの被配設部１４０およびＬＥＤ基板１５０の形状（特に言えば輪郭）については、機種変更があってもそのままとすることができ、ＬＥＤ基板１５０でのＬＥＤ１５１の実装位置を一般入賞口用通路部品７０を回避する位置に変更する設計変更（回路パターンの設計変更）で対応でき、機種変更に伴う集合通路盤６０およびＬＥＤ基板１５０の設計変更の負担を低減できる。
【０１７９】
また、左カバー部品１６１および右カバー部品１６２は、被配設部１４０に取り付けられた状態のＬＥＤ基板１５０を覆うようにして被配設部１４０に取り付けられる。この左カバー部品１６１および右カバー部品１６２は、ＬＥＤ基板１５０の基板面と対向する側とは反対側である外側面を平坦面としているので、当該遊技機の配線が左カバー部品１６１および右カバー部品１６２の外側面で引っ掛かることを低減できる。また、この左カバー部品１６１および右カバー部品１６２の平坦面にスペーサ部材を配設することができ、左カバー部品１６１および右カバー部品１６２の平坦面の外側の空き空間を不正に利用する（空き空間に不正な基板などを設ける）ことを低減できる。また、本体部品６０Ａでの被配設部１４０の厚み位置が他機種の遊技機において統一化されているので、同一のスペーサを使用することができ、機種ごとのスペーサを用意することを解消できる。
【０１８０】
また、本体部品６０Ａは、被配設部１４０を見た状態で当該被配設部１４０と隣接する隣接領域１４１の所定箇所に、一般入賞口３１に入賞した遊技球の通過検出する入賞口スイッチ２２１を備えている。また、この本体部品６０Ａは、被配設部１４０を見た状態で当該被配設部１４０および隣接領域１４１の全体領域の周囲箇所に突出した外周壁部１４３が形成されている。左カバー部品１６１および右カバー部品１６２は、本体部品６０Ａの被配設部１４０および隣接領域１４１からなる全体領域の外周壁部１４３内に嵌入された状態で本体部品６０Ａに取り付けられているので、ＬＥＤ基板１５０および入賞口スイッチ２２１を左カバー部品１６１および右カバー部品１６２で覆うことができるのみならず、本体部品６０Ａと左カバー部品１６１および右カバー部品１６２との境界形状を断面視でＬ字形状とすることができ、本体部品６０Ａと左カバー部品１６１および右カバー部品１６２との隙間に不正な細状部材を挿入して左カバー部品１６１および右カバー部品１６２を不正に開封しようとすることを低減できる。
【０１８１】
また、遊技球が打ち込まれる遊技領域３０ａが前面側に形成された透明遊技盤３０と、この透明遊技盤３０の裏面に配設されて透明遊技盤３０からの遊技球を集めて排出する通路を形成する集合通路盤６０とを備え、透明遊技盤３０は、遊技領域３０ａの所定箇所に設けられた、遊技球が入球可能な一般入賞口３１、可変入賞装置３２、始動入賞装置３３と、これらの一般入賞口３１、可変入賞装置３２、始動入賞装置３３に入賞した遊技球が通過可能なように一般入賞口３１、可変入賞装置３２、始動入賞装置３３の配設箇所に前後方向に貫通形成された一般入賞口用貫通孔５６、始動入賞装置用貫通孔５７、可変入賞装置用貫通孔５８とを備え、集合通路盤６０は、透明遊技盤３０の裏面に取付可能な本体部品６０Ａと、透明遊技盤３０からの遊技球を案内する、本体部品６０Ａに取り付け可能な一般入賞口用通路部品７０と、を備え、本体部品６０Ａは、遊技球を排出するための排出口６１と、一般入賞口用通路部品７０で案内される遊技球を排出口６１から排出する姿勢状態で当該一般入賞口用通路部品７０が着脱可能に取り付けられる被取付部６３と、被取付部６３に取付可能で通路とは異なる通路形状とする一般入賞口用通路部品７０の装着を許容する許容空間６２ａを形成する許容空間形成壁部６２とを備え、一般入賞口用通路部品７０は、本体部品６０Ａの被取付部６３に着脱可能に取り付けるための取付部７１を備えている。
【０１８２】
したがって、例えば新機種の一般入賞口用通路部品７０を本体部品６０Ａの許容空間６２ａに取り付けることで、新機種用の集合通路盤６０を形成することができ、集合通路盤６０の本体部品６０Ａは共通部品として異機種の遊技機にも使用することができ、異機種の遊技機についても同一の金型で集合通路盤６０の本体部品６０Ａを製造することができる。つまり、集合通路盤６０の本体部品６０Ａについては、機種変更の有無にかかわらず、本体部品６０Ａ用金型で製作すればよく、機種変更があってもこの金型を作り変える必要がないことから、機種変更に伴う本体部品６０Ａのコストを低減できる。また、機種変更によって再製作されるのは、集合通路盤６０の本体部品６０Ａではなく、集合通路盤６０での小型の一般入賞口用通路部品７０であり、一般入賞口用通路部品７０用金型も小型であるため、機種変更に伴って小型の一般入賞口用通路部品７０用金型を製作するだけでよく、集合通路盤６０の大型な本体部品６０Ａ用金型を製作するわけではないことから、機種変更に伴う集合通路盤６０の金型の製作コストを低減できる。特に、少数多機種の遊技機を生産するような場合にも割安で低コストで対応することができる。その結果、機種変更にも低コストで対応できる集合通路盤６０（入賞球集合通路部品）を備えた遊技機を提供することができる。
【０１８３】
また、本体部品６０Ａおよび一般入賞口用通路部品７０は、樹脂成型部品であるので、集合通路盤６０の本体部品６０Ａについては、機種変更の有無にかかわらず、本体部品６０Ａ用の樹脂成型金型で製作すればよく、機種変更があってもこの金型を作り変える必要がないことから、機種変更に伴う本体部品６０Ａのコストを低減できる。また、機種変更によって再製作されるのは、集合通路盤６０の本体部品６０Ａではなく、集合通路盤６０での小型の一般入賞口用通路部品７０であり、一般入賞口用通路部品７０用の樹脂成型金型も小型であるため、機種変更に伴って小型の一般入賞口用通路部品７０用金型を製作するだけでよく、集合通路盤６０の大型な本体部品６０Ａ用金型を製作するわけではないことから、機種変更に伴う集合通路盤６０の金型の製作コストを低減できる。特に、少数多機種の遊技機を生産するような場合にも割安で低コストで対応することができる。その結果、機種変更にも低コストで対応できる集合通路盤６０（入賞球集合通路部品）を備えた遊技機を提供することができる。
【０１８４】
また、本体部品６０Ａを透明遊技盤３０と対向する側を見た状態において、この本体部品６０Ａの周縁箇所のうちの少なくとも一部には、透明遊技盤３０の裏面に当接または近接するように延出した許容空間形成壁部６２が設けられているので、透明遊技盤３０の裏面に本体部品６０Ａが取り付けられた状態では、この本体部品６０Ａの許容空間形成壁部６２と透明遊技盤３０の裏面との間に不正基板などを挿入することが困難であり、本体部品６０Ａでの透明遊技盤３０と対向する側に不正基板などを不正に設けることを低減できる。
【０１８５】
また、本体部品６０Ａは、透明遊技盤３０に磁石を近づけたことを検出する磁気検出センサ６７と、この磁気検出センサ６７を支持する磁気検出センサホルダー６８とを備えているので、透明遊技盤３０に不正に磁石を近づけたことを検出でき、透明遊技盤３０に不正に磁石を近づけて遊技球を入賞部品（一般入賞口３１、可変入賞装置３２、始動入賞装置３３）に不正に入賞させることを低減できる。また、磁気検出センサホルダー６８は、本体部品６０Ａの透明遊技盤３０と対向する側を見た状態でその周縁箇所のうちの一部箇所に、透明遊技盤３０の裏面に当接または近接するとともに許容空間形成壁部６２（周縁壁部）に連なるようにして設けられているので、磁気検出センサホルダー６８自体を本体部品６０Ａの許容空間形成壁部６２（周縁壁部）としても機能させることができ、本体部品６０Ａの磁気検出センサホルダー６８と透明遊技盤３０の裏面との間に不正基板などを挿入することが困難であり、本体部品６０Ａでの透明遊技盤３０と対向する側に不正基板などを不正に設けることを低減できる。
【０１８６】
また、本体部品６０Ａは、磁気検出センサホルダー６８が着脱可能に取り付けられる取付孔６９を備え、磁気検出センサホルダー６８は、本体部品６０Ａの取付孔６９に着脱可能に取り付けるための取付爪６８ａを備え、本体部品６０Ａは、取付孔６９を有するとともに、取付孔６９に取付可能で異なる形状の磁気検出センサホルダー６８の装着を許容するホルダー用許容空間を形成するホルダー用許容空間形成部８５を備えている。したがって、例えば新機種の磁気検出センサホルダー６８を本体部品６０Ａに取り付けることで、新機種用の磁気検出センサ６７を備えた集合通路盤６０を形成することができ、集合通路盤６０の本体部品６０Ａは共通部品として異機種の遊技機にも使用することができ、異機種の遊技機についても同一の金型で集合通路盤６０の本体部品６０Ａを製造することができる。つまり、集合通路盤６０の本体部品６０Ａについては、機種変更の有無にかかわらず、本体部品６０Ａ用金型で製作すればよく、機種変更があってもこの金型を作り変える必要がないことから、機種変更に伴う本体部品６０Ａのコストを低減できる。また、機種変更によって再製作されるのは、集合通路盤６０の本体部品６０Ａではなく、集合通路盤６０での小型の磁気検出センサホルダー６８であり、磁気検出センサホルダー６８用金型も小型であるため、機種変更に伴って小型の磁気検出センサホルダー６８用金型を製作するだけでよく、集合通路盤６０の大型な本体部品６０Ａ用金型を製作するわけではないことから、機種変更に伴う集合通路盤６０の金型の製作コストを低減できる。特に、少数多機種の遊技機を生産するような場合にも割安で低コストで対応することができる。その結果、機種変更にも低コストで対応できる集合通路盤６０（入賞球集合通路部品）を備えた遊技機を提供することができる。
【０１８７】
また、一般入賞口用通路部品７０は、その少なくとも一部が、本体部品６０Ａの透明遊技盤３０と対向する側を見た状態でその周縁箇所のうちの一部箇所に、透明遊技盤３０の裏面に当接または近接するようにして設けられているので、一般入賞口用通路部品７０自体を本体部品６０Ａの許容空間形成壁部６２（周縁壁部）としても機能させることができ、本体部品６０Ａの一般入賞口用通路部品７０と透明遊技盤３０の裏面との間に不正基板などを挿入することが困難であり、本体部品６０Ａでの透明遊技盤３０と対向する側に不正基板などを不正に設けることを低減できる。
【０１８８】
また、遊技についての所定の制御を行う主制御装置２６１と、主制御装置２６１と他のカウントスイッチ２２３との電気的接続を中継する大入賞口中継端子基板９１を有する中継基板部品９０と、を備えた遊技機において、中継基板部品９０は、大入賞口中継端子基板９１が入れられる開口部を正面視した状態で奥側に窪んだ空間であって大入賞口中継端子基板９１を収容するための窪み空間部９３ａを有する中継基板ベース９３と、大入賞口中継端子基板９１が窪み空間部９３ａに収容された状態の中継基板ベース９３における開口部の開口一辺側である端部が嵌入される嵌入部９５ａを有するとともに、嵌入部９５ａに中継基板ベース９３の端部が挿入された状態で開口部の開口一辺側を覆う中継基板カバー９５と、中継基板ベース９３の窪み空間部９３ａに収容された状態の大入賞口中継端子基板９１における中継基板カバー９５の存する箇所とは反対側の箇所を少なくとも開口部から出せないように規制する止め板部９３ｂと、中継基板カバー９５の嵌入部９５ａに中継基板ベース９３の端部が嵌入された状態で当該中継基板カバー９５を取り外し不可に係止する係止部９３ｃおよび被係止部９５ｃと、を備えている。
【０１８９】
したがって、中継基板部品９０の中継基板ベース９３に収容された大入賞口中継端子基板９１の一端側は、止め板部９３ｂによって中継基板ベース９３の開口部から出せないように規制されており、且つ、その大入賞口中継端子基板９１の他端側は、中継基板カバー９５が中継基板ベース９３の開口部の開口一辺側を覆うことによって、中継基板ベース９３の開口部から出せないように規制されているので、大入賞口中継端子基板９１を中継基板ベース９３から取り外せないようにすることができる。しかも、係止部９３ｃおよび被係止部９５ｃによって中継基板カバー９５が中継基板ベース９３に対して取り外し不可に係止されているので、中継基板カバー９５を取り外して大入賞口中継端子基板９１を中継基板ベース９３から取り出そうとすることもできない。よって、大入賞口中継端子基板９１を中継基板ベース９３にネジ止めすることなく中継基板部品９０を組み立てることができ、その組み立て状態では大入賞口中継端子基板９１が中継基板ベース９３にかしめられている。
【０１９０】
また、大入賞口中継端子基板９１をいわゆる主制御基板などのかしめ機構付きケースに内包する構成を採用しないので、大入賞口中継端子基板９１に対して比較的に大きなかしめ機構が中継基板部品９０に付けられることがなく、中継基板部品９０が大型化することを低減できる。その結果、ネジ止め不要で大入賞口中継端子基板９１をかしめて組み立てることができ、且つ、大型化しない中継基板部品９０を備えた遊技機を提供することができる。
【０１９１】
また、中継基板カバー９５のかしめ解除用被破壊部９５ｂが破壊されると、当該中継基板カバー９５での開口部の開口一辺側の覆い部分が除去され、中継基板カバー９５に大入賞口中継端子基板９１のかしめ解除の痕跡を残すことができ、中継基板ベース９３からの大入賞口中継端子基板９１の取り外しが可能となる。したがって、かしめ解除用被破壊部９５ｂの破壊痕を見ることで、中継基板部品９０のかしめが解除されたことがわかる。
【０１９２】
また、右カバー部品１６２は、中継基板部品９０での中継基板カバー９５の取り外し方向側箇所に近接または当接して配設されている。したがって、中継基板カバー９５を中継基板ベース９３から無理矢理に取り外し方向に移動させて、係止部９３ｃおよび被係止部９５ｃの係止を無理矢理解除したり、係止部９３ｃおよび被係止部９５ｃを破壊したりして中継基板カバー９５を中継基板ベース９３から不正に外そうとしても、右カバー部品１６２の存在によっても、その中継基板カバー９５の取り外しを規制でき、中継基板カバー９５の不正な取り外しを低減することができる。
【０１９３】
また、中継基板カバー９５の嵌入部９５ａに設けられた抜け規制壁部９５ｄは、中継基板ベース９３の挿入端部の少なくとも一部に当接するので、中継基板カバー９５の嵌入部９５ａに嵌入された中継基板ベース９３をその嵌入方向に進めて抜き出すことができないし、中継基板ベース９３をその嵌入方向とは逆方向に戻すことは係止部９３ｃおよび被係止部９５ｃによってできない。よって、中継基板カバー９５の中継基板ベース９３からの不正な取り外しを低減できる。
【０１９４】
また、遊技球が打ち込まれる遊技領域３０ａが前面側に形成される透明遊技盤３０と、遊技領域３０ａに配設された、遊技球が入賞可能な始動入賞装置３３と、始動入賞装置３３への遊技球の入賞検出する作動口スイッチ２２４と、中継基板ベース９３は、開口部を正面視した状態で窪み空間部９３ａの所定箇所に、作動口スイッチ２２４が挿入される第１貫通孔９３ｅを備え、大入賞口中継端子基板９１は、中継基板ベース９３の窪み空間部９３ａに収容された状態で第１貫通孔９３ｅに対応する箇所に、第１貫通孔９３ｅに挿入される作動口スイッチ２２４が挿入される第２貫通孔９１ｅを備えている。したがって、作動口スイッチ２２４が貫通された中継基板部品９０を実現でき、中継基板部品９０を取り外すことなく作動口スイッチ２２４の取り付けや交換を行うことができる。また、始動入賞装置３３は遊技者にとっての利益に関係する部品であることから、始動入賞装置３３の背後位置に中継基板部品９０が配設される場合には、中継基板ベース９３と大入賞口中継端子基板９１との間に不正な基板を密かに配設する不正行為が懸念されるところであるが、中継基板部品９０が中継基板ベース９３にかしめられているので、、中継基板ベース９３と大入賞口中継端子基板９１との間に不正な基板を密かに配設することを低減できる。
【０１９５】
また、透明遊技盤３０の裏面に配設されて当該透明遊技盤３０からの遊技球を集めて排出する集合通路盤６０と、始動入賞装置３３に入賞した遊技球を案内する、集合通路盤６０の前面側の配設位置に配設される第１の始動口用通路部品８６と、第１の始動口用通路部品８６を支持した状態で集合通路盤６０の配設位置に配設され、配設位置に対向する箇所にネジ穴８７ａが形成された始動口用通路支持部品８７と、集合通路盤６０の配設位置に形成された、ネジが挿入される貫通孔８４と、を備え、中継基板ベース９３は、集合通路盤６０の裏面で配設位置に対応する箇所に取り付けられ、開口部を正面視した状態で窪み空間部９３ａで貫通孔８４の対応する箇所に、ネジ挿入孔９３ｄが形成され、ネジ挿入孔９３ｄと貫通孔８４とに挿入されたネジを始動口用通路支持部品８７のネジ穴８７ａに螺入することで、始動口用通路支持部品８７が集合通路盤６０の配設位置に固定されるとともに中継基板ベース９３が集合通路盤６０の裏面で配設位置に対応する箇所に固定されている。したがって、第１の始動口用通路部品８６を支持する始動口用通路支持部品８７は、集合通路盤６０の裏面の中継基板部品９０の中継基板ベース９３の窪み形成部で大入賞口中継端子基板９１下に隠れたネジで固定されており、中継基板部品９０のかしめを解除し、さらに中継基板ベース９３から大入賞口中継端子基板９１を取り外さなければネジにアクセスできないので、集合通路盤６０での始動口用通路支持部品８７で支持される第１の始動口用通路部品８６を不正に取り外すことを低減でき、集合通路盤６０の裏面と中継基板ベース９３との間や、中継基板ベース９３と大入賞口中継端子基板９１との間に不正な基板を密かに設けることを低減できる。
【０１９６】
この発明は、上記実施形態に限られることはなく、同様の効果を奏する別の構成としてもよく、例えば下記のように変形実施することができる。
【０１９７】
＜１＞上述した実施例の許容空間形成壁部６２の許容空間６２ａでの一般入賞口用通路部品７０の配置箇所以外の箇所に、図３４に示すように、透明遊技盤３０の裏面を装飾する装飾部品８０（図３４でのハッチング部分）を備えるようにしてもよい。この装飾部品８０としては、例えば、裏面からの入射光を拡散して前面から出射する図示省略の導光部材（例えば前後方向に可動する可動式のものや、非可動なものとしてもよい）や、キャラクタを象った図示省略の立体的役物（例えば前後方向に可動する可動式のものや、非可動なものであって導光性の有無は問わない）などが挙げられる。
【０１９８】
この場合には、装飾部品８０は、許容空間形成壁部６２の許容空間６２ａでの一般入賞口用通路部品７０の配置箇所以外の箇所に備えられ、透明遊技盤３０の裏面を装飾する。つまり、新機種の一般入賞口用通路部品７０を本体部品６０Ａの許容空間６２ａに取り付けるとともに、当該許容空間６２ａでの一般入賞口用通路部品７０の配置箇所以外の箇所に装飾部品８０を取り付けることで、新機種用の一般入賞口用通路部品７０および装飾部品８０を備えた新機種用の集合通路盤６０を形成することができ、集合通路盤６０の本体部品６０Ａは共通部品として異機種の遊技機にも使用することができ、異機種のパチン機についても同一の金型で集合通路盤６０の本体部品６０Ａを製造することができる。その結果、機種変更にも低コストで対応できる集合通路盤６０（入賞球集合通路部品）を備えたパチンコ機を提供することができる。
【０１９９】
＜２＞上述した実施例の集合通路盤６０の本体部品６０Ａの外周壁部１４３は、被配設部１４０を見た状態で、当該被配設部１４０の周囲箇所に突出形成されたものとし、左カバー部品１６１および右カバー部品１６２は、本体部品６０Ａの被配設部１４０の外周壁部１４３内に嵌入されて本体部品６０Ａに取り付けられるものとしてもよい。
【０２００】
この場合には、本体部品６０Ａと、左カバー部品１６１および右カバー部品１６２との境界形状を断面視でＬ字形状とすることができ、本体部品６０Ａと、左カバー部品１６１および右カバー部品１６２との隙間に不正な細状部材を挿入してカバー部材（左カバー部品１６１および右カバー部品１６２）を不正に開封しようとすることを低減できる。
【０２０１】
＜３＞上述した実施例では、中継基板部品９０は、主制御装置２６１の主制御基板２６１ａ（図４参照）と可変入賞装置３２のカウントスイッチ２２３との電気的接続を中継する大入賞口中継端子基板９１を有するものとしているが、主制御基板２６１ａと始動入賞装置３３の作動口スイッチ２２４との電気的接続を中継する盤面接続基板を有する中継基板部品としてもよいし、主制御基板２６１ａと一般入賞口３１の入賞口スイッチ２２１との電気的接続を中継する中継基板部品としてもよい。
【０２０２】
また、中継基板部品としては、入賞口スイッチ２２１とカウントスイッチ２２３と作動口スイッチ２２４との少なくとも一つと、払出制御基板３１１ａなどの制御基板との電気的接続を中継する中継基板部品としてもよい。
【０２０３】
さらに、中継基板部品としては、主制御基板２６１ａと払出制御基板３１１ａとサブ制御基板２６２ａなどの制御基板同士の電気的接続を中継する中継基板部品としてもよい。
【０２０４】
さらに、基板部品としては、中継基板部品としての中継基板部品９０以外に、主制御基板２６１ａや払出制御基板３１１ａやサブ制御基板２６２ａなどを有する装置を採用してもよい。つまり、主制御基板２６１ａや払出制御基板３１１ａやサブ制御基板２６２ａなどをベースに収納してこのベースに基板カバー９５を装着することで、基板カバー９５でかしめるようにしてもよい。
【０２０５】
＜４＞上述した実施例では、透明遊技盤３０を採用しているが、少なくとも一部が透明な遊技盤を採用し、その遊技盤の裏面側で透明部分を含む箇所に集合通路盤６０の本体部品６０Ａを取り付けるようにしてもよい。
【０２０６】
＜５＞上述した実施例の左カバー部品１６１および右カバー部品１６２は、被配設部１４０に取り付けられた状態のＬＥＤ基板１５０を覆うようにして被配設部１４０に取付可能なものとしているが、ＬＥＤ基板１５０を収容した状態で本体部品６０Ａの被配設部１４０に取付可能なものとしてもよい。この左カバー部品１６１および右カバー部品１６２は、ＬＥＤ基板１５０の基板面と対向する側とは反対側である外側面を平坦面としているので、パチンコ機の配線が左カバー部品１６１および右カバー部品１６２の外側面で引っ掛かることを低減できる。また、この左カバー部品１６１および右カバー部品１６２の平坦面にスペーサ部材を配設することができ、左カバー部品１６１および右カバー部品１６２の平坦面の外側の空き空間を不正に利用する（空き空間に不正な基板などを設ける）ことを低減できる。また、本体部品６０Ａでの被配設部１４０の厚み位置が他機種のパチンコ機において統一化されているので、同一のスペーサを使用することができ、機種ごとのスペーサを用意することを解消できる。
【０２０７】
＜６＞上述した実施例では、本体部品６０Ａは、図１８，図１９に示すように、許容空間形成壁部６２による許容空間６２ａ内に被取付部６３を有しているが、本体部品６０Ａでの許容空間６２ａ以外の箇所（例えば、許容空間６２ａに隣接する箇所）に被取付部６３を備えるようにしてもよい。
【０２０８】
＜７＞また、集合通路盤６０を製造するための金型について、次に説明するような「入れ子」対応技術を採用するようにしてもよい。例えば、集合通路盤６０を製造するための金型として、集合通路盤６０の一方面側を主として形成するための第１金型と、集合通路盤６０の他方面側を主として形成するための第２金型と、第１金型または第２金型の所定箇所に形成された入れ子空間部に挿入されて、被取付部６３を形成するための第３金型（入れ子金型）とを合わせることで内部に形成される樹脂注入用空間形成部に樹脂を注入して硬化（あるいは半硬化）させてこれらの第１〜第３金型を外すことで所望の形状の集合通路盤６０を製造するのであるが、第３金型（入れ子金型）の突出部位置や突出部形状が異なる別の第３金型を前述した入れ子空間部に挿入して集合通路盤６０を樹脂成型することで、集合通路盤６０の全体形状は同一であるが、被取付部６３の位置やその形状が異なる集合通路盤６０を製造することができる。
【０２０９】
＜８＞上述した実施例では、図３３に示すように、被配設部１４０およびＬＥＤ基板１５０は、当該パチンコ機１０を前面視した状態で、許容空間形成壁部６２により形成される許容空間６２ａの領域と、一般入賞口３１が配置され得る遊技領域３０ａとが重なる領域を覆う大きさとしているが、本体部品６０Ａの前側から取り外し可能な一般入賞口用通路部品７０の周りを覆う大きさや、本体部品６０Ａの前側から取り外し可能な一般入賞口用通路部品７０が配置し得る領域を覆う大きさとしてもよい。
【０２１０】
＜９＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２１１】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２１２】
なお、本明細書は、遊技機に係る発明も開示している。
従来、遊技機の代表例として例えばパチンコ機がある。このパチンコ機としては、例えば、遊技球が打ち込まれる遊技領域を前面側に有する透明な透明遊技盤と、この透明遊技盤の背後に設けられて識別情報を変動表示する液晶表示装置とを備え、透明遊技盤を介して背後の液晶表示装置の変動表示が視認可能なものがある。この透明遊技盤は、その遊技領域の下部側の所定箇所に、一般入賞口、始動入賞口および大入賞口が配設されている。また、透明遊技盤の裏面下部には、前記の一般入賞口、始動入賞口および大入賞口に入球した遊技球を複数個の球通路部を経由して収集する入賞球集合通路部品が設けられている。この入賞球集合通路部品は、透明遊技盤の裏面視でその横幅に亘る程度の大きさのものである（例えば、特許文献１参照）。
＜特許文献１＞
特開２００６−９５１６２号公報（第３−５頁，第２−６図）
しかしながら、このような構成を有する従来例の場合には、次のような問題がある。
すなわち、従来のパチンコ機では、例えば、前述した入賞球集合通路部品の透明遊技盤と対向する側（前面側）で複数個の球通路部以外の領域部分に、その領域に収まる形状のＬＥＤ実装基板を配設し、透明遊技盤の背後の入賞球集合通路部品の前記領域部分に発光装飾を施すことが考えられる。
また、新たな遊技の興趣性を提供するために、機種ごとに透明遊技盤のデザインが異なっている。つまり、透明遊技盤の遊技領域での遊技部品（例えば、センターフレームや一般入賞口や始動入賞口など）の外観形状やその配置位置が異なっているため、この透明遊技盤の背後に配設される入賞球集合通路部品の形状（例えば、入賞球集合通路部品での球通路部の形状）が異なることになり、この入賞球集合通路部品に設けられるＬＥＤ実装基板の形状や取付位置も異なることになる。
特に、ＬＥＤ実装基板は、入賞球集合通路部品での球通路部を避ける位置に配置できる形状とする必要があることから、ＬＥＤ実装基板が歪な形状となったり、細分化により小型のＬＥＤ実装基板が複数枚必要になったりするなどの設計変更が強いられる。また、入賞球集合通路部品についても、ＬＥＤ実装基板を取り付けるための取付部（例えば、取付ボス）の配置位置を、球通路部を避ける位置を考慮して設計製作する必要がある。
このように、遊技機の機種変更に伴う入賞球集合通路部品およびＬＥＤ実装基板の設計変更に負担がかかるという問題がある。
下記の発明は、このような事情に鑑みてなされたものであって、ＬＥＤ実装基板を備えた入賞球集合通路部品について遊技機機種変更に伴う設計変更負担を低減できる遊技機を提供することを目的とする。
【０２１３】
（１）  遊技球が打ち込まれる遊技領域が前面側に形成された遊技盤と、
前記遊技盤の裏面に配設された、前記遊技盤からの遊技球を集めて排出する集合板と、
を備えた遊技機において、
前記遊技盤は、
その少なくとも一部が透明である透明部と、
前記遊技領域の所定箇所に設けられた、遊技球が入球可能な入賞部品と、
前記入賞部品に入賞した遊技球が通過可能なように前記入賞部品の配設箇所に前後方向に貫通形成された貫通孔とを備え、
前記集合板は、
前記遊技盤の裏面で前記透明部の少なくとも一部を含む箇所に取付可能な本体部品と、
前記本体部品の前面側に設けられた、前記遊技盤からの遊技球を案内する通路部と、
前記集合板の裏面に配設された、発光する発光部を実装した発光部実装基板と、
前記本体部品の裏面側で且つ当該本体部品の前記通路部の存する箇所の背面側箇所を一部に含む箇所に設けられた、前記発光部実装基板が設けられる被配設部と、
を備え、
前記発光部実装基板は、前記本体部品の前記被配設部に配設可能で当該被配設部と共通形状であるとともに、前記被配設部への配設状態で前記通路部が対応する箇所以外の箇所に前記発光部を実装している
ことを特徴とする遊技機。
【０２１４】
前記（１）に記載の発明によれば、遊技盤は、遊技球が打ち込まれる遊技領域が前面側に形成されたものである。集合板は、遊技盤の裏面に配設されており、遊技盤からの遊技球を集めて排出する。遊技領域の入賞部品に入球した遊技球は、その入賞部品の配置箇所に形成された貫通孔を通じて遊技盤の裏面側へ案内される。集合板の本体部品は、遊技盤の裏面で当該遊技盤の透明部の少なくとも一部を含む箇所に取り付けられる。集合板の通路部は、本体部品の前面側に設けられており、遊技盤からの遊技球を案内する。集合板の裏面には、発光する発光部を実装する発光部実装基板が配設されている。本体部品の裏面側で且つ当該本体部品の通路部の存する箇所の背面側箇所を一部に含む箇所には、発光部実装基板が取り付けられる被配設部が設けられている。発光部実装基板は、本体部品の被配設部に配設可能で当該被配設部と共通形状であるとともに、前記被配設部への配設状態で通路部が対応する箇所以外の箇所に発光部を実装している。
【０２１５】
したがって、被配設部は、集合板の本体部品の裏面側で、当該本体部品の通路部の存する箇所の背面側箇所を一部に含む箇所に設けられており、発光部実装基板は、本体部品の被配設部に取り付け可能で当該被配設部と共通形状であるとともに、被配設部への配設状態で通路部が対応する箇所（発光部実装基板において通路部が平行投影される箇所）以外の箇所に発光部を実装しているので、発光部実装基板は、本体部品の裏面側の被配設部と共通な形状とすることができ、集合板での通路部を避ける位置に配置できる形状とする必要がないことから、発光部実装基板が歪な形状となることがないし、細分化により小型の発光部実装基板が複数枚必要になることもない。また、集合板は、その被配設部を、通路部を有する前面側ではなく、裏面側に設けているので、発光部実装基板を取り付けるための取付ボスの配置位置について、通路部を避ける位置を考慮する必要がない。
【０２１６】
仮に、遊技機の機種変更があり、集合板の前面側の通路部の形状が変更された場合でも、集合板の裏面側の被配設部および発光部実装基板の形状をそのままを維持でき、発光部実装基板での発光部の実装位置を通路部を回避する位置に変更する設計変更で対応でき、機種変更に伴う集合板および発光部実装基板の設計変更の負担を低減できる。
【０２１７】
その結果、発光部実装基板（ＬＥＤ実装基板）を備えた集合板（入賞球集合通路部品）について遊技機機種変更に伴う設計変更負担を低減できる遊技機を提供することができる。
【０２１８】
（２）  前記（１）に記載の遊技機において、
前記被配設部および前記発光部実装基板は、他機種の遊技機と共通化とした形状であることを特徴とする遊技機。
【０２１９】
前記（２）に記載の発明によれば、被配設部および発光部実装基板は、他機種の遊技機と共通化とした形状であるので、集合板の本体部品の被配設部および発光部実装基板の形状（特に言えば輪郭）については、機種変更があってもそのままとすることができ、発光部実装基板での発光部の実装位置を通路部を回避する位置に変更する設計変更（回路パターンの設計変更）で対応でき、機種変更に伴う集合板および発光部実装基板の設計変更の負担を低減できる。
【０２２０】
（３）  前記（１）に記載の遊技機において、
前記通路部は、前記本体部品に対して取り付け可能な通路部品であり、
前記本体部品は、
遊技球を排出するための排出口と、
前記通路部品で案内される遊技球を前記排出口から排出する姿勢状態で当該通路部品が取り付けられる被取付部と、
前記被取付部に取付可能で異なる通路形状とする前記通路部品の装着を許容する許容空間を形成する許容空間形成部とを備え、
前記被配設部および前記発光部実装基板は、当該遊技機を前面視した状態で、前記許容空間の領域と、前記入賞部品が配置され得る前記遊技領域とが重なる領域を覆う大きさである
ことを特徴とする遊技機。
【０２２１】
前記（３）に記載の発明によれば、通路部は、本体部品に対して取り付け可能な通路部品である。本体部品は、遊技球を排出するための排出口と、通路部品で案内される遊技球を排出口から排出する姿勢状態で当該通路部品が取り付けられる被取付部と、この被取付部に取付可能で異なる通路形状とする通路部品の装着を許容する許容空間を形成する許容空間形成部とを備えている。被配設部および発光部実装基板は、当該遊技機を前面視した状態で、許容空間形成部による許容空間の領域と、入賞部品が配置され得る遊技領域とが重なる領域を覆う大きさとしているので、機種変更があっても（例えば、集合板に異なる通路形状の通路部品が取り付けられる場合であっても）、集合板の本体部品の被配設部および発光部実装基板の形状（特に言えば輪郭）については、そのままとすることができ、発光部実装基板での発光部の実装位置を通路部品を回避する位置に変更する設計変更（回路パターンの設計変更）で対応でき、機種変更に伴う集合板および発光部実装基板の設計変更の負担を低減できる。
【０２２２】
また、前記被配設部および前記発光部実装基板は、前記本体部品の前側から取り外し可能な通路部品の周りを覆う大きさや、前記本体部品の前側から取り外し可能な通路部品が配置し得る領域を覆う大きさとしてもよい。
【０２２３】
（４）  前記（１）から（３）のいずれか一つに記載の遊技機において、
前記発光部実装基板を収容した状態で前記本体部品の前記被配設部に取付可能なカバー部材を備え、
前記カバー部材は、前記発光部実装基板の基板面と対向する側とは反対側である外側面を平坦面としている
ことを特徴とする遊技機。
【０２２４】
前記（４）に記載の発明によれば、カバー部材は、発光部実装基板を収容した状態で本体部品の被配設部に取り付けられる。このカバー部材は、発光部実装基板の基板面と対向する側とは反対側である外側面を平坦面としているので、当該遊技機の配線がカバー部材の外側面で引っ掛かることを低減できる。また、このカバー部材の平坦面にスペーサ部材を配設することができ、カバー部材の平坦面の外側の空き空間を不正に利用する（空き空間に不正な基板などを設ける）ことを低減できる。また、本体部品での被配設部の厚み位置が他機種の遊技機において統一化されているので、同一のスペーサを使用することができ、機種ごとのスペーサを用意することを解消できる。
【０２２５】
（５）  前記（１）から（３）のいずれか一つに記載の遊技機において、
前記被配設部に取り付けられた状態の前記発光部実装基板を覆うようにして前記被配設部に取付可能なカバー部材を備え、
前記カバー部材は、前記発光部実装基板の基板面と対向する側とは反対側である外側面を平坦面としている
ことを特徴とする遊技機。
【０２２６】
前記（５）に記載の発明によれば、カバー部材は、被配設部に取り付けられた状態の発光部実装基板を覆うようにして被配設部に取り付けられる。このカバー部材は、発光部実装基板の基板面と対向する側とは反対側である外側面を平坦面としているので、当該遊技機の配線がカバー部材の外側面で引っ掛かることを低減できる。また、このカバー部材の平坦面にスペーサ部材を配設することができ、カバー部材の平坦面の外側の空き空間を不正に利用する（空き空間に不正な基板などを設ける）ことを低減できる。また、本体部品での被配設部の厚み位置が他機種の遊技機において統一化されているので、同一のスペーサを使用することができ、機種ごとのスペーサを用意することを解消できる。
【０２２７】
（６）  前記（４）または（５）に記載の遊技機において、
前記本体部品は、前記被配設部を見た状態で当該被配設部の周囲箇所に突出した外周壁部が形成され、
前記カバー部材は、前記本体部品の前記被配設部の前記外周壁部内に嵌入されて前記本体部品に取り付けられている
ことを特徴とする遊技機。
【０２２８】
前記（６）に記載の発明によれば、本体部品は、被配設部を見た状態で当該被配設部の周囲箇所に突出した外周壁部が形成されている。カバー部材は、本体部品の被配設部の外周壁部内に嵌入された状態で本体部品に取り付けられているので、本体部品とカバー部材との境界形状を断面視でＬ字形状とすることができ、本体部品とカバー部材との隙間に不正な細状部材を挿入してカバー部材を不正に開封しようとすることを低減できる。
【０２２９】
（７）  前記（４）または（５）に記載の遊技機において、
前記本体部品は、前記被配設部を見た状態で当該被配設部と隣接する隣接領域の所定箇所に、前記入賞部品に入賞した遊技球の通過検出する遊技球通過検出センサを備えるとともに、前記被配設部を見た状態で当該被配設部および前記隣接領域からなる全体領域の周囲箇所に突出した外周壁部が形成され、
前記カバー部材は、前記本体部品の前記被配設部および前記隣接領域からなる全体領域の前記外周壁部内に嵌入されて前記本体部品に取り付けられている
ことを特徴とする遊技機。
【０２３０】
前記（７）に記載の発明によれば、本体部品は、被配設部を見た状態で当該被配設部と隣接する隣接領域の所定箇所に、入賞部品に入賞した遊技球の通過検出する遊技球通過検出センサを備えている。また、この本体部品は、被配設部を見た状態で当該被配設部および隣接領域の全体領域の周囲箇所に突出した外周壁部が形成されている。カバー部材は、本体部品の被配設部および隣接領域からなる全体領域の外周壁部内に嵌入された状態で本体部品に取り付けられているので、発光部実装基板および遊技球通過検出センサをカバー部材で覆うことができるのみならず、本体部品とカバー部材との境界形状を断面視でＬ字形状とすることができ、本体部品とカバー部材との隙間に不正な細状部材を挿入してカバー部材を不正に開封しようとすることを低減できる。
【０２３１】
また、本明細書は、次のような第１課題を解決できる、遊技機に係る発明も開示している。
【０２３２】
＜第１課題＞
従来のパチンコ機では、新たな遊技の興趣性を提供するために、機種ごとに透明遊技盤のデザインが異なっている。つまり、透明遊技盤の遊技領域での遊技部品（例えば、センターフレームや一般入賞口や始動入賞口など）の外観形状やその配置位置が異なっているため、この透明遊技盤の背後に配設される入賞球集合通路部品の形状（例えば、入賞球集合通路部品での球通路部の形状）も異なっている。そして、樹脂成型品である入賞球集合通路部品は、透明遊技盤の横幅にわたる大型部品であるため、その金型も大型となっている。金型は大型化するほどコスト高となることから、少数多機種のパチンコ機を生産するような場合は、入賞球集合通路部品の金型が割高でコストがかかるという問題がある。
【０２３３】
（８）  遊技球が打ち込まれる遊技領域が前面側に形成された遊技盤と、
前記遊技盤の裏面に配設されて前記遊技盤からの遊技球を集めて排出する通路を形成する集合板と
を備えた遊技機において、
前記遊技盤は、
前記遊技領域の所定箇所に設けられた、遊技球が入球可能な入賞部品と、
前記入賞部品に入賞した遊技球が通過可能なように前記入賞部品の配設箇所に前後方向に貫通形成された貫通孔とを備え、
前記集合板は、
前記遊技盤の裏面に取付可能な本体部品と、
前記遊技盤からの遊技球を案内する、前記本体部品に取り付け可能な通路部品と、
を備え、
前記本体部品は、
遊技球を排出するための排出口と、
前記通路部品で案内される遊技球を前記排出口から排出する姿勢状態で当該通路部品が取り付けられる被取付部と、
前記被取付部に取付可能で前記通路とは異なる通路形状とする前記通路部品の装着を許容する許容空間を形成する許容空間形成部とを備え、
前記通路部品は、前記本体部品の前記被取付部に取り付けるための取付部を備えている
ことを特徴とする遊技機。
【０２３４】
前記（８）に記載の発明によれば、遊技盤は、その前面側に、遊技球が打ち込まれる遊技領域が形成されている。遊技盤は、その遊技領域の所定箇所に、遊技球が入球可能な入賞部品が設けられている。遊技盤の貫通孔は、入賞部品の配設箇所に前後方向に貫通形成されたものであり、入賞部品に入賞した遊技球が通過して遊技盤の背面に案内される。遊技盤の裏面に配設された集合板は、遊技盤の貫通孔からの遊技球を集めて排出する通路を形成する。この集合板は、遊技盤の裏面に取付可能で遊技球を排出するための排出口を有する本体部品と、遊技盤からの遊技球を案内する、本体部品に取り付け可能な通路部品とを備えている。この通路部品は、遊技球を排出口から排出する姿勢状態で、その取付部が本体部品の被取付部に取り付けられる。さらに、本体部品の許容空間形成部は、被取付部に取付可能で前記通路とは異なる通路形状とする通路部品の装着を許容する許容空間を形成する。
【０２３５】
したがって、例えば新機種の通路部品を本体部品の許容空間に取り付けることで、新機種用の集合板を形成することができ、集合板の本体部品は共通部品として異機種の遊技機にも使用することができ、異機種の遊技機についても同一の金型で集合板の本体部品を製造することができる。つまり、集合板の本体部品については、機種変更の有無にかかわらず、本体部品用金型で製作すればよく、機種変更があってもこの金型を作り変える必要がないことから、機種変更に伴う本体部品のコストを低減できる。また、機種変更によって再製作されるのは、集合板の本体部品ではなく、集合板での小型の通路部品であり、通路部品用金型も小型であるため、機種変更に伴って小型の通路部品用金型を製作するだけでよく、集合板の大型な本体部品用金型を製作するわけではないことから、機種変更に伴う集合板の金型の製作コストを低減できる。特に、少数多機種の遊技機を生産するような場合にも割安で低コストで対応することができる。その結果、機種変更にも低コストで対応できる集合板（入賞球集合通路部品）を備えた遊技機を提供することができる。
【０２３６】
（９）  前記（８）に記載の遊技機において、
前記本体部品および前記通路部品は、樹脂成型部品であることを特徴とする遊技機。
【０２３７】
前記（９）に記載の発明によれば、本体部品および通路部品は、樹脂成型部品であるので、集合板の本体部品については、機種変更の有無にかかわらず、本体部品用の樹脂成型金型で製作すればよく、機種変更があってもこの金型を作り変える必要がないことから、機種変更に伴う本体部品のコストを低減できる。また、機種変更によって再製作されるのは、集合板の本体部品ではなく、集合板での小型の通路部品であり、通路部品用の樹脂成型金型も小型であるため、機種変更に伴って小型の通路部品用金型を製作するだけでよく、集合板の大型な本体部品用金型を製作するわけではないことから、機種変更に伴う集合板の金型の製作コストを低減できる。特に、少数多機種の遊技機を生産するような場合にも割安で低コストで対応することができる。その結果、機種変更にも低コストで対応できる集合板（入賞球集合通路部品）を備えた遊技機を提供することができる。
【０２３８】
（１０）  前記（８）または（９）に記載の遊技機において、
前記本体部品は、前記遊技盤と対向する側を見た状態でその周縁箇所のうちの少なくとも一部に、前記遊技盤の裏面に当接または近接するように延出した周縁壁部を備えている
ことを特徴とする遊技機。
【０２３９】
前記（１０）に記載の発明によれば、本体部品を遊技盤と対向する側を見た状態において、この本体部品の周縁箇所のうちの少なくとも一部には、遊技盤の裏面に当接または近接するように延出した周縁壁部が設けられているので、遊技盤の裏面に本体部品が取り付けられた状態では、この本体部品の周縁壁部と遊技盤の裏面との間に不正基板などを挿入することが困難であり、本体部品での遊技盤と対向する側に不正基板などを不正に設けることを低減できる。
【０２４０】
（１１）  前記（８）から（１０）のいずれか一つに記載の遊技機において、
前記本体部品は、前記遊技盤に磁石を近づけたことを検出する磁気検出手段と、前記磁気検出手段を支持する支持部品とを備え、
前記支持部品は、前記本体部品の前記遊技盤と対向する側を見た状態でその周縁箇所のうちの一部箇所に、前記遊技盤の裏面に当接または近接するとともに前記周縁壁部に連なるようにして設けられている
ことを特徴とする遊技機。
【０２４１】
前記（１１）に記載の発明によれば、本体部品は、遊技盤に磁石を近づけたことを検出する磁気検出手段と、この磁気検出手段を支持する支持部品とを備えているので、遊技盤に不正に磁石を近づけたことを検出でき、遊技盤に不正に磁石を近づけて遊技球を入賞部品に不正に入賞させることを低減できる。また、支持部品は、本体部品の遊技盤と対向する側を見た状態でその周縁箇所のうちの一部箇所に、遊技盤の裏面に当接または近接するとともに周縁壁部に連なるようにして設けられているので、支持部品自体を本体部品の周縁壁部としても機能させることができ、本体部品の支持部品と遊技盤の裏面との間に不正基板などを挿入することが困難であり、本体部品での遊技盤と対向する側に不正基板などを不正に設けることを低減できる。
【０２４２】
（１２）  前記（１１）に記載の遊技機において、
前記本体部品は、前記支持部品が着脱可能に取り付けられる支持部品用被取付部を備え、
前記支持部品は、前記本体部品の前記支持部品用被取付部に着脱可能に取り付けるための取付部を備え、
前記本体部品は、前記支持部品用被取付部を有するとともに、前記支持部品用被取付部に取付可能で異なる形状の前記支持部品の装着を許容する支持部品用許容空間を形成する支持部品用許容空間形成部を備えている
ことを特徴とする遊技機。
【０２４３】
前記（１２）に記載の発明によれば、支持部品は、その取付部が本体部品の支持部品用被取付部に着脱可能に取り付けられる。本体部品の支持部品用許容空間形成部は、支持部品用被取付部を有するとともに、支持部品用被取付部に取付可能で異なる形状の支持部品の装着を許容する支持部品用許容空間を形成する。したがって、例えば新機種の支持部品を本体部品に取り付けることで、新機種用の磁気検出手段を備えた集合板を形成することができ、集合板の本体部品は共通部品として異機種の遊技機にも使用することができ、異機種の遊技機についても同一の金型で集合板の本体部品を製造することができる。つまり、集合板の本体部品については、機種変更の有無にかかわらず、本体部品用金型で製作すればよく、機種変更があってもこの金型を作り変える必要がないことから、機種変更に伴う本体部品のコストを低減できる。また、機種変更によって再製作されるのは、集合板の本体部品ではなく、集合板での小型の支持部品であり、支持部品用金型も小型であるため、機種変更に伴って小型の支持部品用金型を製作するだけでよく、集合板の大型な本体部品用金型を製作するわけではないことから、機種変更に伴う集合板の金型の製作コストを低減できる。特に、少数多機種の遊技機を生産するような場合にも割安で低コストで対応することができる。その結果、機種変更にも低コストで対応できる集合板（入賞球集合通路部品）を備えた遊技機を提供することができる。
【０２４４】
（１３）  前記（８）から（１２）のいずれか一つに記載の遊技機において、
前記通路部品は、その少なくとも一部が、前記本体部品の前記遊技盤と対向する側を見た状態でその周縁箇所のうちの一部箇所に、前記遊技盤の裏面に当接または近接するようにして設けられている
ことを特徴とする遊技機。
【０２４５】
前記（１３）に記載の発明によれば、通路部品は、その少なくとも一部が、本体部品の遊技盤と対向する側を見た状態でその周縁箇所のうちの一部箇所に、遊技盤の裏面に当接または近接するようにして設けられているので、通路部品自体を本体部品の周縁壁部としても機能させることができ、本体部品の通路部品と遊技盤の裏面との間に不正基板などを挿入することが困難であり、本体部品での遊技盤と対向する側に不正基板などを不正に設けることを低減できる。
【０２４６】
（１４）  前記（８）から（１３）のいずれか一つに記載の遊技機において、
前記遊技盤は、透明な透明遊技盤であり、
前記許容空間形成部の許容空間での前記通路部品配置箇所以外の箇所に、前記透明遊技盤の裏面を装飾する装飾部品を備えている
ことを特徴とする遊技機。
【０２４７】
前記（１４）に記載の発明によれば、装飾部品は、許容空間形成部の許容空間での通路部品配置箇所以外の箇所に備えられ、透明遊技盤の裏面を装飾する。つまり、新機種の通路部品を本体部品の許容空間に取り付けるとともに、当該許容空間での通路部品配置箇所以外の箇所に装飾部品を取り付けることで、新機種用の通路部品および装飾部品を備えた新機種用の集合板を形成することができ、集合板の本体部品は共通部品として異機種の遊技機にも使用することができ、異機種の遊技機についても同一の金型で集合板の本体部品を製造することができる。その結果、機種変更にも低コストで対応できる集合板（入賞球集合通路部品）を備えた遊技機を提供することができる。
【０２４８】
また、本明細書は、次のような第２課題を解決できる、遊技機に係る発明も開示している。
【０２４９】
＜第２課題＞
従来のパチンコ機は、例えば、主制御基板と大入賞口の入球検出センサとの電気的接続を中継する中継基板が当該パチンコ機の裏面側箇所にネジ止めされているが、中継基板の背後に不正基板を密かに配置して不正な利益を得ようとする等の中継基板に対する不正行為も懸念される。そこで、かかる中継基板を前述した主制御基板などのかしめ機構付きケースに内包する中継部品とすることも考えられるが、主制御基板と比べて小型な中継基板に対してかしめ機構の占める割合が比較的に大きいことから、中継部品が大型化するばかりでなく、この中継部品の周辺の取付部品および装置についての形状や配置などの設計変更が二次的に生じてしまい、パチンコ機全体としてコスト高を招来するという問題がある。
【０２５０】
（１５）  少なくともコネクタまたは電子部品が搭載される基板を有する基板部品を備えた遊技機において、
前記基板部品は、
前記基板が入れられる開口部を正面視した状態で奥側に窪んだ空間であって前記基板を収容するための窪み空間部を有する容器本体と、
前記基板が前記窪み空間部に収容された状態の前記容器本体における前記開口部の開口一辺側である端部が嵌入される嵌入部を有するとともに、前記嵌入部に前記容器本体の前記端部が挿入された状態で前記開口部の開口一辺側を覆う覆い部材と、
前記容器本体の前記窪み空間部に収容された状態の前記基板における前記覆い部材の存する箇所とは反対側の箇所を少なくとも前記開口部から出せないように規制する規制部と、
前記覆い部材の前記嵌入部に前記容器本体の前記端部が嵌入された状態で当該覆い部材を取り外し不可に係止する係止手段と、
を備えている
ことを特徴とする遊技機。
【０２５１】
前記（１５）に記載の発明によれば、基板部品は、少なくともコネクタまたは電子部品が搭載される基板を有する。この基板部品は、容器本体と覆い部材と規制部と係止手段とを備えている。容器本体は、基板が入れられる開口部を正面視した状態で奥側に窪んだ空間であって当該基板を収容するための窪み空間部を有する。覆い部材は、基板が窪み空間部に収容された状態の容器本体における開口部の開口一辺側である端部が嵌入される嵌入部を有するとともに、この嵌入部に容器本体の端部が挿入された状態で開口部の開口一辺側を覆う。規制部は、容器本体の窪み空間部に収容された状態の基板における覆い部材の存する箇所とは反対側の箇所を少なくとも開口部から出せないように規制する。係止手段は、覆い部材の嵌入部に容器本体の端部が嵌入された状態で当該覆い部材を取り外し不可に係止する。
【０２５２】
したがって、基板部品の容器本体に収容された基板の一端側は、規制部によって容器本体の開口部から出せないように規制されており、且つ、その基板の他端側は、覆い部材が容器本体の開口部の開口一辺側を覆うことによって、容器本体の開口部から出せないように規制されているので、基板を容器本体から取り外せないようにすることができる。しかも、係止手段によって覆い部材が容器本体に対して取り外し不可に係止されているので、覆い部材を取り外して基板を容器本体から取り出そうとすることもできない。よって、基板を容器本体にネジ止めすることなく基板部品を組み立てることができ、その組み立て状態では基板が容器本体にかしめられている。
【０２５３】
また、基板をいわゆる主制御基板などのかしめ機構付きケースに内包する構成を採用しないので、基板に対して比較的に大きなかしめ機構が基板部品に付けられることがなく、基板部品が大型化することを低減できる。その結果、ネジ止め不要で基板をかしめて組み立てることができ、且つ、大型化しない基板部品を備えた遊技機を提供することができる。
【０２５４】
（１６）  遊技についての所定の制御を行う制御装置と、
前記制御装置と他の電気部品または他の制御装置との電気的接続を中継する中継基板を有する中継部品と、
を備えた遊技機において、
前記中継部品は、
前記中継基板が入れられる開口部を正面視した状態で奥側に窪んだ空間であって前記中継基板を収容するための窪み空間部を有する容器本体と、
前記中継基板が前記窪み空間部に収容された状態の前記容器本体における前記開口部の開口一辺側である端部が嵌入される嵌入部を有するとともに、前記嵌入部に前記容器本体の前記端部が挿入された状態で前記開口部の開口一辺側を覆う覆い部材と、
前記容器本体の前記窪み空間部に収容された状態の前記中継基板における前記覆い部材の存する箇所とは反対側の箇所を少なくとも前記開口部から出せないように規制する規制部と、
前記覆い部材の前記嵌入部に前記容器本体の前記端部が嵌入された状態で当該覆い部材を取り外し不可に係止する係止手段と、
を備えている
ことを特徴とする遊技機。
【０２５５】
前記（１６）に記載の発明によれば、制御装置は、遊技についての所定の制御を行う。中継部品は、制御装置と他の電気部品または他の制御装置との電気的接続を中継する中継基板を有する。この中継部品は、容器本体と覆い部材と規制部と係止手段とを備えている。容器本体は、中継基板が入れられる開口部を正面視した状態で奥側に窪んだ空間であって当該中継基板を収容するための窪み空間部を有する。覆い部材は、中継基板が窪み空間部に収容された状態の容器本体における開口部の開口一辺側である端部が嵌入される嵌入部を有するとともに、この嵌入部に容器本体の端部が挿入された状態で開口部の開口一辺側を覆う。規制部は、容器本体の窪み空間部に収容された状態の中継基板における覆い部材の存する箇所とは反対側の箇所を少なくとも開口部から出せないように規制する。係止手段は、覆い部材の嵌入部に容器本体の端部が嵌入された状態で当該覆い部材を取り外し不可に係止する。
【０２５６】
したがって、中継部品の容器本体に収容された中継基板の一端側は、規制部によって容器本体の開口部から出せないように規制されており、且つ、その中継基板の他端側は、覆い部材が容器本体の開口部の開口一辺側を覆うことによって、容器本体の開口部から出せないように規制されているので、中継基板を容器本体から取り外せないようにすることができる。しかも、係止手段によって覆い部材が容器本体に対して取り外し不可に係止されているので、覆い部材を取り外して中継基板を容器本体から取り出そうとすることもできない。よって、中継基板を容器本体にネジ止めすることなく中継部品を組み立てることができ、その組み立て状態では中継基板が容器本体にかしめられている。
【０２５７】
また、中継基板をいわゆる主制御基板などのかしめ機構付きケースに内包する構成を採用しないので、中継基板に対して比較的に大きなかしめ機構が中継部品に付けられることがなく、中継部品が大型化することを低減できる。その結果、ネジ止め不要で中継基板をかしめて組み立てることができ、且つ、大型化しない中継部品を備えた遊技機を提供することができる。
【０２５８】
（１７）  前記（１６）に記載の遊技機において、
前記覆い部材は、前記開口部の開口一辺側の覆いを除去するべく破壊される覆い解除用被破壊部を備えている
ことを特徴とする遊技機。
【０２５９】
前記（１７）に記載の発明によれば、覆い部材の覆い解除用被破壊部が破壊されると、当該覆い部材での開口部の開口一辺側の覆い部分が除去され、覆い部材に中継基板のかしめ解除の痕跡を残すことができ、容器本体からの中継基板の取り外しが可能となる。したがって、かしめ解除用被破壊部の破壊痕を見ることで、中継部品のかしめが解除されたことがわかる。
【０２６０】
（１８）  前記（１６）または（１７）に記載の遊技機において、
前記中継部品での前記覆い部材の取り外し方向側箇所に近接または当接する他部品が配設されている
ことを特徴とする遊技機。
【０２６１】
前記（１８）に記載の発明によれば、他部品は、中継部品での覆い部材の取り外し方向側箇所に近接または当接して配設されている。したがって、覆い部材を容器本体から無理矢理に取り外し方向に移動させて、係止手段の係止を無理矢理解除したり、係止手段を破壊したりして覆い部材を容器本体から不正に外そうとしても、他部品の存在によっても、その覆い部材の取り外しを規制でき、覆い部材の不正な取り外しを低減することができる。
【０２６２】
なお、本明細書で言う「近接」とは、覆い部材を移動させても中継部品から外れない程度に他部品が当該覆い部材の取り外し方向側箇所に配設されていることを意味する。
【０２６３】
（１９）  前記（１６）から（１８）のいずれか一つに記載の遊技機において、
前記覆い部材の前記嵌入部は、前記容器本体の挿入端部の少なくとも一部に当接する抜け規制部を備えている
ことを特徴とする遊技機。
【０２６４】
前記（１９）に記載の発明によれば、覆い部材の嵌入部に設けられた抜け規制部は、容器本体の挿入端部の少なくとも一部に当接するので、覆い部材の嵌入部に嵌入された容器本体をその嵌入方向に進めて抜き出すことができないし、容器本体をその嵌入方向とは逆方向に戻すことは係止手段によってできない。よって、覆い部材の容器本体からの不正な取り外しを低減できる。
【０２６５】
（２０）  前記（１６）から（１９）のいずれか一つに記載の遊技機において、
遊技球が打ち込まれる遊技領域が前面側に形成される遊技盤と、
前記遊技領域に配設された、遊技球が入賞可能な入賞部品と、
前記入賞部品への遊技球の入賞検出する入賞検出手段と、
前記容器本体は、前記開口部を正面視した状態で前記窪み空間部の所定箇所に、前記入賞検出手段が挿入される第１貫通部を備え、
前記中継基板は、前記容器本体の前記窪み空間部に収容された状態で前記第１貫通部に対応する箇所に、前記第１貫通部に挿入される前記入賞検出手段が挿入される第２貫通部
を備えている
ことを特徴とする遊技機。
【０２６６】
前記（２０）に記載の発明によれば、遊技盤は、遊技球が打ち込まれる遊技領域が前面側に形成されている。遊技領域には、遊技球が入賞可能な入賞部品が配設されている。入賞検出手段は、入賞部品への遊技球の入賞検出する。容器本体の窪み空間部の所定箇所に設けられた第１貫通部と、その窪み空間部に収容された中継基板の第２貫通部とに、単一の入賞検出手段が挿入される。したがって、入賞検出手段が貫通された中継部品を実現でき、中継部品を取り外すことなく入賞検出手段の取り付けや交換を行うことができる。また、入賞部品は遊技者にとっての利益に関係する部品であることから、入賞部品の背後位置に中継部品が配設される場合には、容器本体と中継基板との間に不正な基板を密かに配設する不正行為が懸念されるところであるが、中継部品が容器本体にかしめられているので、、容器本体と中継基板との間に不正な基板を密かに配設することを低減できる。
【０２６７】
（２１）  前記（２０）に記載の遊技機において、
前記遊技盤の裏面に配設されて当該遊技盤からの遊技球を集めて排出する集合板と、
前記入賞部品に入賞した遊技球を案内する、前記集合板の前面側の配設位置に配設される通路部品と、
前記通路部品を支持した状態で前記集合板の前記配設位置に配設され、前記配設位置に対向する箇所にネジ穴が形成された支持部材と、
前記集合板の前記配設位置に形成された、ネジが挿入される貫通孔と、
を備え、
前記容器本体は、前記集合板の裏面で前記配設位置に対応する箇所に取り付けられ、前記開口部を正面視した状態で前記窪み空間部で前記貫通孔の対応する箇所に、ネジ挿入孔が形成され、
前記ネジ挿入孔と前記貫通孔とに挿入されたネジを前記支持部材の前記ネジ穴に螺入することで、前記支持部材が前記集合板の前記配設位置に固定されるとともに前記容器本体が前記集合板の裏面で前記配設位置に対応する箇所に固定されている
ことを特徴とする遊技機。
【０２６８】
前記（２１）に記載の発明によれば、集合板は、遊技盤の裏面に配設されて当該遊技盤からの遊技球を集めて排出する。通路部品は、集合板の前面側の配設位置に配設されるものであり、入賞部品に入賞した遊技球を案内する。支持部材は、通路部品を支持した状態で集合板の配設位置に配設され、配設位置に対向する箇所にネジ穴が形成されている。集合板の配設位置には、ネジが挿入される貫通孔が形成されている。容器本体は、集合板の裏面で配設位置に対応する箇所に取り付けられ、開口部を正面視した状態で窪み空間部で貫通孔の対応する箇所に、ネジ挿入孔が形成されている。ネジ挿入孔と貫通孔とに挿入されたネジを支持部材のネジ穴に螺入することで、支持部材が集合板の前面の配設位置に固定されるとともに容器本体が集合板の裏面で配設位置に対応する箇所に固定されている。したがって、通路部品を支持する支持部材は、集合板の裏面の中継部品の容器本体の窪み形成部で中継基板下に隠れたネジで固定されており、中継部品のかしめを解除し、さらに容器本体から中継基板を取り外さなければネジにアクセスできないので、集合板での支持部材で支持される通路部品を不正に取り外すことを低減でき、集合板の裏面と容器本体との間や、容器本体と中継基板との間に不正な基板を密かに設けることを低減できる。
【０２６９】
（２２）  前記（１）から（２１）のいずれか一つに記載の遊技機において、
前記遊技機はパチンコ機であることを特徴とする遊技機。
【０２７０】
前記（２２）に記載の遊技機によれば、発光部実装基板（ＬＥＤ実装基板）を備えた集合板（入賞球集合通路部品）について遊技機機種変更に伴う設計変更負担を低減できるパチンコ機を提供でき（前記（１）から（６）に従属する場合）、機種変更にも低コストで対応できる集合板（入賞球集合通路部品）を備えたパチンコ機を提供でき（前記（７）から（１３）に従属する場合）、ネジ止め不要で中継基板をかしめて組み立てることができ、且つ、大型化しない中継部品を備えたパチンコ機を提供できる（前記（１４）から（１９）に従属する場合）。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２７１】
なお、本明細書に開示する種々の発明に関して、全ての構成要素について種々の組み合わせが可能であり、他の構成要件がなくても単独で発明として成立する点に留意されたい。
【産業上の利用可能性】
【０２７２】
以上のように、この発明は、パチンコ機等の遊技機に適している。
【符号の説明】
【０２７３】
３０  …透明遊技盤（透明盤）
３１  …一般入賞口（入賞部品）
３２  …可変入賞装置（入賞部品、可変入賞部品）
３３  …始動入賞装置（入賞部品、始動入賞部品）
５６  …一般入賞口用貫通孔（貫通孔）
５７  …始動入賞装置用貫通孔（貫通孔）
５８  …可変入賞装置用貫通孔（貫通孔）
６０  …集合通路盤（集合板）
６０Ａ…本体部品（本体部材）
６２  …許容空間形成壁部（許容空間形成部）
６７  …磁気検出センサ（磁気検出手段）
６８  …磁気検出センサホルダー（支持部品）
６８ａ…取付爪（取付部）
６９  …取付孔（支持部品用被取付部）
７０  …一般入賞口用通路部品（通路部品、通路部）
８５  …ホルダー用許容空間形成部（支持部品用許容空間形成部）
８６  …第１の始動口用通路部品（通路部品）
８７  …始動口用通路支持部品（支持部材）
９０  …中継基板部品（基板部品、中継部品）
９１  …大入賞口中継端子基板（基板、中継基板）
９１ｅ…第２貫通孔（第２貫通部）
９３  …中継基板ベース（容器本体）
９３ｂ…止め板部（規制部）
９３ｃ…係止部（係止手段）
９３ｅ…第１貫通孔（第１貫通部）
９５  …中継基板カバー（覆い部材）
９５ｂ…かしめ解除用被破壊部（覆い解除用被破壊部）
９５ｃ…被係止部（係止手段）
９５ｄ…抜け規制壁部（抜け規制部）
１５０  …ＬＥＤ基板（発光部実装基板）
１５１  …ＬＥＤ（発光部）
１６１  …左カバー部品（カバー部材）
１６２  …右カバー部品（他部品、カバー部材）
２６１  …主制御装置（制御装置）
２２１  …入賞口スイッチ（遊技球通過検出センサ）
２２３  …カウントスイッチ（電気部品）
２２４  …作動口スイッチ（入賞検出手段）
【図１】
2020054894.tif 000003
【図２】
2020054894.tif 000004
【図３】
2020054894.tif 000005
【図４】
2020054894.tif 000006
【図５】
2020054894.tif 000007
【図６】
2020054894.tif 000008
【図７】
2020054894.tif 000009
【図８】
2020054894.tif 000010
【図９】
2020054894.tif 000011
【図１０】
2020054894.tif 000012
【図１１】
2020054894.tif 000013
【図１２】
2020054894.tif 000014
【図１３】
2020054894.tif 000015
【図１４】
2020054894.tif 000016
【図１５】
2020054894.tif 000017
【図１６】
2020054894.tif 000018
【図１７】
2020054894.tif 000019
【図１８】
2020054894.tif 000020
【図１９】
2020054894.tif 000021
【図２０】
2020054894.tif 000022
【図２１】
2020054894.tif 000023
【図２２】
2020054894.tif 000024
【図２３】
2020054894.tif 000025
【図２４】
2020054894.tif 000026
【図２５】
2020054894.tif 000027
【図２６】
2020054894.tif 000028
【図２７】
2020054894.tif 000029
【図２８】
2020054894.tif 000030
【図２９】
2020054894.tif 000031
【図３０】
2020054894.tif 000032
【図３１】
2020054894.tif 000033
【図３２】
2020054894.tif 000034
【図３３】
2020054894.tif 000035
【図３４】
2020054894.tif 000036
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面側に形成される遊技盤と、
前記遊技領域に配設された、遊技球が入賞可能な入賞部品と、
前記入賞部品への遊技球の入賞を検出する入賞検出手段と、
遊技についての所定の制御を行う制御装置と、
前記制御装置と他の電気部品または他の制御装置との電気的接続を中継する中継基板と、
前記中継基板が取り付けられた状態で前記遊技盤の裏面側に配設される配設部品と、
を備え、
前記配設部品は、前記入賞検出手段が挿入される第１貫通部を備え、
前記中継基板は、前記第１貫通部に挿入された前記入賞検出手段が挿入される第２貫通部を備えている
ことを特徴とする遊技機。
【手続補正２】
【補正対象書類名】明細書
【補正対象項目名】全文
【補正方法】変更
【補正の内容】
【発明の詳細な説明】
【技術分野】
【０００１】
この発明は、パチンコ機等の遊技機に関する。
【背景技術】
【０００２】
従来、遊技機の代表例として例えばパチンコ機がある（例えば、特許文献１参照）。
【先行技術文献】
【特許文献】
【０００３】
【特許文献１】特開２００６−９５１６２号公報（第３−５頁，第２−６図）
【発明の概要】
【発明が解決しようとする課題】
【０００４】
しかしながら、このような構成を有する従来例の場合には、次のような問題がある。
【０００５】
すなわち、従来のパチンコ機では、例えば、遊技盤の裏面側の設計に負担がかかるという問題がある。
【０００６】
本発明は、このような事情に鑑みてなされたものであって、遊技盤の裏面側の設計負担を低減できる遊技機を提供することを目的とする。
【課題を解決するための手段】
【０００７】
この発明は、このような目的を達成するために、次のような構成をとる。
【０００８】
すなわち、請求項１に記載の発明は、
遊技球が打ち込まれる遊技領域が前面側に形成される遊技盤と、
前記遊技領域に配設された、遊技球が入賞可能な入賞部品と、
前記入賞部品への遊技球の入賞を検出する入賞検出手段と、
遊技についての所定の制御を行う制御装置と、
前記制御装置と他の電気部品または他の制御装置との電気的接続を中継する中継基板と、
前記中継基板が取り付けられた状態で前記遊技盤の裏面側に配設される配設部品と、
を備え、
前記配設部品は、前記入賞検出手段が挿入される第１貫通部を備え、
前記中継基板は、前記第１貫通部に挿入された前記入賞検出手段が挿入される第２貫通部を備えている
ことを特徴とするものである。
【発明の効果】
【０００９】
この発明に係る遊技機によれば、遊技盤の裏面側の設計負担を低減できる遊技機を提供することができる。
【図面の簡単な説明】
【００１０】
【図１】本発明の実施例１のパチンコ機の概略正面図である。
【図２】透明遊技盤の正面図である。
【図３】パチンコ機の裏面図である。
【図４】パチンコ機の電気的構成を示すブロック図である。
【図５】第３図柄表示装置の表示内容を示す説明図である。
【図６】実施例１の透明遊技盤を前方右上から見た概略斜視図である。
【図７】図６の透明遊技盤の後方斜視図である。
【図８】実施例１の透明遊技盤とその背後に位置する集合通路盤および下側の取付台とを前方右上から見た概略分解斜視図である。
【図９】図８の透明遊技盤を後方左上から見た概略分解斜視図である。
【図１０】透明遊技盤の背面に集合通路盤のみが取り付けられた状態の後方斜視図である。
【図１１】図１０の集合通路盤を本体部品のみとした状態の後方斜視図である。
【図１２】可変入賞装置および始動入賞装置を前面側に対応図示した集合通路盤の前方斜視図である。
【図１３】図１２の集合通路盤の後方斜視図である。
【図１４】集合通路盤を後方左上から見た斜視図である。
【図１５】集合通路盤を後方右上から見た斜視図である。
【図１６】集合通路盤を前方左上から見た斜視図である。
【図１７】集合通路盤を前方右上から見た斜視図である。
【図１８】集合通路盤を前方右上から見た斜視図である。
【図１９】集合通路盤を前方左上から見た斜視図である。
【図２０】集合通路盤を後方左上から見た斜視図である。
【図２１】集合通路盤を後方右上から見た斜視図である。
【図２２】（ａ）〜（ｆ）は、その順に、集合通路盤の平面図、左側面図、正面図、右側面図、背面図および底面図である。
【図２３】（ａ）〜（ｆ）は、その順に、一般入賞口用通路部品の平面図、左側面図、正面図、右側面図、背面図および底面図である。
【図２４】（ａ），（ｂ）は、その順に、始動口用通路部品の前方分解斜視図および後方分解斜視図である。
【図２５】（ａ）〜（ｆ）は、その順に、左カバー部品の平面図、左側面図、正面図、右側面図、背面図および底面図である。
【図２６】（ａ）〜（ｆ）は、その順に、右カバー部品の平面図、左側面図、正面図、右側面図、背面図および底面図である。
【図２７】（ａ），（ｂ）は、その順に、中継基板部品の前方分解斜視図および後方分解斜視図である。
【図２８】（ａ）〜（ｆ）は、その順に、中継基板ベースの平面図、左側面図、正面図、右側面図、背面図および底面図である。
【図２９】（ａ）〜（ｆ）は、その順に、中継基板カバーの平面図、右側面図、背面図、左側面図、正面図および底面図である。
【図３０】（ａ）〜（ｃ）は、中継基板部品のかしめを解除する手順を示す背面図である。
【図３１】（ａ）〜（ｃ）は、中継基板部品のかしめを解除する手順を示す斜視図である。
【図３２】異機種の一般入賞口用通路部品が取り付け可能なことを示す集合通路盤の正面図である。
【図３３】集合通路盤の背面に配設されたＬＥＤ基板でのＬＥＤ配置箇所と一般入賞口用通路部品との対応関係を示す図である。
【図３４】前面側の許容空間に装飾部品を備えた透明遊技盤の正面図である。
【発明を実施するための形態】
【００１１】
以下、パチンコ遊技機（以下、単に「パチンコ機」という）の各種の実施の形態を、図面に基づいて詳細に説明する。
【実施例１】
【００１２】
実施例１のパチンコ機を、図面に基づいて詳細に説明する。
【００１３】
図１はパチンコ機１０の正面図であり、図２は、パチンコ機１０の透明遊技盤３０の正面図であり、図３は、パチンコ機１０の裏面図である。
【００１４】
図４は、パチンコ機１０の電気的構成を示すブロック図である。図５は、第３図柄表示装置４２の表示内容を示す説明図である。
【００１５】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００１６】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１７】
内枠１２は、大別すると、その外形を形成する主要部材としての樹脂ベース（図示省略）と、この樹脂ベース（図示省略）に取り付けられる透明樹脂製の透明遊技盤３０（図２参照）とを備えている。また、内枠１２は、図１に示すように、樹脂ベース（図示省略）の前面側で片開き自在な前面枠セット１４を備えている。
【００１８】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００１９】
前面枠セット１４は、正面視左側で上下方向の開閉軸Ｊ１を軸心にして当該内枠１２に対して開閉自在に取り付けられている。言い換えれば、前面枠セット１４は、樹脂ベース（図示省略）に対して開閉自在となっている。
【００２０】
透明遊技盤３０（図２参照）は、その遊技領域３０ａを樹脂ベース（図示省略）の開口部に位置させるようにして当該樹脂ベースの裏面側に着脱自在に取り付けられる。
【００２１】
ここで、もう少し詳細に前面枠セット１４について説明する。
【００２２】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００２３】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、図示省略のベース板体の前面側各箇所にそれぞれ取り付けられて前面枠セット１４が構成されている。
【００２４】
下皿ユニット１３は、図１に示すように、前面枠セット１４の最下部箇所に位置するように、ネジ等の締結具によりベース板体（図示省略）の正面視で最下部箇所に固定されている。この下皿ユニット１３は、その前面側に、下皿１５と球抜きレバー１７と遊技球発射ハンドル１８とを備えている。
【００２５】
球受皿としての下皿１５は、下皿ユニット１３のほぼ中央部に設けられており、排出口１６より排出された遊技球が下皿１５内に貯留可能である。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００２６】
遊技球発射ハンドル１８は、下皿１５よりも右方で手前側に突出して配設されている。遊技者による遊技球発射ハンドル１８の操作に応じて、遊技球発射装置３８によって遊技球が透明遊技盤３０（図２参照）の方へ打ち込まれる。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００２７】
上皿ユニット２１は、図１に示すように、前面枠セット１４の下部箇所（前述の下皿１５の上方位置）に位置するように、ネジ等の締結具によりベース板体（図示省略）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００２８】
ガラス枠部２３は、図１に示すように、上皿ユニット２１の上側に形成された窓部１０１と、この窓部１０１の周囲に設けられた各種の電飾部とを備えている。
【００２９】
つまり、前面枠セット１４には、図１に示すように、上皿ユニット２１の上側に位置するガラス枠部２３の中央箇所に、透明遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００３０】
さらに、ガラス枠部２３は、図１に示すように、窓部１０１の周囲に各種の電飾部（第１電飾部３００、第２電飾部３０２および第３電飾部３０４）を備えている。つまり、前面枠セット１４は、図１に示すように、その前面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００３１】
本パチンコ機１０では、第１電飾部３００、第２電飾部３０２および第３電飾部３０４は、大当たりランプとして機能し、大当たり時に点灯や点滅を行うことにより、大当たり中であることを報知する。その他、本パチンコ機１０の第１電飾部３００および第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や透明遊技盤３０表面等の一部を視認できるよう透明樹脂からなる小窓１０７が設けられている。この小窓１０７の所定箇所を平面状としているので、透明遊技盤３０の右下隅部に貼り付けられた証紙などを、小窓１０７の当該平面状箇所から機械で好適に読み取ることができる。
【００３２】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３３】
透明遊技盤３０は、図２に示すように、正面視で四角形状の合板でその左側の両角部が取れたような形状としており、その周縁部（後述するレール５１，５２の外側部分）が内枠１２の樹脂ベース（図示省略）の裏側に当接した状態で取着されており、この透明遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態である。
【００３４】
次に、図２を用いて透明遊技盤３０の構成を説明する。透明遊技盤３０は、一般入賞口３１、可変入賞装置３２、始動入賞装置３３（例えば作動チャッカ）、第３の始動口３４（例えばスルーゲート）および可変表示装置ユニット３５を備えている。これらの一般入賞口３１、可変入賞装置３２、始動入賞装置３３、第３の始動口３４および可変表示装置ユニット３５は、透明遊技盤３０における、ルータ加工によって形成された各貫通穴にそれぞれに配設され、透明遊技盤３０前面側から木ネジ等により取り付けられている。一般入賞口３１、可変入賞装置３２、始動入賞装置３３に遊技球が入球し、当該入球が後述する検出スイッチ（後述の図２０に示す入賞口スイッチ２２１、後述の図１３に示すカウントスイッチ２２３、後述の図１３に示す作動口スイッチ２２４）で検出され、この検出スイッチの出力に基づいて、上皿１９（または下皿１５）へ所定数の賞品球が払い出される。
【００３５】
また、始動入賞装置３３は、図２に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには第１の始動口３３ａ用の後述の図１３に示す作動口スイッチ２２４（通過検出スイッチ）が設けられ、この第１の始動口３３ａへの入球をその第１の始動口３３ａ用の作動口スイッチ２２４により検出される。また、下部側の第２の始動口３３ｂには第２の始動口３３ｂ用の後述の図１３に示す作動口スイッチ２２４（通過検出スイッチ）が設けられ、この第２の始動口３３ｂへの入球をその第２の始動口３３ｂ用の作動口スイッチ２２４（図１３参照）により検出される。すなわち、上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００３６】
その他に、図２に示すように、透明遊技盤３０にはアウト口３６が設けられており、各種入賞装置等に入球しなかった遊技球はこのアウト口３６を通って図示しない球排出路の方へと案内される。透明遊技盤３０には、遊技球の落下方向を適宜分散、調整等するために多数の釘が植設されているとともに、風車３７等の各種部材（役物）が配設されている。
【００３７】
可変表示装置ユニット３５は、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００３８】
第１図柄表示装置４０は、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃと、第２の始動口３３ｂへの入球に基づいて変動発光等する複数個（本実施例では２個）の２色発光タイプのＬＥＤ（発光ダイオード）４０ｄ，４０ｅと、このＬＥＤ４０ｄ，４０ｅでの変動表示の保留数を示す保留ランプ４０ｆとを備えている。
【００３９】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００４０】
上記と同様に、第２の始動口３３ｂへの入球に基づいて変動発光等するＬＥＤ４０ｄ，４０ｅは、例えば、赤色と青色に発光可能なものである。第１図柄表示装置４０は、各ＬＥＤ４０ｄ，４０ｅの発光色を交互に変更させることで、第１図柄（本実施例では各ＬＥＤ４０ｄ，４０ｅの発光色態様）の変動表示状態を発生させ、例えば、両方のＬＥＤ４０ｄ，４０ｅが赤色発光状態で停止すると確変大当り（特定当り）を示し、両方のＬＥＤ４０ｄ，４０ｅが青色発光状態で停止すると通常大当り（非特定当り）を示し、両方のＬＥＤ４０ｄ，４０ｅが互いに異なる色の発光状態で停止すると外れを示す。
【００４１】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００４２】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第２の始動口３４を通過した回数は最大４回まで保留され、その保留回数が保留ランプ４１ｃにて点灯表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００４３】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２としてＬＣＤを採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が本発明における装飾識別情報（図柄）変動表示手段に相当し、上述した表示制御装置４５が本発明における表示制御手段に相当する。
【００４４】
図２に示すように、可変入賞装置３２は、通常は遊技球が入賞できない又は入賞し難い閉状態になっており、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。つまり、本実施例のパチンコ機１０は、遊技球の投入数（遊技球発射装置３８による遊技球の遊技領域３０ａへの発射数）の方が、遊技球の賞球払出数（一般入賞口３１、可変入賞装置３２、始動入賞装置３３、第３の始動口３４などへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００４５】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００４６】
上記と同様に、第２の始動口３３ｂに対し遊技球が入賞すると第１図柄表示装置４０の２個のＬＥＤ４０ｄ，４０ｅが変動表示され、その変動停止後のＬＥＤ４０ｄ，４０ｅの表示が予め設定した発光態様の組合せとなった場合に特定遊技状態が発生する。例えば、両方のＬＥＤ４０ｄ，４０ｅが赤色発光状態で停止するという発光態様の場合には、確変大当り（特定当り）の特定遊技状態に当選したことを示し、両方のＬＥＤ４０ｄ，４０ｅが青色発光状態で停止するという発光態様の場合には、通常大当り（非特定当り）の特定遊技状態に当選したことを示し、両方のＬＥＤ４０ｄ，４０ｅが互いに異なる色の発光状態で停止するという発光態様の場合には外れ（特定遊技状態に落選したこと）を示す。
【００４７】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留ランプ４０ｃにて表示される。また、遊技球が第２の始動口３３ｂを通過した回数も最大４回まで保留され、その保留回数が保留ランプ４０ｆにて表示される。なお、保留ランプ４０ｃ，４０ｆは、第３図柄表示装置４２の表示画面の一部で保留表示等される構成等であっても良い。
【００４８】
また、透明遊技盤３０には、図２に示すように、遊技球発射装置３８（図３参照）から発射された遊技球を透明遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に透明遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、透明遊技盤３０との当接面を有した溝状、すなわち手前側を開放した溝状に形成されている。
【００４９】
内レール５１の先端部分（図２の左上部）には戻り球防止部材５３が取着されている。これにより、一旦、内レール５１及び外レール５２間の球案内通路４９から透明遊技盤３０の上部へと案内された遊技球が再度球案内通路４９内に戻ってしまうといった事態が防止されるようになっている。また、透明遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム５４（図２に二点鎖線で示す部材）が位置している。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図２に破線で示すように、外レール５２の先端部から内レール５１の右側先端部までは、内枠１２に形成された壁部６０（図２に破線で示す）が位置することにより、遊技領域３０ａが仕切られている。
【００５０】
なお、透明遊技盤３０の右下隅部は、証紙（例えば製造番号が記載されている）等のシール（図２のＳ１）やプレートを貼着するためのスペースとなっている。透明遊技盤３０の右下隅部に、証紙等のシール（図２のＳ１）を貼着することで、透明遊技盤３０と証紙との一義性を持たせることができる。
【００５１】
次に、透明遊技盤３０の遊技領域３０ａについて説明する。遊技領域３０ａは、図２に示すように、内レール５１と外レール５２との内周部（内外レール）により略縦長円形状に区画形成されており、特に本実施の形態では、透明遊技盤３０の盤面上に区画される当該遊技領域３０ａが大きく構成されている。
【００５２】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は透明遊技盤３０の下端位置によって特定される。また、遊技領域３０ａの上側限界位置は外レール５２によって特定される。
【００５３】
なお、詳しい図面の開示は省略するが、遊技球発射装置３８には、前面枠セット１４の図示省略の球出口（上皿１９の最下流部より通じる球出口）から遊技球が１つずつ供給される。
【００５４】
次に、パチンコ機１０の背面の構成について説明する。図３に示すように、パチンコ機１０は、その背面（実際には内枠１２及び透明遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（図示省略）に分けて搭載して２つの制御基板ユニットを構成し、それら制御基板ユニットを個別に内枠１２又は透明遊技盤３０の裏面に装着するようにしている。この場合、後述する図４に示した主制御装置２６１とサブ制御装置２６２とを、透明遊技盤３０に取り付けられる別々の取付台（図示省略）に搭載してそれぞれユニット化すると共に、後述する図４に示した払出制御装置３１１、発射制御装置３１２及び電源装置３１３を別の取付台（図示省略）に搭載してユニット化している。ここでは便宜上、前者のユニットを「第１制御基板ユニット２０１」と称し、後者のユニットを「第２制御基板ユニット２０２」と称することとする。
【００５５】
なお、本実施例では、透明遊技盤３０の下側領域部分には、図２に破線で示すように、後述する集合通路盤６０が設けられ、遊技領域３０ａのうちでセンターフレーム４７の周囲箇所には透明遊技盤３０の背後にセルシート（装飾シート）が設けられているため、透明遊技盤３０の背後の上述の第１制御基板ユニット２０１や第２制御基板ユニット２０２などが透明遊技盤３０の正面視で透けて見えるようなことがない。また、第３図柄表示装置４２として、遊技領域３０ａのうちで図２で破線で示す集合通路盤６０以外の領域をカバーする、より大型な液晶表示装置を採用するようにしてもよい。
【００５６】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５７】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は透明遊技盤３０の裏面に対して開閉できる構成としている。これは、各ユニット２０１〜２０３やその他構成が前後に重ねて配置されても、隠れた構成等を容易に確認することを可能とするための工夫でもある。
【００５８】
また、透明遊技盤３０の裏面には、各種入賞口などの遊技球の通過を検出するための入賞感知機構などが設けられている。具体的には、透明遊技盤３０表側の一般入賞口３１に対応する位置には入賞口スイッチ２２１が設けられ、可変入賞装置３２にはカウントスイッチ２２３が設けられている。カウントスイッチ２２３は入賞球をカウントするスイッチである。また、第１の始動口３３ａ，第２の始動口３３ｂに対応する位置には第１の始動口３３ａ用の作動口スイッチ２２４と第２の始動口３３ｂ用の作動口スイッチ２２４とがそれぞれ設けられ、第１の始動口３３ａ，第２の始動口３３ｂへの遊技球の入球を当該作動口スイッチ２２４で検出される。第３の始動口３４に対応する位置にはゲートスイッチが設けられ、第３の始動口３４への遊技球の通過を当該ゲートスイッチで検出される。
【００５９】
一般入賞口３１の入賞口スイッチ２２１及び第３の始動口３４のゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、可変入賞装置３２のカウントスイッチ２２３は後述する大入賞口中継端子基板９１に接続され、さらにこの大入賞口中継端子基板９１がやはり主制御基板２６１ａに接続されている。これに対し、第１の始動口３３ａおよび第２の始動口３３ｂの各作動口スイッチ２２４は中継基板を介さずに直接に主制御基板２６１ａに接続されている。
【００６０】
その他図示は省略するが、可変入賞装置３２には、大入賞口３２ａを開放するための大入賞口ソレノイドが設けられ、下部側の第２の始動口３３ｂには、電動役物を開放するための作動口ソレノイドが設けられている。
【００６１】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００６２】
第１制御基板ユニット２０１は、例えば略矩形状の取付台（図示省略）を上下２つ有し、透明遊技盤３０の裏面側から見た状態での下側の取付台２３０（図７〜図９参照）に主制御装置２６１が搭載され、上側の取付台にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは、封印ユニット（図示省略）によって開封不能に連結され、これにより基板ボックス（図示省略）が封印されている。
【００６３】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００６４】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６５】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００６６】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００６７】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できる。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００６８】
次に、裏パックユニット２０３の構成を説明する。裏パックユニット２０３は、図３に示すように、樹脂成形された裏パック３５１と遊技球の払出機構部３５２とを一体化したものである。
【００６９】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて上皿１９に供給される。
【００７０】
また、タンクレール３５６には、当該タンクレール３５６に振動を付加するためのバイブレータ３６０が設けられている。例えば、バイブレータ３６０が例えば２本のネジでタンクレール３５６に締結されて取り付けられる。さらに、バイブレータ３６０は、タンクレール３５６に面接触するのではなく、当該２本のネジの部分で接触しており、バイブレータ３６０による振動がより効果的にタンクレール３５６に伝わる。従って、仮にタンクレール３５６付近で球詰まりが生じた際、バイブレータ３６０が駆動されることで球詰まりが解消される。
【００７１】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされる。
【００７２】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制される。
【００７３】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力される。
【００７４】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００７５】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００７６】
ＲＡＭ５０３は、パチンコ機１０の電源のオフ後においても電源装置３１３からバックアップ電圧が供給されてデータが保持（バックアップ）できる構成としており、ＲＡＭ５０３には、各種のデータ等を一時的に記憶するためのメモリやエリアを備えている。
【００７７】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００７８】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００７９】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成としており、ＲＡＭ５１３には、各種のデータ等を一時的に記憶するためのメモリやエリアを備えている。
【００８０】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８１】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８２】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００８３】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【００８４】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００８５】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００８６】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００８７】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００８８】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８９】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００９０】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００９１】
なお、電源部５４１は、電源部５４１で監視している交流２４ボルトが２４ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００９３】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【００９４】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示される。
【００９５】
続いて、本実施例のパチンコ機１０のさらなる特徴部分について図６〜図１１を用いて説明する。
【００９６】
図６は、実施例１の透明遊技盤３０を前方右上から見た概略斜視図である。図７は、図６の透明遊技盤３０の後方斜視図である。図８は、実施例１の透明遊技盤３０とその背後に位置する集合通路盤６０および主制御装置２６１の取付台２３０とを前方右上から見た概略分解斜視図である。図９は、図８の透明遊技盤３０を後方左上から見た概略分解斜視図である。図１０は、透明遊技盤３０の背面に集合通路盤６０のみが取り付けられた状態の後方斜視図である。図１１は、図１０の集合通路盤６０を本体部品６０Ａのみとした状態の後方斜視図である。
【００９７】
本実施例のパチンコ機１０は、図２を用いて前述したように透明遊技盤３０を備えている。この透明遊技盤３０は、図２に示すように、その前面側に、遊技球が打ち込まれる遊技領域３０ａを備えた透明樹脂製の部材である。
【００９８】
この透明遊技盤３０遊技領域３０ａの下部側箇所には、図２，図６に示すように、始動入賞装置３３と、この始動入賞装置３３の直下に設けられた可変入賞装置３２と、始動入賞装置３３の略両側で離間した箇所に配設された４個の一般入賞口３１と、が設けられている。
【００９９】
なお、図６，図８では、透明遊技盤３０の遊技領域３０ａの下部領域に、一般入賞口３１、可変入賞装置３２、始動入賞装置３３のみを配置した状態を図示し、その他の構成品（センターフレーム４７やレール５１，５２や釘など）の図示を省略している。
【０１００】
また、図６，図８での一般入賞口３１、可変入賞装置３２、始動入賞装置３３は、図２での一般入賞口３１、可変入賞装置３２、始動入賞装置３３と異なる形状のものとしているが、図２での一般入賞口３１、可変入賞装置３２、始動入賞装置３３と同じものとしてもよい。
【０１０１】
また、透明遊技盤３０の裏面には、図６〜図８に示すように、透明遊技盤３０からの遊技球を集めて排出する通路を形成する集合通路盤６０を備えている。具体的には、集合通路盤６０は、図８に示すように、一般入賞口３１、可変入賞装置３２、始動入賞装置３３に入賞した遊技球を集めて当該パチンコ機１０の下部の島設備に設けられた遊技球回収装置（図示省略）に向けて排出する通路を形成するものである。
【０１０２】
透明遊技盤３０は、図６に示すように、一般入賞口３１、可変入賞装置３２、始動入賞装置３３の各配設箇所に貫通孔（後述する一般入賞口用貫通孔５６、始動入賞装置用貫通孔５７および可変入賞装置用貫通孔５８）がそれぞれ当該透明遊技盤３０の前後方向に貫通して形成されているため、これらの一般入賞口３１、可変入賞装置３２、始動入賞装置３３に入賞した遊技球が対応する貫通孔（後述する一般入賞口用貫通孔５６、始動入賞装置用貫通孔５７および可変入賞装置用貫通孔５８）を通過して当該透明遊技盤３０の背後に案内される。
【０１０３】
具体的には、図６に示すように、透明遊技盤３０の一般入賞口３１の配置箇所には、一般入賞口用貫通孔５６が形成されている。また、図６に示すように、透明遊技盤３０の始動入賞装置３３の配置箇所には、始動入賞装置用貫通孔５７が形成されている。また、透明遊技盤３０の可変入賞装置３２の配置箇所には、図９に示すように、可変入賞装置用貫通孔５８が形成されている。
【０１０４】
ここで、集合通路盤６０の前面側構造等について、図１２〜図２４の図面も用いてもう少し詳細に説明する。
【０１０５】
図１２は、可変入賞装置３２および始動入賞装置３３を前面側に対応図示した集合通路盤６０の前方斜視図である。図１３は、図１２の集合通路盤６０の後方斜視図である。図１４は、集合通路盤６０を後方左上から見た斜視図である。図１５は、集合通路盤６０を後方右上から見た斜視図である。図１６は、集合通路盤６０を前方左上から見た斜視図である。図１７は、集合通路盤６０を前方右上から見た斜視図である。図１８は、集合通路盤６０を前方右上から見た斜視図である。図１９は、集合通路盤６０を前方左上から見た斜視図である。図２０は、集合通路盤６０を後方左上から見た斜視図である。図２１は、集合通路盤６０を後方右上から見た斜視図である。図２２（ａ）〜（ｆ）は、その順に、集合通路盤６０の平面図、左側面図、正面図、右側面図、背面図および底面図である。図２３（ａ）〜（ｆ）は、その順に、一般入賞口用通路部品７０の平面図、左側面図、正面図、右側面図、背面図および底面図である。図２４（ａ），（ｂ）は、その順に、始動口用通路部品の前方分解斜視図および後方分解斜視図である。
【０１０６】
集合通路盤６０は、図１７，図１８に示すように、透明遊技盤３０の裏面に取付可能な本体部品６０Ａと、透明遊技盤３０の一般入賞口３１に入賞した遊技球を案内する、本体部品６０Ａに取り付け可能な一般入賞口用通路部品７０と、を備えている。本体部品６０Ａおよび一般入賞口用通路部品７０は、樹脂成型部品としている。
【０１０７】
本体部品６０Ａは、図１８，図１９に示すように、その前面側箇所で下向きに設けられた、透明遊技盤３０からの遊技球を外部へ排出する排出口６１を備えている。
【０１０８】
具体的には、図１６，図１７に示す左側の排出口６１は、透明遊技盤３０の下部左側の２個の一般入賞口３１に入賞した入賞球を下方に排出するためのものである。また、図１６，図１７に示す中央の排出口６１は、透明遊技盤３０の始動入賞装置３３の第２の始動口３３ｂに入賞した入賞球と、可変入賞装置３２に入賞した入賞球とを下方に排出するためのものである。また、図１６，図１７に示す右側の排出口６１は、透明遊技盤３０の下部右側の２個の一般入賞口３１に入賞した入賞球を下方に排出するためのものである。また、始動入賞装置３３の第１の始動口３３ａに入賞した入賞球は、図１７に一点鎖線で示す経路で案内されて、右側の排出口６１から下方に排出される。
【０１０９】
さらに、本体部品６０Ａは、図１８，図１９に示すように、一般入賞口用通路部品７０で案内される遊技球を排出口６１から排出する姿勢状態で当該一般入賞口用通路部品７０が着脱可能に取り付けられる被取付部６３を備えている。
【０１１０】
一般入賞口用通路部品７０は、図２０、図２１および図２３に示すように、本体部品６０Ａの被取付部６３に着脱可能に取り付けるための取付部７１を備えている。
【０１１１】
具体的には、この取付部７１は、図２０，図２３に示すように、一般入賞口用通路部品７０の裏面上部の二箇所に形成された各筒状突起部７２と、これらの筒状突起部７２の各上方箇所に形成された二個の係止爪７３と、一般入賞口用通路部品７０を流下する遊技球の通過を検出する入賞口スイッチ２２１（通過検出センサ：近接センサ）を保持する保持部７４と、を備えている。
【０１１２】
本体部品６０Ａの被取付部６３は、図１８、図１９および図２２（ｃ）に示すように、一般入賞口用通路部品７０の筒状突起部７２が嵌入される嵌合孔部６４と、一般入賞口用通路部品７０の係止爪７３が挿入される被係止孔６５と、一般入賞口用通路部品７０の保持部７４が挿入される挿入口６６とを備えている。
【０１１３】
図１８，図１９に示すように、本体部品６０Ａの被取付部６３には、一般入賞口用通路部品７０の取付部７１が取り付けられる。つまり、本体部品６０Ａの嵌合孔部６４に一般入賞口用通路部品７０の筒状突起部７２が嵌入され、且つ、本体部品６０Ａの被係止孔６５に一般入賞口用通路部品７０の係止爪７３が挿入されて係止されるとともに、本体部品６０Ａの挿入口６６に一般入賞口用通路部品７０の保持部７４が挿入されることで、図１６，図１７に示すように、本体部品６０Ａに一般入賞口用通路部品７０が取り付けられた状態となる。
【０１１４】
さらに、本体部品６０Ａは、図１８，図１９に示すように、被取付部６３を有するとともに、この被取付部６３に取付可能で異なる通路形状の一般入賞口用通路部品７０の装着を許容する許容空間６２ａを形成する許容空間形成壁部６２を備えている。
【０１１５】
また、この許容空間形成壁部６２は、図１６，図１７に示すように、本体部品６０Ａの透明遊技盤３０と対向する側を見た状態でその本体部品６０Ａの周縁箇所のうちで左側上部と左側辺部と右側上部と右側辺部とに、透明遊技盤３０の裏面に当接するように延出した周縁壁部としている。なお、許容空間形成壁部６２を透明遊技盤３０の裏面に近接するようにしてもよい。
【０１１６】
さらに、この本体部品６０Ａは、図２０に示すように、透明遊技盤３０に磁石を近づけたことを検出する磁気検出センサ６７と、この磁気検出センサ６７を支持する磁気検出センサホルダー６８とを備えている。
【０１１７】
この磁気検出センサ６７は、例えば、不正行為者が透明遊技盤３０のガラス板１３７（図１参照）面に磁石を近づけることで、透明遊技盤３０を流下する遊技球を、不正に第１の始動口３３ａ等に入賞させようとする不正行為を検出するためのものである。この磁気検出センサで磁気検出（不正に磁石を近づけたことを検出）は、主制御基板２６１ａあるいはホール側のホストコンピュータ等に出力され、エラー報知（パチンコ機での報知やホール側での報知）や遊技の停止（一部遊技停止）などが行われる。
【０１１８】
この磁気検出センサホルダー６８は、図１８，図１９に示すように、本体部品６０Ａの透明遊技盤３０と対向する側を見た状態でその周縁箇所のうちの一部箇所（本実施例では、左側上部と中央上部の間の箇所と、右側上部と中央上部の間の箇所）に、透明遊技盤３０の裏面に当接するとともに許容空間形成壁部６２に連なるようにして設けられている。なお、磁気検出センサホルダー６８を透明遊技盤３０の裏面に近接するようにしてもよい。
【０１１９】
具体的には、本体部品６０Ａは、図１８，図１９に示すように、磁気検出センサホルダー６８が着脱可能に取り付けられる取付孔６９を備えている。
【０１２０】
磁気検出センサホルダー６８は、図１８，図１９に示すように、本体部品６０Ａの取付孔６９に着脱可能に取り付けるための一対の取付爪６８ａを備えている。
【０１２１】
さらに、本体部品６０Ａは、図１８，図１９に示すように、取付孔６９を有するとともに、取付孔６９に取付可能で異なる形状の磁気検出センサホルダー６８の装着を許容する磁気検出センサホルダー用許容空間８５ａを形成するホルダー用許容空間形成部８５を備えている。
【０１２２】
さらに、本体部品６０Ａは、図１８，図１９に示すように、その前面側の中央上部側箇所に、第１の始動口用通路部品８６が取り付けられている。この第１の始動口用通路部品８６は、透明遊技盤３０の第１の始動口３３ａに入賞した遊技球を案内するものである。さらに、この第１の始動口用通路部品８６は、図２０，図２１に示すように、作動口スイッチ２２４を備えており、第１の始動口用通路部品８６を流下する遊技球が作動口スイッチ２２４で通過検出される。
【０１２３】
具体的には、第１の始動口用通路部品８６は、図２４に示すように、その横幅中央位置から左側にずれた箇所で縦割りされた左側通路部材８６ａおよび右側通路部材８６ｂで構成されている。図１６，図１７に示すように、第１の始動口用通路部品８６での左側通路部材８６ａと右側通路部材８６ｂとの境界面ＢＬは、遊技球が当接する通路の中央箇所から左側にずれた位置となっており、遊技球がこの境界面ＢＬ箇所に当接することが低減されており、境界面ＢＬのガタつきで遊技球がスムーズに流れないなどの問題を低減することができる。
【０１２４】
また、第１の始動口用通路部品８６は、図１６，図１７に示すように、その入口部８６ｃが、本体部品６０Ａの透明遊技盤３０と対向する側を見た状態でその周縁箇所のうちの一部箇所である中央上部に、透明遊技盤３０の裏面に当接するようにして設けられている。なお、第１の始動口用通路部品８６の入口部８６ｃを透明遊技盤３０の裏面に近接するようにしてもよい。
【０１２５】
なお、第２の始動口３３ｂに入賞した遊技球は、図１６に示すように、第１の始動口用通路部品８６の下部のコノ字状の切り欠き部８６ｄを通って可変入賞装置３２の上部に案内され、可変入賞装置３２の図示省略の通路を通って、中央の排出口６１から下方に排出される。また、第２の始動口３３ｂに入賞した遊技球は、可変入賞装置３２の図示省略の通路に設けられた作動口スイッチ２２４で通過検出される。
【０１２６】
ここで、集合通路盤６０の裏面側構造等について、図２５〜図３２の図面も用いてもう少し詳細に説明する。
【０１２７】
図２５（ａ）〜（ｆ）は、その順に、左カバー部品１６１の平面図、左側面図、正面図、右側面図、背面図および底面図である。図２６（ａ）〜（ｆ）は、その順に、右カバー部品１６２の平面図、左側面図、正面図、右側面図、背面図および底面図である。図２７（ａ），（ｂ）は、その順に、中継基板部品９０の前方分解斜視図および後方分解斜視図である。図２８（ａ）〜（ｆ）は、その順に、中継基板ベース９３の平面図、左側面図、正面図、右側面図、背面図および底面図である。図２９（ａ）〜（ｆ）は、その順に、中継基板カバー９５の平面図、右側面図、背面図、左側面図、正面図および底面図である。図３０（ａ）〜（ｃ）は、中継基板部品９０のかしめを解除する手順を示す背面図である。図３１（ａ）〜（ｃ）は、中継基板部品９０のかしめを解除する手順を示す斜視図である。図３２は、異機種の一般入賞口用通路部品７０が取り付け可能なことを示す集合通路盤６０の正面図である。図３３は、集合通路盤６０の背面に配設されたＬＥＤ基板１５０でのＬＥＤ１５１の配置箇所と一般入賞口用通路部品７０との対応関係を示す図である。
【０１２８】
まず、集合通路盤６０の裏面側中央箇所に設けられた中継基板部品９０について説明する。
【０１２９】
前述したように本実施例１のパチンコ機１０は、図４に示すように、遊技を統括的に制御する主制御装置２６１を備えている。
【０１３０】
また、集合通路盤６０の裏面側中央箇所には、図１４，図１５に示すように、主制御装置２６１の主制御基板２６１ａ（図４参照）と可変入賞装置３２のカウントスイッチ２２３との電気的接続を中継する大入賞口中継端子基板９１を有する中継基板部品９０を備えている。
【０１３１】
ここで、中継基板部品９０の構成について説明する。中継基板部品９０は、図２７に示すように、大入賞口中継端子基板９１と中継基板ベース９３と中継基板カバー９５とを備えている。
【０１３２】
具体的には、中継基板ベース９３は、図２７（ｂ）に示すように、大入賞口中継端子基板９１が入れられる開口部を正面視した状態で奥側に窪んだ空間であって大入賞口中継端子基板９１を収容するための窪み空間部９３ａを有している。
【０１３３】
中継基板カバー９５は、図２７（ｂ）に示すように、大入賞口中継端子基板９１が窪み空間部９３ａに収容された状態（図３１（ａ）参照）の中継基板ベース９３における開口部の開口右辺側の端部が嵌入される嵌入部９５ａを有するとともに、図３１（ａ）に示すように、嵌入部９５ａに中継基板ベース９３の端部が挿入された状態で開口部の開口右辺側を覆うものである。
【０１３４】
さらに、中継基板ベース９３は、図２８（ｅ）に示すように、中継基板ベース９３の窪み空間部９３ａに収容された状態の大入賞口中継端子基板９１における中継基板カバー９５の存する箇所とは反対側の箇所を少なくとも開口部から出せないように規制する止め板部９３ｂを備えている。つまり、大入賞口中継端子基板９１が中継基板ベース９３の窪み空間部９３ａに収容された状態では、図３０に破線で示すように、大入賞口中継端子基板９１の左辺箇所が止め板部９３ｂによって外れ出ないように規制している。
【０１３５】
さらに、中継基板ベース９３は、図２７，図２８に示すように、中継基板カバー９５の嵌入部９５ａに中継基板ベース９３の端部が嵌入された状態で当該中継基板カバー９５を取り外し不可に係止するための係止部９３ｃを備えている、また、中継基板カバー９５は、図２７，図２９に示すように、中継基板ベース９３の係止部９３ｃに係止される被係止部９５ｃが形成されている。
【０１３６】
また、中継基板カバー９５は、図２９〜図３１に破線で示すように、中継基板ベース９３の開口部の開口右辺側の覆いを除去するべく破壊されるかしめ解除用被破壊部９５ｂを備えている。
【０１３７】
中継基板カバー９５の嵌入部９５ａは、図２９（ｂ），図３１（ｂ），（ｃ）に示すように、中継基板ベース９３の挿入端部（図２７（ｂ）参照）に当接する抜け規制壁部９５ｄを備えている。
【０１３８】
また、図２を用いて前述したように、透明遊技盤３０の遊技領域３０ａには、遊技球が入賞可能な第１の始動口３３ａが配設されている。そして、図１４，図１５，図２４に示すように、第１の始動口３３ａへの遊技球の入賞検出が作動口スイッチ２２４によって行われる。また、中継基板ベース９３は、図２７，図２８に示すように、その開口部を正面視した状態で窪み空間部９３ａの所定箇所に、作動口スイッチ２２４が挿入される第１貫通孔９３ｅを備えている。また、大入賞口中継端子基板９１は、図２７，図３１に示すように、中継基板ベース９３の窪み空間部９３ａに収容された状態で第１貫通孔９３ｅに対応する箇所（第１貫通孔９３ｅと連通する箇所）に、第１貫通孔９３ｅに挿入される作動口スイッチ２２４が挿入される第２貫通孔９１ｅを備えている。
【０１３９】
図１４，図１５に示すように、中継基板部品９０での中継基板カバー９５の取り外し方向側箇所（中継基板カバー９５の右端箇所）には、後述する右カバー部品１６２が当接するように配設されている。なお、中継基板カバー９５の右端箇所に右カバー部品１６２が近接するように配設してもよい。
【０１４０】
ここで、中継基板部品９０の集合通路盤６０への固定構造について説明する。
【０１４１】
図１０を用いて前述したように、透明遊技盤３０の裏面には、当該透明遊技盤３０からの遊技球を集めて排出する集合通路盤６０が配設されている。また、図１６，図１７に示すように、集合通路盤６０の前面側の配設位置（中央上部箇所）には、第１の始動口３３ａに入賞した遊技球を案内する第１の始動口用通路部品８６が配設されている。
【０１４２】
また、第１の始動口用通路部品８６は、図２０，図２１に示すように、始動口用通路支持部品８７によって集合通路盤６０の本体部品６０Ａに支持されている。具体的には、始動口用通路支持部品８７は、第１の始動口用通路部品８６を支持した状態で集合通路盤６０の本体部品６０Ａでの配設位置（中央上部位置）に配設され、この中央上部位置に対向する箇所にネジ穴８７ａが形成されたものである。
【０１４３】
図１８，図２０に示すように、集合通路盤６０の本体部品６０Ａの中央上部位置には、ネジ（図示省略）が挿入される貫通孔８４が形成されている。
【０１４４】
中継基板ベース９３は、図１８，図２０に示すように、集合通路盤６０の裏面で中央上部位置に対応する箇所に取り付けられ、その開口部を正面視した状態で窪み空間部９３ａで貫通孔８４の対応する箇所に、ネジ挿入孔９３ｄが形成されている。
【０１４５】
図１８，図２０に示すように、中継基板ベース９３のネジ挿入孔９３ｄと集合通路盤６０の本体部品６０Ａの貫通孔８４とに挿入されたネジ（図示省略）を始動口用通路支持部品８７のネジ穴８７ａに螺入することで、始動口用通路支持部品８７が集合通路盤６０の中央上部位置に固定されるとともに中継基板ベース９３が集合通路盤６０の裏面で中央上部位置に対応する箇所に固定される。
【０１４６】
次に、図２０に示すように、集合通路盤６０の裏面側の左右箇所に設けられたＬＥＤ基板１５０と、それを覆う左カバー部品１６１および右カバー部品１６２について説明する。
【０１４７】
集合通路盤６０は、図２０，図２１に示すように、本体部品６０Ａの裏面に配設された、発光する図３３に示すＬＥＤ１５１（発光ダイオード）を実装したＬＥＤ基板１５０と、本体部品６０Ａの裏面側で且つ当該本体部品６０Ａの一般入賞口用通路部品７０の存する箇所の背面側箇所を一部に含む箇所に設けられた、ＬＥＤ基板１５０が設けられる被配設部１４０（図１１，図２２（ｅ）参照）と、を備えている。なお、このＬＥＤ１５１は複数種類の有色光が発光可能なものとしてもよいし、単色光発光タイプのものを採用してもよい。
【０１４８】
ＬＥＤ基板１５０は、図２０，図２１に示すように、本体部品６０Ａの被配設部１４０に配設可能で当該被配設部１４０と共通形状であるとともに、図３３に示すように、被配設部１４０への配設状態で一般入賞口用通路部品７０が対応する箇所以外の箇所にＬＥＤ１５１を実装している。
【０１４９】
また、被配設部１４０およびＬＥＤ基板１５０は、他機種のパチンコ機と共通化とした形状である。つまり、集合通路盤６０の本体部品６０Ａの被配設部１４０およびＬＥＤ基板１５０の形状（特に輪郭）は、他機種のパチンコ機でのそれと共通化されている。
【０１５０】
また、被配設部１４０およびＬＥＤ基板１５０は、当該パチンコ機１０を前面視した状態で、許容空間形成壁部６２により形成される許容空間６２ａの領域と、一般入賞口３１が配置され得る遊技領域３０ａとが重なる領域を覆う大きさでもある（後述する図３３参照）。
【０１５１】
また、図２０，図２１に示すように、被配設部１４０に取り付けられた状態のＬＥＤ基板１５０を覆うようにして被配設部１４０に取付可能な左カバー部品１６１および右カバー部品１６２を備えている。
【０１５２】
左カバー部品１６１および右カバー部品１６２は、図２０，図２５，図２６に示すように、ＬＥＤ基板１５０の基板面と対向する側とは反対側である外側面を平坦面としている。
【０１５３】
本体部品６０Ａは、図２０に示すように、被配設部１４０を見た状態で、当該被配設部１４０と隣接する隣接領域１４１の所定箇所に、一般入賞口３１に入賞した遊技球の通過検出する入賞口スイッチ２２１を備えている。
【０１５４】
本体部品６０Ａは、図２０，図２１に示すように、本体部品６０Ａの被配設部１４０を見た状態で、本体部品６０Ａでの当該被配設部１４０および隣接領域１４１からなる全体領域の周囲箇所に突出した外周壁部１４３が形成されている。
【０１５５】
左カバー部品１６１および右カバー部品１６２は、図１４，図１５，図２０に示すように、本体部品６０Ａの被配設部１４０および隣接領域１４１からなる全体領域の外周壁部１４３内に嵌入されて本体部品６０Ａに取り付けられている。つまり、左カバー部品１６１および右カバー部品１６２は、図１４，図１５，図２０に示すように、本体部品６０Ａの被配設部１４０および隣接領域１４１からなる全体領域を覆っている。
【０１５６】
また、左カバー部品１６１および右カバー部品１６２は、図１３〜図１５、図１９および図２０に示すように、中継基板部品９０の端部と対向する箇所に配線用切り欠き部１６３を備えている。入賞口スイッチ２２１に接続された図示省略の配線は、左カバー部品１６１および右カバー部品１６２の配線用切り欠き部１６３を通してそれぞれ主制御基板２６１ａに接続されている。
【０１５７】
なお、上述した透明遊技盤３０が本発明における遊技盤に相当し、上述した集合通路盤６０が本発明における集合板に相当し、上述した一般入賞口３１、可変入賞装置３２、始動入賞装置３３が本発明における入賞部品に相当し、上述した一般入賞口用貫通孔５６、始動入賞装置用貫通孔５７、可変入賞装置用貫通孔５８が本発明における貫通孔に相当し、上述した一般入賞口用通路部品７０が本発明における通路部品に相当し、上述した許容空間形成壁部６２が本発明における許容空間形成部、周縁壁部に相当し、上述した磁気検出センサ６７が本発明における磁気検出手段に相当し、上述した磁気検出センサホルダー６８が本発明における支持部品に相当し、上述した取付孔６９が本発明における支持部品用被取付部に相当し、上述した取付爪６８ａが本発明における取付部に相当し、上述したホルダー用許容空間形成部８５が本発明における支持部品用許容空間形成部に相当する。
【０１５８】
また、上述した主制御装置２６１が本発明における制御装置に相当し、上述したカウントスイッチ２２３が本発明における電気部品に相当し、上述した大入賞口中継端子基板９１が本発明における基板、中継基板に相当し、上述した中継基板部品９０が本発明における基板部品、中継部品に相当し、上述した中継基板ベース９３が本発明における容器本体に相当し、上述した中継基板カバー９５が本発明における覆い部材に相当し、上述した止め板部９３ｂが本発明における規制部に相当し、上述した係止部９３ｃ、被係止部９５ｃが本発明における係止手段に相当し、上述したかしめ解除用被破壊部９５ｂが本発明における覆い解除用被破壊部に相当し、上述した右カバー部品１６２が本発明における他部品に相当し、上述した抜け規制壁部９５ｄが本発明における抜け規制部に相当し、上述した作動口スイッチ２２４が本発明における入賞検出手段に相当し、上述した第１貫通孔９３ｅが本発明における第１貫通部に相当し、上述した第２貫通孔９１ｅが本発明における第２貫通部に相当し、上述した第１の始動口用通路部品８６が本発明における通路部品に相当し、上述した始動口用通路支持部品８７が本発明における支持部材に相当する。
【０１５９】
また、上述した一般入賞口用通路部品７０が本発明における通路部に相当し、上述したＬＥＤ１５１が本発明における発光部に相当し、上述したＬＥＤ基板１５０が本発明における発光部実装基板に相当し、上述した左カバー部品１６１、右カバー部品１６２が本発明におけるカバー部材に相当し、上述した入賞口スイッチ２２１が本発明における遊技球通過検出センサに相当する。
【０１６０】
ここで、中継基板部品９０の集合通路盤６０への取付手順について説明する。
【０１６１】
図１８に示すように、第１の始動口用通路部品８６を挟持した状態の始動口用通路支持部品８７を、集合通路盤６０の本体部品６０Ａの中央上部位置に合わせた状態とするとともに、図２０に示すように、中継基板ベース９３のみを本体部品６０Ａの裏面側の中央上部位置に合わせた状態とし、中継基板ベース９３のネジ挿入孔９３ｄと本体部品６０Ａの貫通孔８４とに、当該中継基板ベース９３の開口部側からネジ（図示省略）を挿入して始動口用通路支持部品８７のネジ穴８７ａに螺入することで、本体部品６０Ａの前側に第１の始動口用通路部品８６を固定するとともに、本体部品６０Ａの後側に中継基板ベース９３が固定される。
【０１６２】
続いて、図２７（ｂ）に示すように、大入賞口中継端子基板９１の左端側を、中継基板ベース９３の開口部の左端側の止め板部９３ｂの裏側に入れてから、当該大入賞口中継端子基板９１の右端側を中継基板ベース９３の窪み空間部９３ａに挿入する。
【０１６３】
続いて、前記のように大入賞口中継端子基板９１が中継基板ベース９３の窪み空間部９３ａに収納された状態において、中継基板カバー９５を中継基板ベース９３の右端側に挿入することで、図３１（ａ）に示すように、中継基板ベース９３の係止部９３ｃが中継基板カバー９５の被係止部９５ｃに係止される。
【０１６４】
この係止状態では、中継基板ベース９３の右端部が中継基板カバー９５の抜け規制壁部９５ｄに当接しているため、中継基板カバー９５をそれ以上挿入方向に進行させることはできないし、中継基板カバー９５ではなく中継基板ベース９３を挿入方向にさらに進行させることもできない。また、中継基板ベース９３の係止部９３ｃが中継基板カバー９５の被係止部９５ｃに係止しているため、中継基板カバー９５を抜き方向に抜き出すこともできないし、中継基板カバー９５ではなく中継基板ベース９３を抜き方向に抜き出すこともできない。よって、大入賞口中継端子基板９１が中継基板ベース９３にかしめられた状態となっている。
【０１６５】
次に、大入賞口中継端子基板９１のかしめを解除する手順について説明する。
【０１６６】
図３０（ｂ），図３１（ｂ）に二点鎖線で示すように、中継基板カバー９５のかしめ解除用被破壊部９５ｂを切断工具を用いて切断する。
【０１６７】
中継基板カバー９５のかしめ解除用被破壊部９５ｂが切断されると、図３０（ｃ），図３１（ｃ）に示すように、中継基板カバー９５の正面側部分であって大入賞口中継端子基板９１を覆っていた部分９６（切断片）が除去される。
【０１６８】
中継基板ベース９３の窪み空間部９３ａから大入賞口中継端子基板９１の右端側を取り出すようにして、当該大入賞口中継端子基板９１を中継基板ベース９３に対して斜め姿勢とし、その斜め姿勢で右側方向にこの大入賞口中継端子基板９１を引き出すことで、中継基板ベース９３の左端側の止め板部９３ｂによる規制を受けずに大入賞口中継端子基板９１を中継基板ベース９３から取り出すことができる。
【０１６９】
ここで、集合通路盤６０の本体部品６０Ａの正面側の許容空間６２ａに、異機種の一般入賞口用通路部品７０が取付可能である点について、図３２を用いて以下に説明する。
【０１７０】
図３２に示すように、集合通路盤６０の本体部品６０Ａの正面側の許容空間６２ａには、実線で示す本機種の一般入賞口用通路部品７０が取り付けられている。
【０１７１】
具体的には、図１８，図１９に示すように、一般入賞口用通路部品７０の取付部７１を本体部品６０Ａの被取付部６３に取り付けることで、一般入賞口用通路部品７０が本体部品６０Ａに取り付けられている。
【０１７２】
例えば、図３２に実線で示す一般入賞口用通路部品７０を取り外して、異機種の一般入賞口用通路部品７０Ａを取り付けることができる。異機種の一般入賞口用通路部品７０Ａは、当該異機種の遊技盤での一般入賞口の配設位置に対応するべく、図３２に示すように、破線で示す通路部を備えた形状のものであるとする。つまり、この異機種の一般入賞口用通路部品７０Ａは、集合通路盤６０の被取付部６３に対応する箇所に前記と同様に取付部７１を備えており、その通路形状のみが異なるものである。
【０１７３】
このように、異機種の一般入賞口用通路部品７０Ａも集合通路盤６０の本体部品６０Ａに取り付け可能であるし、取り外しも容易である。
【０１７４】
上述したように、本実施例１のパチンコ機１０によれば、遊技球が打ち込まれる遊技領域３０ａが前面側に形成された透明遊技盤３０と、この透明遊技盤３０の裏面に配設された、透明遊技盤３０からの遊技球を集めて排出する集合通路盤６０と、を備え、透明遊技盤３０は、遊技領域３０ａの所定箇所に設けられた、遊技球が入球可能な一般入賞口３１と、この一般入賞口３１に入賞した遊技球が通過可能なように一般入賞口３１の配設箇所に前後方向に貫通形成された一般入賞口用貫通孔５６とを備え、集合通路盤６０は、透明遊技盤３０の裏面箇所に取付可能な本体部品６０Ａと、本体部品６０Ａの前面側に設けられた、透明遊技盤３０からの遊技球を案内する一般入賞口用通路部品７０と、集合通路盤６０の裏面に配設された、発光するＬＥＤ１５１を実装したＬＥＤ基板１５０と、本体部品６０Ａの裏面側で且つ当該本体部品６０Ａの一般入賞口用通路部品７０の存する箇所の背面側箇所を一部に含む箇所に設けられた、ＬＥＤ基板１５０が設けられる被配設部１４０と、を備え、ＬＥＤ基板１５０は、本体部品６０Ａの被配設部１４０に配設可能で当該被配設部１４０と共通形状であるとともに、被配設部１４０への配設状態で一般入賞口用通路部品７０が対応する箇所以外の箇所にＬＥＤ１５１を実装している。
【０１７５】
したがって、被配設部１４０は、集合通路盤６０の本体部品６０Ａの裏面側で、当該本体部品６０Ａの一般入賞口用通路部品７０の存する箇所の背面側箇所を一部に含む箇所に設けられており、ＬＥＤ基板１５０は、本体部品６０Ａの被配設部１４０に取り付け可能で当該被配設部１４０と共通形状であるとともに、被配設部１４０への配設状態で一般入賞口用通路部品７０が対応する箇所（ＬＥＤ基板１５０において一般入賞口用通路部品７０が平行投影される箇所）以外の箇所にＬＥＤ１５１を実装しているので、ＬＥＤ基板１５０は、本体部品６０Ａの裏面側の被配設部１４０と共通な形状とすることができ、集合通路盤６０での一般入賞口用通路部品７０を避ける位置に配置できる形状とする必要がないことから、ＬＥＤ基板１５０が歪な形状となることがないし、細分化により小型の発光部実装基板が複数枚必要になることもない。また、集合通路盤６０は、その被配設部１４０を、一般入賞口用通路部品７０を有する前面側ではなく、裏面側に設けているので、ＬＥＤ基板１５０を取り付けるための取付ボスの配置位置について、一般入賞口用通路部品７０を避ける位置を考慮する必要がない。
【０１７６】
仮に、遊技機の機種変更があり、集合通路盤６０の前面側の一般入賞口用通路部品７０の形状が変更された場合でも、集合通路盤６０の裏面側の被配設部１４０およびＬＥＤ基板１５０の形状をそのままを維持でき、ＬＥＤ基板１５０でのＬＥＤ１５１の実装位置を一般入賞口用通路部品７０を回避する位置に変更する設計変更で対応でき、機種変更に伴う集合通路盤６０およびＬＥＤ基板１５０の設計変更の負担を低減できる。
【０１７７】
その結果、ＬＥＤ基板１５０（ＬＥＤ実装基板）を備えた集合通路盤６０（入賞球集合通路部品）について遊技機機種変更に伴う設計変更負担を低減できる遊技機を提供することができる。
【０１７８】
また、被配設部１４０およびＬＥＤ基板１５０は、他機種の遊技機と共通化とした形状であるので、集合通路盤６０の本体部品６０Ａの被配設部１４０およびＬＥＤ基板１５０の形状（特に言えば輪郭）については、機種変更があってもそのままとすることができ、ＬＥＤ基板１５０でのＬＥＤ１５１の実装位置を一般入賞口用通路部品７０を回避する位置に変更する設計変更（回路パターンの設計変更）で対応でき、機種変更に伴う集合通路盤６０およびＬＥＤ基板１５０の設計変更の負担を低減できる。
【０１７９】
また、左カバー部品１６１および右カバー部品１６２は、被配設部１４０に取り付けられた状態のＬＥＤ基板１５０を覆うようにして被配設部１４０に取り付けられる。この左カバー部品１６１および右カバー部品１６２は、ＬＥＤ基板１５０の基板面と対向する側とは反対側である外側面を平坦面としているので、当該遊技機の配線が左カバー部品１６１および右カバー部品１６２の外側面で引っ掛かることを低減できる。また、この左カバー部品１６１および右カバー部品１６２の平坦面にスペーサ部材を配設することができ、左カバー部品１６１および右カバー部品１６２の平坦面の外側の空き空間を不正に利用する（空き空間に不正な基板などを設ける）ことを低減できる。また、本体部品６０Ａでの被配設部１４０の厚み位置が他機種の遊技機において統一化されているので、同一のスペーサを使用することができ、機種ごとのスペーサを用意することを解消できる。
【０１８０】
また、本体部品６０Ａは、被配設部１４０を見た状態で当該被配設部１４０と隣接する隣接領域１４１の所定箇所に、一般入賞口３１に入賞した遊技球の通過検出する入賞口スイッチ２２１を備えている。また、この本体部品６０Ａは、被配設部１４０を見た状態で当該被配設部１４０および隣接領域１４１の全体領域の周囲箇所に突出した外周壁部１４３が形成されている。左カバー部品１６１および右カバー部品１６２は、本体部品６０Ａの被配設部１４０および隣接領域１４１からなる全体領域の外周壁部１４３内に嵌入された状態で本体部品６０Ａに取り付けられているので、ＬＥＤ基板１５０および入賞口スイッチ２２１を左カバー部品１６１および右カバー部品１６２で覆うことができるのみならず、本体部品６０Ａと左カバー部品１６１および右カバー部品１６２との境界形状を断面視でＬ字形状とすることができ、本体部品６０Ａと左カバー部品１６１および右カバー部品１６２との隙間に不正な細状部材を挿入して左カバー部品１６１および右カバー部品１６２を不正に開封しようとすることを低減できる。
【０１８１】
また、遊技球が打ち込まれる遊技領域３０ａが前面側に形成された透明遊技盤３０と、この透明遊技盤３０の裏面に配設されて透明遊技盤３０からの遊技球を集めて排出する通路を形成する集合通路盤６０とを備え、透明遊技盤３０は、遊技領域３０ａの所定箇所に設けられた、遊技球が入球可能な一般入賞口３１、可変入賞装置３２、始動入賞装置３３と、これらの一般入賞口３１、可変入賞装置３２、始動入賞装置３３に入賞した遊技球が通過可能なように一般入賞口３１、可変入賞装置３２、始動入賞装置３３の配設箇所に前後方向に貫通形成された一般入賞口用貫通孔５６、始動入賞装置用貫通孔５７、可変入賞装置用貫通孔５８とを備え、集合通路盤６０は、透明遊技盤３０の裏面に取付可能な本体部品６０Ａと、透明遊技盤３０からの遊技球を案内する、本体部品６０Ａに取り付け可能な一般入賞口用通路部品７０と、を備え、本体部品６０Ａは、遊技球を排出するための排出口６１と、一般入賞口用通路部品７０で案内される遊技球を排出口６１から排出する姿勢状態で当該一般入賞口用通路部品７０が着脱可能に取り付けられる被取付部６３と、被取付部６３に取付可能で通路とは異なる通路形状とする一般入賞口用通路部品７０の装着を許容する許容空間６２ａを形成する許容空間形成壁部６２とを備え、一般入賞口用通路部品７０は、本体部品６０Ａの被取付部６３に着脱可能に取り付けるための取付部７１を備えている。
【０１８２】
したがって、例えば新機種の一般入賞口用通路部品７０を本体部品６０Ａの許容空間６２ａに取り付けることで、新機種用の集合通路盤６０を形成することができ、集合通路盤６０の本体部品６０Ａは共通部品として異機種の遊技機にも使用することができ、異機種の遊技機についても同一の金型で集合通路盤６０の本体部品６０Ａを製造することができる。つまり、集合通路盤６０の本体部品６０Ａについては、機種変更の有無にかかわらず、本体部品６０Ａ用金型で製作すればよく、機種変更があってもこの金型を作り変える必要がないことから、機種変更に伴う本体部品６０Ａのコストを低減できる。また、機種変更によって再製作されるのは、集合通路盤６０の本体部品６０Ａではなく、集合通路盤６０での小型の一般入賞口用通路部品７０であり、一般入賞口用通路部品７０用金型も小型であるため、機種変更に伴って小型の一般入賞口用通路部品７０用金型を製作するだけでよく、集合通路盤６０の大型な本体部品６０Ａ用金型を製作するわけではないことから、機種変更に伴う集合通路盤６０の金型の製作コストを低減できる。特に、少数多機種の遊技機を生産するような場合にも割安で低コストで対応することができる。その結果、機種変更にも低コストで対応できる集合通路盤６０（入賞球集合通路部品）を備えた遊技機を提供することができる。
【０１８３】
また、本体部品６０Ａおよび一般入賞口用通路部品７０は、樹脂成型部品であるので、集合通路盤６０の本体部品６０Ａについては、機種変更の有無にかかわらず、本体部品６０Ａ用の樹脂成型金型で製作すればよく、機種変更があってもこの金型を作り変える必要がないことから、機種変更に伴う本体部品６０Ａのコストを低減できる。また、機種変更によって再製作されるのは、集合通路盤６０の本体部品６０Ａではなく、集合通路盤６０での小型の一般入賞口用通路部品７０であり、一般入賞口用通路部品７０用の樹脂成型金型も小型であるため、機種変更に伴って小型の一般入賞口用通路部品７０用金型を製作するだけでよく、集合通路盤６０の大型な本体部品６０Ａ用金型を製作するわけではないことから、機種変更に伴う集合通路盤６０の金型の製作コストを低減できる。特に、少数多機種の遊技機を生産するような場合にも割安で低コストで対応することができる。その結果、機種変更にも低コストで対応できる集合通路盤６０（入賞球集合通路部品）を備えた遊技機を提供することができる。
【０１８４】
また、本体部品６０Ａを透明遊技盤３０と対向する側を見た状態において、この本体部品６０Ａの周縁箇所のうちの少なくとも一部には、透明遊技盤３０の裏面に当接または近接するように延出した許容空間形成壁部６２が設けられているので、透明遊技盤３０の裏面に本体部品６０Ａが取り付けられた状態では、この本体部品６０Ａの許容空間形成壁部６２と透明遊技盤３０の裏面との間に不正基板などを挿入することが困難であり、本体部品６０Ａでの透明遊技盤３０と対向する側に不正基板などを不正に設けることを低減できる。
【０１８５】
また、本体部品６０Ａは、透明遊技盤３０に磁石を近づけたことを検出する磁気検出センサ６７と、この磁気検出センサ６７を支持する磁気検出センサホルダー６８とを備えているので、透明遊技盤３０に不正に磁石を近づけたことを検出でき、透明遊技盤３０に不正に磁石を近づけて遊技球を入賞部品（一般入賞口３１、可変入賞装置３２、始動入賞装置３３）に不正に入賞させることを低減できる。また、磁気検出センサホルダー６８は、本体部品６０Ａの透明遊技盤３０と対向する側を見た状態でその周縁箇所のうちの一部箇所に、透明遊技盤３０の裏面に当接または近接するとともに許容空間形成壁部６２（周縁壁部）に連なるようにして設けられているので、磁気検出センサホルダー６８自体を本体部品６０Ａの許容空間形成壁部６２（周縁壁部）としても機能させることができ、本体部品６０Ａの磁気検出センサホルダー６８と透明遊技盤３０の裏面との間に不正基板などを挿入することが困難であり、本体部品６０Ａでの透明遊技盤３０と対向する側に不正基板などを不正に設けることを低減できる。
【０１８６】
また、本体部品６０Ａは、磁気検出センサホルダー６８が着脱可能に取り付けられる取付孔６９を備え、磁気検出センサホルダー６８は、本体部品６０Ａの取付孔６９に着脱可能に取り付けるための取付爪６８ａを備え、本体部品６０Ａは、取付孔６９を有するとともに、取付孔６９に取付可能で異なる形状の磁気検出センサホルダー６８の装着を許容するホルダー用許容空間を形成するホルダー用許容空間形成部８５を備えている。したがって、例えば新機種の磁気検出センサホルダー６８を本体部品６０Ａに取り付けることで、新機種用の磁気検出センサ６７を備えた集合通路盤６０を形成することができ、集合通路盤６０の本体部品６０Ａは共通部品として異機種の遊技機にも使用することができ、異機種の遊技機についても同一の金型で集合通路盤６０の本体部品６０Ａを製造することができる。つまり、集合通路盤６０の本体部品６０Ａについては、機種変更の有無にかかわらず、本体部品６０Ａ用金型で製作すればよく、機種変更があってもこの金型を作り変える必要がないことから、機種変更に伴う本体部品６０Ａのコストを低減できる。また、機種変更によって再製作されるのは、集合通路盤６０の本体部品６０Ａではなく、集合通路盤６０での小型の磁気検出センサホルダー６８であり、磁気検出センサホルダー６８用金型も小型であるため、機種変更に伴って小型の磁気検出センサホルダー６８用金型を製作するだけでよく、集合通路盤６０の大型な本体部品６０Ａ用金型を製作するわけではないことから、機種変更に伴う集合通路盤６０の金型の製作コストを低減できる。特に、少数多機種の遊技機を生産するような場合にも割安で低コストで対応することができる。その結果、機種変更にも低コストで対応できる集合通路盤６０（入賞球集合通路部品）を備えた遊技機を提供することができる。
【０１８７】
また、一般入賞口用通路部品７０は、その少なくとも一部が、本体部品６０Ａの透明遊技盤３０と対向する側を見た状態でその周縁箇所のうちの一部箇所に、透明遊技盤３０の裏面に当接または近接するようにして設けられているので、一般入賞口用通路部品７０自体を本体部品６０Ａの許容空間形成壁部６２（周縁壁部）としても機能させることができ、本体部品６０Ａの一般入賞口用通路部品７０と透明遊技盤３０の裏面との間に不正基板などを挿入することが困難であり、本体部品６０Ａでの透明遊技盤３０と対向する側に不正基板などを不正に設けることを低減できる。
【０１８８】
また、遊技についての所定の制御を行う主制御装置２６１と、主制御装置２６１と他のカウントスイッチ２２３との電気的接続を中継する大入賞口中継端子基板９１を有する中継基板部品９０と、を備えた遊技機において、中継基板部品９０は、大入賞口中継端子基板９１が入れられる開口部を正面視した状態で奥側に窪んだ空間であって大入賞口中継端子基板９１を収容するための窪み空間部９３ａを有する中継基板ベース９３と、大入賞口中継端子基板９１が窪み空間部９３ａに収容された状態の中継基板ベース９３における開口部の開口一辺側である端部が嵌入される嵌入部９５ａを有するとともに、嵌入部９５ａに中継基板ベース９３の端部が挿入された状態で開口部の開口一辺側を覆う中継基板カバー９５と、中継基板ベース９３の窪み空間部９３ａに収容された状態の大入賞口中継端子基板９１における中継基板カバー９５の存する箇所とは反対側の箇所を少なくとも開口部から出せないように規制する止め板部９３ｂと、中継基板カバー９５の嵌入部９５ａに中継基板ベース９３の端部が嵌入された状態で当該中継基板カバー９５を取り外し不可に係止する係止部９３ｃおよび被係止部９５ｃと、を備えている。
【０１８９】
したがって、中継基板部品９０の中継基板ベース９３に収容された大入賞口中継端子基板９１の一端側は、止め板部９３ｂによって中継基板ベース９３の開口部から出せないように規制されており、且つ、その大入賞口中継端子基板９１の他端側は、中継基板カバー９５が中継基板ベース９３の開口部の開口一辺側を覆うことによって、中継基板ベース９３の開口部から出せないように規制されているので、大入賞口中継端子基板９１を中継基板ベース９３から取り外せないようにすることができる。しかも、係止部９３ｃおよび被係止部９５ｃによって中継基板カバー９５が中継基板ベース９３に対して取り外し不可に係止されているので、中継基板カバー９５を取り外して大入賞口中継端子基板９１を中継基板ベース９３から取り出そうとすることもできない。よって、大入賞口中継端子基板９１を中継基板ベース９３にネジ止めすることなく中継基板部品９０を組み立てることができ、その組み立て状態では大入賞口中継端子基板９１が中継基板ベース９３にかしめられている。
【０１９０】
また、大入賞口中継端子基板９１をいわゆる主制御基板などのかしめ機構付きケースに内包する構成を採用しないので、大入賞口中継端子基板９１に対して比較的に大きなかしめ機構が中継基板部品９０に付けられることがなく、中継基板部品９０が大型化することを低減できる。その結果、ネジ止め不要で大入賞口中継端子基板９１をかしめて組み立てることができ、且つ、大型化しない中継基板部品９０を備えた遊技機を提供することができる。
【０１９１】
また、中継基板カバー９５のかしめ解除用被破壊部９５ｂが破壊されると、当該中継基板カバー９５での開口部の開口一辺側の覆い部分が除去され、中継基板カバー９５に大入賞口中継端子基板９１のかしめ解除の痕跡を残すことができ、中継基板ベース９３からの大入賞口中継端子基板９１の取り外しが可能となる。したがって、かしめ解除用被破壊部９５ｂの破壊痕を見ることで、中継基板部品９０のかしめが解除されたことがわかる。
【０１９２】
また、右カバー部品１６２は、中継基板部品９０での中継基板カバー９５の取り外し方向側箇所に近接または当接して配設されている。したがって、中継基板カバー９５を中継基板ベース９３から無理矢理に取り外し方向に移動させて、係止部９３ｃおよび被係止部９５ｃの係止を無理矢理解除したり、係止部９３ｃおよび被係止部９５ｃを破壊したりして中継基板カバー９５を中継基板ベース９３から不正に外そうとしても、右カバー部品１６２の存在によっても、その中継基板カバー９５の取り外しを規制でき、中継基板カバー９５の不正な取り外しを低減することができる。
【０１９３】
また、中継基板カバー９５の嵌入部９５ａに設けられた抜け規制壁部９５ｄは、中継基板ベース９３の挿入端部の少なくとも一部に当接するので、中継基板カバー９５の嵌入部９５ａに嵌入された中継基板ベース９３をその嵌入方向に進めて抜き出すことができないし、中継基板ベース９３をその嵌入方向とは逆方向に戻すことは係止部９３ｃおよび被係止部９５ｃによってできない。よって、中継基板カバー９５の中継基板ベース９３からの不正な取り外しを低減できる。
【０１９４】
また、遊技球が打ち込まれる遊技領域３０ａが前面側に形成される透明遊技盤３０と、遊技領域３０ａに配設された、遊技球が入賞可能な始動入賞装置３３と、始動入賞装置３３への遊技球の入賞検出する作動口スイッチ２２４と、中継基板ベース９３は、開口部を正面視した状態で窪み空間部９３ａの所定箇所に、作動口スイッチ２２４が挿入される第１貫通孔９３ｅを備え、大入賞口中継端子基板９１は、中継基板ベース９３の窪み空間部９３ａに収容された状態で第１貫通孔９３ｅに対応する箇所に、第１貫通孔９３ｅに挿入される作動口スイッチ２２４が挿入される第２貫通孔９１ｅを備えている。したがって、作動口スイッチ２２４が貫通された中継基板部品９０を実現でき、中継基板部品９０を取り外すことなく作動口スイッチ２２４の取り付けや交換を行うことができる。また、始動入賞装置３３は遊技者にとっての利益に関係する部品であることから、始動入賞装置３３の背後位置に中継基板部品９０が配設される場合には、中継基板ベース９３と大入賞口中継端子基板９１との間に不正な基板を密かに配設する不正行為が懸念されるところであるが、中継基板部品９０が中継基板ベース９３にかしめられているので、、中継基板ベース９３と大入賞口中継端子基板９１との間に不正な基板を密かに配設することを低減できる。
【０１９５】
また、透明遊技盤３０の裏面に配設されて当該透明遊技盤３０からの遊技球を集めて排出する集合通路盤６０と、始動入賞装置３３に入賞した遊技球を案内する、集合通路盤６０の前面側の配設位置に配設される第１の始動口用通路部品８６と、第１の始動口用通路部品８６を支持した状態で集合通路盤６０の配設位置に配設され、配設位置に対向する箇所にネジ穴８７ａが形成された始動口用通路支持部品８７と、集合通路盤６０の配設位置に形成された、ネジが挿入される貫通孔８４と、を備え、中継基板ベース９３は、集合通路盤６０の裏面で配設位置に対応する箇所に取り付けられ、開口部を正面視した状態で窪み空間部９３ａで貫通孔８４の対応する箇所に、ネジ挿入孔９３ｄが形成され、ネジ挿入孔９３ｄと貫通孔８４とに挿入されたネジを始動口用通路支持部品８７のネジ穴８７ａに螺入することで、始動口用通路支持部品８７が集合通路盤６０の配設位置に固定されるとともに中継基板ベース９３が集合通路盤６０の裏面で配設位置に対応する箇所に固定されている。したがって、第１の始動口用通路部品８６を支持する始動口用通路支持部品８７は、集合通路盤６０の裏面の中継基板部品９０の中継基板ベース９３の窪み形成部で大入賞口中継端子基板９１下に隠れたネジで固定されており、中継基板部品９０のかしめを解除し、さらに中継基板ベース９３から大入賞口中継端子基板９１を取り外さなければネジにアクセスできないので、集合通路盤６０での始動口用通路支持部品８７で支持される第１の始動口用通路部品８６を不正に取り外すことを低減でき、集合通路盤６０の裏面と中継基板ベース９３との間や、中継基板ベース９３と大入賞口中継端子基板９１との間に不正な基板を密かに設けることを低減できる。
【０１９６】
この発明は、上記実施形態に限られることはなく、同様の効果を奏する別の構成としてもよく、例えば下記のように変形実施することができる。
【０１９７】
＜１＞上述した実施例の許容空間形成壁部６２の許容空間６２ａでの一般入賞口用通路部品７０の配置箇所以外の箇所に、図３４に示すように、透明遊技盤３０の裏面を装飾する装飾部品８０（図３４でのハッチング部分）を備えるようにしてもよい。この装飾部品８０としては、例えば、裏面からの入射光を拡散して前面から出射する図示省略の導光部材（例えば前後方向に可動する可動式のものや、非可動なものとしてもよい）や、キャラクタを象った図示省略の立体的役物（例えば前後方向に可動する可動式のものや、非可動なものであって導光性の有無は問わない）などが挙げられる。
【０１９８】
この場合には、装飾部品８０は、許容空間形成壁部６２の許容空間６２ａでの一般入賞口用通路部品７０の配置箇所以外の箇所に備えられ、透明遊技盤３０の裏面を装飾する。つまり、新機種の一般入賞口用通路部品７０を本体部品６０Ａの許容空間６２ａに取り付けるとともに、当該許容空間６２ａでの一般入賞口用通路部品７０の配置箇所以外の箇所に装飾部品８０を取り付けることで、新機種用の一般入賞口用通路部品７０および装飾部品８０を備えた新機種用の集合通路盤６０を形成することができ、集合通路盤６０の本体部品６０Ａは共通部品として異機種の遊技機にも使用することができ、異機種のパチン機についても同一の金型で集合通路盤６０の本体部品６０Ａを製造することができる。その結果、機種変更にも低コストで対応できる集合通路盤６０（入賞球集合通路部品）を備えたパチンコ機を提供することができる。
【０１９９】
＜２＞上述した実施例の集合通路盤６０の本体部品６０Ａの外周壁部１４３は、被配設部１４０を見た状態で、当該被配設部１４０の周囲箇所に突出形成されたものとし、左カバー部品１６１および右カバー部品１６２は、本体部品６０Ａの被配設部１４０の外周壁部１４３内に嵌入されて本体部品６０Ａに取り付けられるものとしてもよい。
【０２００】
この場合には、本体部品６０Ａと、左カバー部品１６１および右カバー部品１６２との境界形状を断面視でＬ字形状とすることができ、本体部品６０Ａと、左カバー部品１６１および右カバー部品１６２との隙間に不正な細状部材を挿入してカバー部材（左カバー部品１６１および右カバー部品１６２）を不正に開封しようとすることを低減できる。
【０２０１】
＜３＞上述した実施例では、中継基板部品９０は、主制御装置２６１の主制御基板２６１ａ（図４参照）と可変入賞装置３２のカウントスイッチ２２３との電気的接続を中継する大入賞口中継端子基板９１を有するものとしているが、主制御基板２６１ａと始動入賞装置３３の作動口スイッチ２２４との電気的接続を中継する盤面接続基板を有する中継基板部品としてもよいし、主制御基板２６１ａと一般入賞口３１の入賞口スイッチ２２１との電気的接続を中継する中継基板部品としてもよい。
【０２０２】
また、中継基板部品としては、入賞口スイッチ２２１とカウントスイッチ２２３と作動口スイッチ２２４との少なくとも一つと、払出制御基板３１１ａなどの制御基板との電気的接続を中継する中継基板部品としてもよい。
【０２０３】
さらに、中継基板部品としては、主制御基板２６１ａと払出制御基板３１１ａとサブ制御基板２６２ａなどの制御基板同士の電気的接続を中継する中継基板部品としてもよい。
【０２０４】
さらに、基板部品としては、中継基板部品としての中継基板部品９０以外に、主制御基板２６１ａや払出制御基板３１１ａやサブ制御基板２６２ａなどを有する装置を採用してもよい。つまり、主制御基板２６１ａや払出制御基板３１１ａやサブ制御基板２６２ａなどをベースに収納してこのベースに基板カバー９５を装着することで、基板カバー９５でかしめるようにしてもよい。
【０２０５】
＜４＞上述した実施例では、透明遊技盤３０を採用しているが、少なくとも一部が透明な遊技盤を採用し、その遊技盤の裏面側で透明部分を含む箇所に集合通路盤６０の本体部品６０Ａを取り付けるようにしてもよい。
【０２０６】
＜５＞上述した実施例の左カバー部品１６１および右カバー部品１６２は、被配設部１４０に取り付けられた状態のＬＥＤ基板１５０を覆うようにして被配設部１４０に取付可能なものとしているが、ＬＥＤ基板１５０を収容した状態で本体部品６０Ａの被配設部１４０に取付可能なものとしてもよい。この左カバー部品１６１および右カバー部品１６２は、ＬＥＤ基板１５０の基板面と対向する側とは反対側である外側面を平坦面としているので、パチンコ機の配線が左カバー部品１６１および右カバー部品１６２の外側面で引っ掛かることを低減できる。また、この左カバー部品１６１および右カバー部品１６２の平坦面にスペーサ部材を配設することができ、左カバー部品１６１および右カバー部品１６２の平坦面の外側の空き空間を不正に利用する（空き空間に不正な基板などを設ける）ことを低減できる。また、本体部品６０Ａでの被配設部１４０の厚み位置が他機種のパチンコ機において統一化されているので、同一のスペーサを使用することができ、機種ごとのスペーサを用意することを解消できる。
【０２０７】
＜６＞上述した実施例では、本体部品６０Ａは、図１８，図１９に示すように、許容空間形成壁部６２による許容空間６２ａ内に被取付部６３を有しているが、本体部品６０Ａでの許容空間６２ａ以外の箇所（例えば、許容空間６２ａに隣接する箇所）に被取付部６３を備えるようにしてもよい。
【０２０８】
＜７＞また、集合通路盤６０を製造するための金型について、次に説明するような「入れ子」対応技術を採用するようにしてもよい。例えば、集合通路盤６０を製造するための金型として、集合通路盤６０の一方面側を主として形成するための第１金型と、集合通路盤６０の他方面側を主として形成するための第２金型と、第１金型または第２金型の所定箇所に形成された入れ子空間部に挿入されて、被取付部６３を形成するための第３金型（入れ子金型）とを合わせることで内部に形成される樹脂注入用空間形成部に樹脂を注入して硬化（あるいは半硬化）させてこれらの第１〜第３金型を外すことで所望の形状の集合通路盤６０を製造するのであるが、第３金型（入れ子金型）の突出部位置や突出部形状が異なる別の第３金型を前述した入れ子空間部に挿入して集合通路盤６０を樹脂成型することで、集合通路盤６０の全体形状は同一であるが、被取付部６３の位置やその形状が異なる集合通路盤６０を製造することができる。
【０２０９】
＜８＞上述した実施例では、図３３に示すように、被配設部１４０およびＬＥＤ基板１５０は、当該パチンコ機１０を前面視した状態で、許容空間形成壁部６２により形成される許容空間６２ａの領域と、一般入賞口３１が配置され得る遊技領域３０ａとが重なる領域を覆う大きさとしているが、本体部品６０Ａの前側から取り外し可能な一般入賞口用通路部品７０の周りを覆う大きさや、本体部品６０Ａの前側から取り外し可能な一般入賞口用通路部品７０が配置し得る領域を覆う大きさとしてもよい。
【０２１０】
＜９＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２１１】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２１２】
なお、本明細書は、遊技機に係る発明も開示している。
従来、遊技機の代表例として例えばパチンコ機がある。このパチンコ機としては、例えば、遊技球が打ち込まれる遊技領域を前面側に有する透明な透明遊技盤と、この透明遊技盤の背後に設けられて識別情報を変動表示する液晶表示装置とを備え、透明遊技盤を介して背後の液晶表示装置の変動表示が視認可能なものがある。この透明遊技盤は、その遊技領域の下部側の所定箇所に、一般入賞口、始動入賞口および大入賞口が配設されている。また、透明遊技盤の裏面下部には、前記の一般入賞口、始動入賞口および大入賞口に入球した遊技球を複数個の球通路部を経由して収集する入賞球集合通路部品が設けられている。この入賞球集合通路部品は、透明遊技盤の裏面視でその横幅に亘る程度の大きさのものである（例えば、特許文献１参照）。
＜特許文献１＞
特開２００６−９５１６２号公報（第３−５頁，第２−６図）
しかしながら、このような構成を有する従来例の場合には、次のような問題がある。
すなわち、従来のパチンコ機では、例えば、前述した入賞球集合通路部品の透明遊技盤と対向する側（前面側）で複数個の球通路部以外の領域部分に、その領域に収まる形状のＬＥＤ実装基板を配設し、透明遊技盤の背後の入賞球集合通路部品の前記領域部分に発光装飾を施すことが考えられる。
また、新たな遊技の興趣性を提供するために、機種ごとに透明遊技盤のデザインが異なっている。つまり、透明遊技盤の遊技領域での遊技部品（例えば、センターフレームや一般入賞口や始動入賞口など）の外観形状やその配置位置が異なっているため、この透明遊技盤の背後に配設される入賞球集合通路部品の形状（例えば、入賞球集合通路部品での球通路部の形状）が異なることになり、この入賞球集合通路部品に設けられるＬＥＤ実装基板の形状や取付位置も異なることになる。
特に、ＬＥＤ実装基板は、入賞球集合通路部品での球通路部を避ける位置に配置できる形状とする必要があることから、ＬＥＤ実装基板が歪な形状となったり、細分化により小型のＬＥＤ実装基板が複数枚必要になったりするなどの設計変更が強いられる。また、入賞球集合通路部品についても、ＬＥＤ実装基板を取り付けるための取付部（例えば、取付ボス）の配置位置を、球通路部を避ける位置を考慮して設計製作する必要がある。
このように、遊技機の機種変更に伴う入賞球集合通路部品およびＬＥＤ実装基板の設計変更に負担がかかるという問題がある。
下記の発明は、このような事情に鑑みてなされたものであって、ＬＥＤ実装基板を備えた入賞球集合通路部品について遊技機機種変更に伴う設計変更負担を低減できる遊技機を提供することを目的とする。
【０２１３】
（１）  遊技球が打ち込まれる遊技領域が前面側に形成された遊技盤と、
前記遊技盤の裏面に配設された、前記遊技盤からの遊技球を集めて排出する集合板と、
を備えた遊技機において、
前記遊技盤は、
その少なくとも一部が透明である透明部と、
前記遊技領域の所定箇所に設けられた、遊技球が入球可能な入賞部品と、
前記入賞部品に入賞した遊技球が通過可能なように前記入賞部品の配設箇所に前後方向に貫通形成された貫通孔とを備え、
前記集合板は、
前記遊技盤の裏面で前記透明部の少なくとも一部を含む箇所に取付可能な本体部品と、
前記本体部品の前面側に設けられた、前記遊技盤からの遊技球を案内する通路部と、
前記集合板の裏面に配設された、発光する発光部を実装した発光部実装基板と、
前記本体部品の裏面側で且つ当該本体部品の前記通路部の存する箇所の背面側箇所を一部に含む箇所に設けられた、前記発光部実装基板が設けられる被配設部と、
を備え、
前記発光部実装基板は、前記本体部品の前記被配設部に配設可能で当該被配設部と共通形状であるとともに、前記被配設部への配設状態で前記通路部が対応する箇所以外の箇所に前記発光部を実装している
ことを特徴とする遊技機。
【０２１４】
前記（１）に記載の発明によれば、遊技盤は、遊技球が打ち込まれる遊技領域が前面側に形成されたものである。集合板は、遊技盤の裏面に配設されており、遊技盤からの遊技球を集めて排出する。遊技領域の入賞部品に入球した遊技球は、その入賞部品の配置箇所に形成された貫通孔を通じて遊技盤の裏面側へ案内される。集合板の本体部品は、遊技盤の裏面で当該遊技盤の透明部の少なくとも一部を含む箇所に取り付けられる。集合板の通路部は、本体部品の前面側に設けられており、遊技盤からの遊技球を案内する。集合板の裏面には、発光する発光部を実装する発光部実装基板が配設されている。本体部品の裏面側で且つ当該本体部品の通路部の存する箇所の背面側箇所を一部に含む箇所には、発光部実装基板が取り付けられる被配設部が設けられている。発光部実装基板は、本体部品の被配設部に配設可能で当該被配設部と共通形状であるとともに、前記被配設部への配設状態で通路部が対応する箇所以外の箇所に発光部を実装している。
【０２１５】
したがって、被配設部は、集合板の本体部品の裏面側で、当該本体部品の通路部の存する箇所の背面側箇所を一部に含む箇所に設けられており、発光部実装基板は、本体部品の被配設部に取り付け可能で当該被配設部と共通形状であるとともに、被配設部への配設状態で通路部が対応する箇所（発光部実装基板において通路部が平行投影される箇所）以外の箇所に発光部を実装しているので、発光部実装基板は、本体部品の裏面側の被配設部と共通な形状とすることができ、集合板での通路部を避ける位置に配置できる形状とする必要がないことから、発光部実装基板が歪な形状となることがないし、細分化により小型の発光部実装基板が複数枚必要になることもない。また、集合板は、その被配設部を、通路部を有する前面側ではなく、裏面側に設けているので、発光部実装基板を取り付けるための取付ボスの配置位置について、通路部を避ける位置を考慮する必要がない。
【０２１６】
仮に、遊技機の機種変更があり、集合板の前面側の通路部の形状が変更された場合でも、集合板の裏面側の被配設部および発光部実装基板の形状をそのままを維持でき、発光部実装基板での発光部の実装位置を通路部を回避する位置に変更する設計変更で対応でき、機種変更に伴う集合板および発光部実装基板の設計変更の負担を低減できる。
【０２１７】
その結果、発光部実装基板（ＬＥＤ実装基板）を備えた集合板（入賞球集合通路部品）について遊技機機種変更に伴う設計変更負担を低減できる遊技機を提供することができる。
【０２１８】
（２）  前記（１）に記載の遊技機において、
前記被配設部および前記発光部実装基板は、他機種の遊技機と共通化とした形状であることを特徴とする遊技機。
【０２１９】
前記（２）に記載の発明によれば、被配設部および発光部実装基板は、他機種の遊技機と共通化とした形状であるので、集合板の本体部品の被配設部および発光部実装基板の形状（特に言えば輪郭）については、機種変更があってもそのままとすることができ、発光部実装基板での発光部の実装位置を通路部を回避する位置に変更する設計変更（回路パターンの設計変更）で対応でき、機種変更に伴う集合板および発光部実装基板の設計変更の負担を低減できる。
【０２２０】
（３）  前記（１）に記載の遊技機において、
前記通路部は、前記本体部品に対して取り付け可能な通路部品であり、
前記本体部品は、
遊技球を排出するための排出口と、
前記通路部品で案内される遊技球を前記排出口から排出する姿勢状態で当該通路部品が取り付けられる被取付部と、
前記被取付部に取付可能で異なる通路形状とする前記通路部品の装着を許容する許容空間を形成する許容空間形成部とを備え、
前記被配設部および前記発光部実装基板は、当該遊技機を前面視した状態で、前記許容空間の領域と、前記入賞部品が配置され得る前記遊技領域とが重なる領域を覆う大きさである
ことを特徴とする遊技機。
【０２２１】
前記（３）に記載の発明によれば、通路部は、本体部品に対して取り付け可能な通路部品である。本体部品は、遊技球を排出するための排出口と、通路部品で案内される遊技球を排出口から排出する姿勢状態で当該通路部品が取り付けられる被取付部と、この被取付部に取付可能で異なる通路形状とする通路部品の装着を許容する許容空間を形成する許容空間形成部とを備えている。被配設部および発光部実装基板は、当該遊技機を前面視した状態で、許容空間形成部による許容空間の領域と、入賞部品が配置され得る遊技領域とが重なる領域を覆う大きさとしているので、機種変更があっても（例えば、集合板に異なる通路形状の通路部品が取り付けられる場合であっても）、集合板の本体部品の被配設部および発光部実装基板の形状（特に言えば輪郭）については、そのままとすることができ、発光部実装基板での発光部の実装位置を通路部品を回避する位置に変更する設計変更（回路パターンの設計変更）で対応でき、機種変更に伴う集合板および発光部実装基板の設計変更の負担を低減できる。
【０２２２】
また、前記被配設部および前記発光部実装基板は、前記本体部品の前側から取り外し可能な通路部品の周りを覆う大きさや、前記本体部品の前側から取り外し可能な通路部品が配置し得る領域を覆う大きさとしてもよい。
【０２２３】
（４）  前記（１）から（３）のいずれか一つに記載の遊技機において、
前記発光部実装基板を収容した状態で前記本体部品の前記被配設部に取付可能なカバー部材を備え、
前記カバー部材は、前記発光部実装基板の基板面と対向する側とは反対側である外側面を平坦面としている
ことを特徴とする遊技機。
【０２２４】
前記（４）に記載の発明によれば、カバー部材は、発光部実装基板を収容した状態で本体部品の被配設部に取り付けられる。このカバー部材は、発光部実装基板の基板面と対向する側とは反対側である外側面を平坦面としているので、当該遊技機の配線がカバー部材の外側面で引っ掛かることを低減できる。また、このカバー部材の平坦面にスペーサ部材を配設することができ、カバー部材の平坦面の外側の空き空間を不正に利用する（空き空間に不正な基板などを設ける）ことを低減できる。また、本体部品での被配設部の厚み位置が他機種の遊技機において統一化されているので、同一のスペーサを使用することができ、機種ごとのスペーサを用意することを解消できる。
【０２２５】
（５）  前記（１）から（３）のいずれか一つに記載の遊技機において、
前記被配設部に取り付けられた状態の前記発光部実装基板を覆うようにして前記被配設部に取付可能なカバー部材を備え、
前記カバー部材は、前記発光部実装基板の基板面と対向する側とは反対側である外側面を平坦面としている
ことを特徴とする遊技機。
【０２２６】
前記（５）に記載の発明によれば、カバー部材は、被配設部に取り付けられた状態の発光部実装基板を覆うようにして被配設部に取り付けられる。このカバー部材は、発光部実装基板の基板面と対向する側とは反対側である外側面を平坦面としているので、当該遊技機の配線がカバー部材の外側面で引っ掛かることを低減できる。また、このカバー部材の平坦面にスペーサ部材を配設することができ、カバー部材の平坦面の外側の空き空間を不正に利用する（空き空間に不正な基板などを設ける）ことを低減できる。また、本体部品での被配設部の厚み位置が他機種の遊技機において統一化されているので、同一のスペーサを使用することができ、機種ごとのスペーサを用意することを解消できる。
【０２２７】
（６）  前記（４）または（５）に記載の遊技機において、
前記本体部品は、前記被配設部を見た状態で当該被配設部の周囲箇所に突出した外周壁部が形成され、
前記カバー部材は、前記本体部品の前記被配設部の前記外周壁部内に嵌入されて前記本体部品に取り付けられている
ことを特徴とする遊技機。
【０２２８】
前記（６）に記載の発明によれば、本体部品は、被配設部を見た状態で当該被配設部の周囲箇所に突出した外周壁部が形成されている。カバー部材は、本体部品の被配設部の外周壁部内に嵌入された状態で本体部品に取り付けられているので、本体部品とカバー部材との境界形状を断面視でＬ字形状とすることができ、本体部品とカバー部材との隙間に不正な細状部材を挿入してカバー部材を不正に開封しようとすることを低減できる。
【０２２９】
（７）  前記（４）または（５）に記載の遊技機において、
前記本体部品は、前記被配設部を見た状態で当該被配設部と隣接する隣接領域の所定箇所に、前記入賞部品に入賞した遊技球の通過検出する遊技球通過検出センサを備えるとともに、前記被配設部を見た状態で当該被配設部および前記隣接領域からなる全体領域の周囲箇所に突出した外周壁部が形成され、
前記カバー部材は、前記本体部品の前記被配設部および前記隣接領域からなる全体領域の前記外周壁部内に嵌入されて前記本体部品に取り付けられている
ことを特徴とする遊技機。
【０２３０】
前記（７）に記載の発明によれば、本体部品は、被配設部を見た状態で当該被配設部と隣接する隣接領域の所定箇所に、入賞部品に入賞した遊技球の通過検出する遊技球通過検出センサを備えている。また、この本体部品は、被配設部を見た状態で当該被配設部および隣接領域の全体領域の周囲箇所に突出した外周壁部が形成されている。カバー部材は、本体部品の被配設部および隣接領域からなる全体領域の外周壁部内に嵌入された状態で本体部品に取り付けられているので、発光部実装基板および遊技球通過検出センサをカバー部材で覆うことができるのみならず、本体部品とカバー部材との境界形状を断面視でＬ字形状とすることができ、本体部品とカバー部材との隙間に不正な細状部材を挿入してカバー部材を不正に開封しようとすることを低減できる。
【０２３１】
また、本明細書は、次のような第１課題を解決できる、遊技機に係る発明も開示している。
【０２３２】
＜第１課題＞
従来のパチンコ機では、新たな遊技の興趣性を提供するために、機種ごとに透明遊技盤のデザインが異なっている。つまり、透明遊技盤の遊技領域での遊技部品（例えば、センターフレームや一般入賞口や始動入賞口など）の外観形状やその配置位置が異なっているため、この透明遊技盤の背後に配設される入賞球集合通路部品の形状（例えば、入賞球集合通路部品での球通路部の形状）も異なっている。そして、樹脂成型品である入賞球集合通路部品は、透明遊技盤の横幅にわたる大型部品であるため、その金型も大型となっている。金型は大型化するほどコスト高となることから、少数多機種のパチンコ機を生産するような場合は、入賞球集合通路部品の金型が割高でコストがかかるという問題がある。
【０２３３】
（８）  遊技球が打ち込まれる遊技領域が前面側に形成された遊技盤と、
前記遊技盤の裏面に配設されて前記遊技盤からの遊技球を集めて排出する通路を形成する集合板と
を備えた遊技機において、
前記遊技盤は、
前記遊技領域の所定箇所に設けられた、遊技球が入球可能な入賞部品と、
前記入賞部品に入賞した遊技球が通過可能なように前記入賞部品の配設箇所に前後方向に貫通形成された貫通孔とを備え、
前記集合板は、
前記遊技盤の裏面に取付可能な本体部品と、
前記遊技盤からの遊技球を案内する、前記本体部品に取り付け可能な通路部品と、
を備え、
前記本体部品は、
遊技球を排出するための排出口と、
前記通路部品で案内される遊技球を前記排出口から排出する姿勢状態で当該通路部品が取り付けられる被取付部と、
前記被取付部に取付可能で前記通路とは異なる通路形状とする前記通路部品の装着を許容する許容空間を形成する許容空間形成部とを備え、
前記通路部品は、前記本体部品の前記被取付部に取り付けるための取付部を備えている
ことを特徴とする遊技機。
【０２３４】
前記（８）に記載の発明によれば、遊技盤は、その前面側に、遊技球が打ち込まれる遊技領域が形成されている。遊技盤は、その遊技領域の所定箇所に、遊技球が入球可能な入賞部品が設けられている。遊技盤の貫通孔は、入賞部品の配設箇所に前後方向に貫通形成されたものであり、入賞部品に入賞した遊技球が通過して遊技盤の背面に案内される。遊技盤の裏面に配設された集合板は、遊技盤の貫通孔からの遊技球を集めて排出する通路を形成する。この集合板は、遊技盤の裏面に取付可能で遊技球を排出するための排出口を有する本体部品と、遊技盤からの遊技球を案内する、本体部品に取り付け可能な通路部品とを備えている。この通路部品は、遊技球を排出口から排出する姿勢状態で、その取付部が本体部品の被取付部に取り付けられる。さらに、本体部品の許容空間形成部は、被取付部に取付可能で前記通路とは異なる通路形状とする通路部品の装着を許容する許容空間を形成する。
【０２３５】
したがって、例えば新機種の通路部品を本体部品の許容空間に取り付けることで、新機種用の集合板を形成することができ、集合板の本体部品は共通部品として異機種の遊技機にも使用することができ、異機種の遊技機についても同一の金型で集合板の本体部品を製造することができる。つまり、集合板の本体部品については、機種変更の有無にかかわらず、本体部品用金型で製作すればよく、機種変更があってもこの金型を作り変える必要がないことから、機種変更に伴う本体部品のコストを低減できる。また、機種変更によって再製作されるのは、集合板の本体部品ではなく、集合板での小型の通路部品であり、通路部品用金型も小型であるため、機種変更に伴って小型の通路部品用金型を製作するだけでよく、集合板の大型な本体部品用金型を製作するわけではないことから、機種変更に伴う集合板の金型の製作コストを低減できる。特に、少数多機種の遊技機を生産するような場合にも割安で低コストで対応することができる。その結果、機種変更にも低コストで対応できる集合板（入賞球集合通路部品）を備えた遊技機を提供することができる。
【０２３６】
（９）  前記（８）に記載の遊技機において、
前記本体部品および前記通路部品は、樹脂成型部品であることを特徴とする遊技機。
【０２３７】
前記（９）に記載の発明によれば、本体部品および通路部品は、樹脂成型部品であるので、集合板の本体部品については、機種変更の有無にかかわらず、本体部品用の樹脂成型金型で製作すればよく、機種変更があってもこの金型を作り変える必要がないことから、機種変更に伴う本体部品のコストを低減できる。また、機種変更によって再製作されるのは、集合板の本体部品ではなく、集合板での小型の通路部品であり、通路部品用の樹脂成型金型も小型であるため、機種変更に伴って小型の通路部品用金型を製作するだけでよく、集合板の大型な本体部品用金型を製作するわけではないことから、機種変更に伴う集合板の金型の製作コストを低減できる。特に、少数多機種の遊技機を生産するような場合にも割安で低コストで対応することができる。その結果、機種変更にも低コストで対応できる集合板（入賞球集合通路部品）を備えた遊技機を提供することができる。
【０２３８】
（１０）  前記（８）または（９）に記載の遊技機において、
前記本体部品は、前記遊技盤と対向する側を見た状態でその周縁箇所のうちの少なくとも一部に、前記遊技盤の裏面に当接または近接するように延出した周縁壁部を備えている
ことを特徴とする遊技機。
【０２３９】
前記（１０）に記載の発明によれば、本体部品を遊技盤と対向する側を見た状態において、この本体部品の周縁箇所のうちの少なくとも一部には、遊技盤の裏面に当接または近接するように延出した周縁壁部が設けられているので、遊技盤の裏面に本体部品が取り付けられた状態では、この本体部品の周縁壁部と遊技盤の裏面との間に不正基板などを挿入することが困難であり、本体部品での遊技盤と対向する側に不正基板などを不正に設けることを低減できる。
【０２４０】
（１１）  前記（８）から（１０）のいずれか一つに記載の遊技機において、
前記本体部品は、前記遊技盤に磁石を近づけたことを検出する磁気検出手段と、前記磁気検出手段を支持する支持部品とを備え、
前記支持部品は、前記本体部品の前記遊技盤と対向する側を見た状態でその周縁箇所のうちの一部箇所に、前記遊技盤の裏面に当接または近接するとともに前記周縁壁部に連なるようにして設けられている
ことを特徴とする遊技機。
【０２４１】
前記（１１）に記載の発明によれば、本体部品は、遊技盤に磁石を近づけたことを検出する磁気検出手段と、この磁気検出手段を支持する支持部品とを備えているので、遊技盤に不正に磁石を近づけたことを検出でき、遊技盤に不正に磁石を近づけて遊技球を入賞部品に不正に入賞させることを低減できる。また、支持部品は、本体部品の遊技盤と対向する側を見た状態でその周縁箇所のうちの一部箇所に、遊技盤の裏面に当接または近接するとともに周縁壁部に連なるようにして設けられているので、支持部品自体を本体部品の周縁壁部としても機能させることができ、本体部品の支持部品と遊技盤の裏面との間に不正基板などを挿入することが困難であり、本体部品での遊技盤と対向する側に不正基板などを不正に設けることを低減できる。
【０２４２】
（１２）  前記（１１）に記載の遊技機において、
前記本体部品は、前記支持部品が着脱可能に取り付けられる支持部品用被取付部を備え、
前記支持部品は、前記本体部品の前記支持部品用被取付部に着脱可能に取り付けるための取付部を備え、
前記本体部品は、前記支持部品用被取付部を有するとともに、前記支持部品用被取付部に取付可能で異なる形状の前記支持部品の装着を許容する支持部品用許容空間を形成する支持部品用許容空間形成部を備えている
ことを特徴とする遊技機。
【０２４３】
前記（１２）に記載の発明によれば、支持部品は、その取付部が本体部品の支持部品用被取付部に着脱可能に取り付けられる。本体部品の支持部品用許容空間形成部は、支持部品用被取付部を有するとともに、支持部品用被取付部に取付可能で異なる形状の支持部品の装着を許容する支持部品用許容空間を形成する。したがって、例えば新機種の支持部品を本体部品に取り付けることで、新機種用の磁気検出手段を備えた集合板を形成することができ、集合板の本体部品は共通部品として異機種の遊技機にも使用することができ、異機種の遊技機についても同一の金型で集合板の本体部品を製造することができる。つまり、集合板の本体部品については、機種変更の有無にかかわらず、本体部品用金型で製作すればよく、機種変更があってもこの金型を作り変える必要がないことから、機種変更に伴う本体部品のコストを低減できる。また、機種変更によって再製作されるのは、集合板の本体部品ではなく、集合板での小型の支持部品であり、支持部品用金型も小型であるため、機種変更に伴って小型の支持部品用金型を製作するだけでよく、集合板の大型な本体部品用金型を製作するわけではないことから、機種変更に伴う集合板の金型の製作コストを低減できる。特に、少数多機種の遊技機を生産するような場合にも割安で低コストで対応することができる。その結果、機種変更にも低コストで対応できる集合板（入賞球集合通路部品）を備えた遊技機を提供することができる。
【０２４４】
（１３）  前記（８）から（１２）のいずれか一つに記載の遊技機において、
前記通路部品は、その少なくとも一部が、前記本体部品の前記遊技盤と対向する側を見た状態でその周縁箇所のうちの一部箇所に、前記遊技盤の裏面に当接または近接するようにして設けられている
ことを特徴とする遊技機。
【０２４５】
前記（１３）に記載の発明によれば、通路部品は、その少なくとも一部が、本体部品の遊技盤と対向する側を見た状態でその周縁箇所のうちの一部箇所に、遊技盤の裏面に当接または近接するようにして設けられているので、通路部品自体を本体部品の周縁壁部としても機能させることができ、本体部品の通路部品と遊技盤の裏面との間に不正基板などを挿入することが困難であり、本体部品での遊技盤と対向する側に不正基板などを不正に設けることを低減できる。
【０２４６】
（１４）  前記（８）から（１３）のいずれか一つに記載の遊技機において、
前記遊技盤は、透明な透明遊技盤であり、
前記許容空間形成部の許容空間での前記通路部品配置箇所以外の箇所に、前記透明遊技盤の裏面を装飾する装飾部品を備えている
ことを特徴とする遊技機。
【０２４７】
前記（１４）に記載の発明によれば、装飾部品は、許容空間形成部の許容空間での通路部品配置箇所以外の箇所に備えられ、透明遊技盤の裏面を装飾する。つまり、新機種の通路部品を本体部品の許容空間に取り付けるとともに、当該許容空間での通路部品配置箇所以外の箇所に装飾部品を取り付けることで、新機種用の通路部品および装飾部品を備えた新機種用の集合板を形成することができ、集合板の本体部品は共通部品として異機種の遊技機にも使用することができ、異機種の遊技機についても同一の金型で集合板の本体部品を製造することができる。その結果、機種変更にも低コストで対応できる集合板（入賞球集合通路部品）を備えた遊技機を提供することができる。
【０２４８】
また、本明細書は、次のような第２課題を解決できる、遊技機に係る発明も開示している。
【０２４９】
＜第２課題＞
従来のパチンコ機は、例えば、主制御基板と大入賞口の入球検出センサとの電気的接続を中継する中継基板が当該パチンコ機の裏面側箇所にネジ止めされているが、中継基板の背後に不正基板を密かに配置して不正な利益を得ようとする等の中継基板に対する不正行為も懸念される。そこで、かかる中継基板を前述した主制御基板などのかしめ機構付きケースに内包する中継部品とすることも考えられるが、主制御基板と比べて小型な中継基板に対してかしめ機構の占める割合が比較的に大きいことから、中継部品が大型化するばかりでなく、この中継部品の周辺の取付部品および装置についての形状や配置などの設計変更が二次的に生じてしまい、パチンコ機全体としてコスト高を招来するという問題がある。
【０２５０】
（１５）  少なくともコネクタまたは電子部品が搭載される基板を有する基板部品を備えた遊技機において、
前記基板部品は、
前記基板が入れられる開口部を正面視した状態で奥側に窪んだ空間であって前記基板を収容するための窪み空間部を有する容器本体と、
前記基板が前記窪み空間部に収容された状態の前記容器本体における前記開口部の開口一辺側である端部が嵌入される嵌入部を有するとともに、前記嵌入部に前記容器本体の前記端部が挿入された状態で前記開口部の開口一辺側を覆う覆い部材と、
前記容器本体の前記窪み空間部に収容された状態の前記基板における前記覆い部材の存する箇所とは反対側の箇所を少なくとも前記開口部から出せないように規制する規制部と、
前記覆い部材の前記嵌入部に前記容器本体の前記端部が嵌入された状態で当該覆い部材を取り外し不可に係止する係止手段と、
を備えている
ことを特徴とする遊技機。
【０２５１】
前記（１５）に記載の発明によれば、基板部品は、少なくともコネクタまたは電子部品が搭載される基板を有する。この基板部品は、容器本体と覆い部材と規制部と係止手段とを備えている。容器本体は、基板が入れられる開口部を正面視した状態で奥側に窪んだ空間であって当該基板を収容するための窪み空間部を有する。覆い部材は、基板が窪み空間部に収容された状態の容器本体における開口部の開口一辺側である端部が嵌入される嵌入部を有するとともに、この嵌入部に容器本体の端部が挿入された状態で開口部の開口一辺側を覆う。規制部は、容器本体の窪み空間部に収容された状態の基板における覆い部材の存する箇所とは反対側の箇所を少なくとも開口部から出せないように規制する。係止手段は、覆い部材の嵌入部に容器本体の端部が嵌入された状態で当該覆い部材を取り外し不可に係止する。
【０２５２】
したがって、基板部品の容器本体に収容された基板の一端側は、規制部によって容器本体の開口部から出せないように規制されており、且つ、その基板の他端側は、覆い部材が容器本体の開口部の開口一辺側を覆うことによって、容器本体の開口部から出せないように規制されているので、基板を容器本体から取り外せないようにすることができる。しかも、係止手段によって覆い部材が容器本体に対して取り外し不可に係止されているので、覆い部材を取り外して基板を容器本体から取り出そうとすることもできない。よって、基板を容器本体にネジ止めすることなく基板部品を組み立てることができ、その組み立て状態では基板が容器本体にかしめられている。
【０２５３】
また、基板をいわゆる主制御基板などのかしめ機構付きケースに内包する構成を採用しないので、基板に対して比較的に大きなかしめ機構が基板部品に付けられることがなく、基板部品が大型化することを低減できる。その結果、ネジ止め不要で基板をかしめて組み立てることができ、且つ、大型化しない基板部品を備えた遊技機を提供することができる。
【０２５４】
（１６）  遊技についての所定の制御を行う制御装置と、
前記制御装置と他の電気部品または他の制御装置との電気的接続を中継する中継基板を有する中継部品と、
を備えた遊技機において、
前記中継部品は、
前記中継基板が入れられる開口部を正面視した状態で奥側に窪んだ空間であって前記中継基板を収容するための窪み空間部を有する容器本体と、
前記中継基板が前記窪み空間部に収容された状態の前記容器本体における前記開口部の開口一辺側である端部が嵌入される嵌入部を有するとともに、前記嵌入部に前記容器本体の前記端部が挿入された状態で前記開口部の開口一辺側を覆う覆い部材と、
前記容器本体の前記窪み空間部に収容された状態の前記中継基板における前記覆い部材の存する箇所とは反対側の箇所を少なくとも前記開口部から出せないように規制する規制部と、
前記覆い部材の前記嵌入部に前記容器本体の前記端部が嵌入された状態で当該覆い部材を取り外し不可に係止する係止手段と、
を備えている
ことを特徴とする遊技機。
【０２５５】
前記（１６）に記載の発明によれば、制御装置は、遊技についての所定の制御を行う。中継部品は、制御装置と他の電気部品または他の制御装置との電気的接続を中継する中継基板を有する。この中継部品は、容器本体と覆い部材と規制部と係止手段とを備えている。容器本体は、中継基板が入れられる開口部を正面視した状態で奥側に窪んだ空間であって当該中継基板を収容するための窪み空間部を有する。覆い部材は、中継基板が窪み空間部に収容された状態の容器本体における開口部の開口一辺側である端部が嵌入される嵌入部を有するとともに、この嵌入部に容器本体の端部が挿入された状態で開口部の開口一辺側を覆う。規制部は、容器本体の窪み空間部に収容された状態の中継基板における覆い部材の存する箇所とは反対側の箇所を少なくとも開口部から出せないように規制する。係止手段は、覆い部材の嵌入部に容器本体の端部が嵌入された状態で当該覆い部材を取り外し不可に係止する。
【０２５６】
したがって、中継部品の容器本体に収容された中継基板の一端側は、規制部によって容器本体の開口部から出せないように規制されており、且つ、その中継基板の他端側は、覆い部材が容器本体の開口部の開口一辺側を覆うことによって、容器本体の開口部から出せないように規制されているので、中継基板を容器本体から取り外せないようにすることができる。しかも、係止手段によって覆い部材が容器本体に対して取り外し不可に係止されているので、覆い部材を取り外して中継基板を容器本体から取り出そうとすることもできない。よって、中継基板を容器本体にネジ止めすることなく中継部品を組み立てることができ、その組み立て状態では中継基板が容器本体にかしめられている。
【０２５７】
また、中継基板をいわゆる主制御基板などのかしめ機構付きケースに内包する構成を採用しないので、中継基板に対して比較的に大きなかしめ機構が中継部品に付けられることがなく、中継部品が大型化することを低減できる。その結果、ネジ止め不要で中継基板をかしめて組み立てることができ、且つ、大型化しない中継部品を備えた遊技機を提供することができる。
【０２５８】
（１７）  前記（１６）に記載の遊技機において、
前記覆い部材は、前記開口部の開口一辺側の覆いを除去するべく破壊される覆い解除用被破壊部を備えている
ことを特徴とする遊技機。
【０２５９】
前記（１７）に記載の発明によれば、覆い部材の覆い解除用被破壊部が破壊されると、当該覆い部材での開口部の開口一辺側の覆い部分が除去され、覆い部材に中継基板のかしめ解除の痕跡を残すことができ、容器本体からの中継基板の取り外しが可能となる。したがって、かしめ解除用被破壊部の破壊痕を見ることで、中継部品のかしめが解除されたことがわかる。
【０２６０】
（１８）  前記（１６）または（１７）に記載の遊技機において、
前記中継部品での前記覆い部材の取り外し方向側箇所に近接または当接する他部品が配設されている
ことを特徴とする遊技機。
【０２６１】
前記（１８）に記載の発明によれば、他部品は、中継部品での覆い部材の取り外し方向側箇所に近接または当接して配設されている。したがって、覆い部材を容器本体から無理矢理に取り外し方向に移動させて、係止手段の係止を無理矢理解除したり、係止手段を破壊したりして覆い部材を容器本体から不正に外そうとしても、他部品の存在によっても、その覆い部材の取り外しを規制でき、覆い部材の不正な取り外しを低減することができる。
【０２６２】
なお、本明細書で言う「近接」とは、覆い部材を移動させても中継部品から外れない程度に他部品が当該覆い部材の取り外し方向側箇所に配設されていることを意味する。
【０２６３】
（１９）  前記（１６）から（１８）のいずれか一つに記載の遊技機において、
前記覆い部材の前記嵌入部は、前記容器本体の挿入端部の少なくとも一部に当接する抜け規制部を備えている
ことを特徴とする遊技機。
【０２６４】
前記（１９）に記載の発明によれば、覆い部材の嵌入部に設けられた抜け規制部は、容器本体の挿入端部の少なくとも一部に当接するので、覆い部材の嵌入部に嵌入された容器本体をその嵌入方向に進めて抜き出すことができないし、容器本体をその嵌入方向とは逆方向に戻すことは係止手段によってできない。よって、覆い部材の容器本体からの不正な取り外しを低減できる。
【０２６５】
（２０）  前記（１６）から（１９）のいずれか一つに記載の遊技機において、
遊技球が打ち込まれる遊技領域が前面側に形成される遊技盤と、
前記遊技領域に配設された、遊技球が入賞可能な入賞部品と、
前記入賞部品への遊技球の入賞検出する入賞検出手段と、
前記容器本体は、前記開口部を正面視した状態で前記窪み空間部の所定箇所に、前記入賞検出手段が挿入される第１貫通部を備え、
前記中継基板は、前記容器本体の前記窪み空間部に収容された状態で前記第１貫通部に対応する箇所に、前記第１貫通部に挿入される前記入賞検出手段が挿入される第２貫通部
を備えている
ことを特徴とする遊技機。
【０２６６】
前記（２０）に記載の発明によれば、遊技盤は、遊技球が打ち込まれる遊技領域が前面側に形成されている。遊技領域には、遊技球が入賞可能な入賞部品が配設されている。入賞検出手段は、入賞部品への遊技球の入賞検出する。容器本体の窪み空間部の所定箇所に設けられた第１貫通部と、その窪み空間部に収容された中継基板の第２貫通部とに、単一の入賞検出手段が挿入される。したがって、入賞検出手段が貫通された中継部品を実現でき、中継部品を取り外すことなく入賞検出手段の取り付けや交換を行うことができる。また、入賞部品は遊技者にとっての利益に関係する部品であることから、入賞部品の背後位置に中継部品が配設される場合には、容器本体と中継基板との間に不正な基板を密かに配設する不正行為が懸念されるところであるが、中継部品が容器本体にかしめられているので、、容器本体と中継基板との間に不正な基板を密かに配設することを低減できる。
【０２６７】
（２１）  前記（２０）に記載の遊技機において、
前記遊技盤の裏面に配設されて当該遊技盤からの遊技球を集めて排出する集合板と、
前記入賞部品に入賞した遊技球を案内する、前記集合板の前面側の配設位置に配設される通路部品と、
前記通路部品を支持した状態で前記集合板の前記配設位置に配設され、前記配設位置に対向する箇所にネジ穴が形成された支持部材と、
前記集合板の前記配設位置に形成された、ネジが挿入される貫通孔と、
を備え、
前記容器本体は、前記集合板の裏面で前記配設位置に対応する箇所に取り付けられ、前記開口部を正面視した状態で前記窪み空間部で前記貫通孔の対応する箇所に、ネジ挿入孔が形成され、
前記ネジ挿入孔と前記貫通孔とに挿入されたネジを前記支持部材の前記ネジ穴に螺入することで、前記支持部材が前記集合板の前記配設位置に固定されるとともに前記容器本体が前記集合板の裏面で前記配設位置に対応する箇所に固定されている
ことを特徴とする遊技機。
【０２６８】
前記（２１）に記載の発明によれば、集合板は、遊技盤の裏面に配設されて当該遊技盤からの遊技球を集めて排出する。通路部品は、集合板の前面側の配設位置に配設されるものであり、入賞部品に入賞した遊技球を案内する。支持部材は、通路部品を支持した状態で集合板の配設位置に配設され、配設位置に対向する箇所にネジ穴が形成されている。集合板の配設位置には、ネジが挿入される貫通孔が形成されている。容器本体は、集合板の裏面で配設位置に対応する箇所に取り付けられ、開口部を正面視した状態で窪み空間部で貫通孔の対応する箇所に、ネジ挿入孔が形成されている。ネジ挿入孔と貫通孔とに挿入されたネジを支持部材のネジ穴に螺入することで、支持部材が集合板の前面の配設位置に固定されるとともに容器本体が集合板の裏面で配設位置に対応する箇所に固定されている。したがって、通路部品を支持する支持部材は、集合板の裏面の中継部品の容器本体の窪み形成部で中継基板下に隠れたネジで固定されており、中継部品のかしめを解除し、さらに容器本体から中継基板を取り外さなければネジにアクセスできないので、集合板での支持部材で支持される通路部品を不正に取り外すことを低減でき、集合板の裏面と容器本体との間や、容器本体と中継基板との間に不正な基板を密かに設けることを低減できる。
【０２６９】
（２２）  前記（１）から（２１）のいずれか一つに記載の遊技機において、
前記遊技機はパチンコ機であることを特徴とする遊技機。
【０２７０】
前記（２２）に記載の遊技機によれば、発光部実装基板（ＬＥＤ実装基板）を備えた集合板（入賞球集合通路部品）について遊技機機種変更に伴う設計変更負担を低減できるパチンコ機を提供でき（前記（１）から（６）に従属する場合）、機種変更にも低コストで対応できる集合板（入賞球集合通路部品）を備えたパチンコ機を提供でき（前記（７）から（１３）に従属する場合）、ネジ止め不要で中継基板をかしめて組み立てることができ、且つ、大型化しない中継部品を備えたパチンコ機を提供できる（前記（１４）から（１９）に従属する場合）。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２７１】
なお、本明細書に開示する種々の発明に関して、全ての構成要素について種々の組み合わせが可能であり、他の構成要件がなくても単独で発明として成立する点に留意されたい。
【産業上の利用可能性】
【０２７２】
以上のように、この発明は、パチンコ機等の遊技機に適している。
【符号の説明】
【０２７３】
３０  …透明遊技盤（透明盤）
３１  …一般入賞口（入賞部品）
３２  …可変入賞装置（入賞部品、可変入賞部品）
３３  …始動入賞装置（入賞部品、始動入賞部品）
５６  …一般入賞口用貫通孔（貫通孔）
５７  …始動入賞装置用貫通孔（貫通孔）
５８  …可変入賞装置用貫通孔（貫通孔）
６０  …集合通路盤（集合板）
６０Ａ…本体部品（本体部材）
６２  …許容空間形成壁部（許容空間形成部）
６７  …磁気検出センサ（磁気検出手段）
６８  …磁気検出センサホルダー（支持部品）
６８ａ…取付爪（取付部）
６９  …取付孔（支持部品用被取付部）
７０  …一般入賞口用通路部品（通路部品、通路部）
８５  …ホルダー用許容空間形成部（支持部品用許容空間形成部）
８６  …第１の始動口用通路部品（通路部品）
８７  …始動口用通路支持部品（支持部材）
９０  …中継基板部品（基板部品、中継部品）
９１  …大入賞口中継端子基板（基板、中継基板）
９１ｅ…第２貫通孔（第２貫通部）
９３  …中継基板ベース（容器本体）
９３ｂ…止め板部（規制部）
９３ｃ…係止部（係止手段）
９３ｅ…第１貫通孔（第１貫通部）
９５  …中継基板カバー（覆い部材）
９５ｂ…かしめ解除用被破壊部（覆い解除用被破壊部）
９５ｃ…被係止部（係止手段）
９５ｄ…抜け規制壁部（抜け規制部）
１５０  …ＬＥＤ基板（発光部実装基板）
１５１  …ＬＥＤ（発光部）
１６１  …左カバー部品（カバー部材）
１６２  …右カバー部品（他部品、カバー部材）
２６１  …主制御装置（制御装置）
２２１  …入賞口スイッチ（遊技球通過検出センサ）
２２３  …カウントスイッチ（電気部品）
２２４  …作動口スイッチ（入賞検出手段）